【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
感光性タンパク質を含む患者の標的組織構造を照射するためのシステムであって、前記システムは、
前記標的組織構造の外面を係合し、光を前記標的組織構造に直接送達するように構成されている埋込型光学アプリケータを備え、
前記埋込型光学アプリケータは、光子を前記埋込型光学アプリケータに送達するように構成されている光源に動作可能に連結され、前記光子は、前記標的組織構造の中へ前記アプリケータによって放出され得る、システム。
【請求項２】
前記光源は、前記埋込型光学アプリケータに直接連結され、前記光源は、電力供給部およびコントローラに動作可能に連結され、その結果、前記コントローラは、前記電力供給部から前記光源への電流を制御することによって、前記光源を起動させる、請求項１に記載のシステム。
【請求項３】
前記光源は、電流を搬送するように構成されている送達区画を用いて、前記電力供給部およびコントローラに動作可能に連結されている、請求項２に記載のシステム。
【請求項４】
前記電力供給部は、埋込型である、請求項２に記載のシステム。
【請求項５】
前記コントローラは、埋込型である、請求項２に記載のシステム。
【請求項６】
前記電力供給部は、前記埋込型電力供給部を再充電するように構成されている経皮的磁束源から磁束を受け取るように構成されている１つ以上の埋込型誘導コイルに連結されている、請求項５に記載のシステム。
【請求項７】
前記１つ以上の埋込型誘導コイルに隣接する皮膚の付近の充電位置に位置付けられるように構成されている経皮的磁束源をさらに備えている、請求項６に記載のシステム。
【請求項８】
前記経皮的磁束源は、前記患者が活動している間、前記充電位置に前記経皮的磁束源を保持するように構成されている搭載デバイスに連結されている、請求項７に記載のシステム。
【請求項９】
前記搭載デバイスは、ベスト、スリング、ストラップ、シャツ、およびパンツから成る群から選択される、請求項８に記載のシステム。
【請求項１０】
前記電力供給部および前記コントローラは、共通埋込型筐体内に収納されている、請求項４に記載のシステム。
【請求項１１】
前記光源は、発光ダイオードを備えている、請求項２に記載のシステム。
【請求項１２】
前記感光性タンパク質を含む前記組織構造は、オプシンタンパク質をコードするように遺伝子操作されている、請求項１に記載のシステム。
【請求項１３】
前記オプシンタンパク質は、抑制性オプシンタンパク質である、請求項１２に記載のシステム。
【請求項１４】
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、請求項１３に記載のシステム。
【請求項１５】
前記オプシンタンパク質は、促進性オプシンタンパク質である、請求項１２に記載のシステム。
【請求項１６】
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、請求項１３に記載のシステム。
【請求項１７】
前記光源は、埋込型である、請求項１に記載のシステム。
【請求項１８】
前記埋込型光源と前記埋込型光学アプリケータとの間に相互連結されている送達区画をさらに備え、前記送達区画は、前記埋込型光源から前記埋込型光学アプリケータに光を伝搬するように構成されている、請求項１７に記載のシステム。
【請求項１９】
前記送達区画は、導波路を備え、前記導波路は、全内部反射によって、前記導波路を通される実質的に全ての光を伝搬するように構成されている、請求項１７に記載のシステム。
【請求項２０】
コントローラが、電力供給部から前記光源への電流を制御することによって、前記光源を起動させるように、前記埋込型光源は、前記電力供給部および前記コントローラに動作可能に連結されている、請求項１７に記載のシステム。
【請求項２１】
前記埋込型光源、前記電力供給部、および前記コントローラは、共通埋込型筐体内に収納されている、請求項２０に記載のシステム。
【請求項２２】
前記埋込型光源は、発光ダイオードを備えている、請求項１７に記載のシステム。
【請求項２３】
前記電力供給部は、前記埋込型電力供給部を再充電するように構成されている経皮的磁束源から磁束を受け取るように構成されている１つ以上の埋込型誘導コイルに連結されている、請求項２０に記載のシステム。
【請求項２４】
前記１つ以上の埋込型誘導コイルに隣接する皮膚の付近の充電位置に位置付けられるように構成されている経皮的磁束源をさらに備えている、請求項２３に記載のシステム。
【請求項２５】
前記経皮的磁束源は、前記患者が活動している間、前記充電位置に前記経皮的磁束源を保持するように構成されている搭載デバイスに連結されている、請求項２４に記載のシステム。
【請求項２６】
前記搭載デバイスは、ベスト、スリング、ストラップ、シャツ、およびパンツから成る群から選択される、請求項２５に記載のシステム。
【請求項２７】
前記感光性タンパク質を含む前記組織構造は、オプシンタンパク質をコードするように遺伝子操作されている、請求項１に記載のシステム。
【請求項２８】
前記オプシンタンパク質は、抑制性オプシンタンパク質である、請求項２７に記載のシステム。
【請求項２９】
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、請求項２８に記載のシステム。
【請求項３０】
前記オプシンタンパク質は、促進性オプシンタンパク質である、請求項２７に記載のシステム。
【請求項３１】
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、請求項２８に記載のシステム。
【請求項３２】
前記光源は、体外光源であり、埋込型光伝導体が、前記体外光源と前記埋込型光学アプリケータとの間に動作可能に連結され、前記埋込型光伝導体は、前記埋込型光学アプリケータと、前記体外光源から光子を受け取るように選択される第２の場所との間に埋め込まれ、前記光子を少なくとも部分的に前記埋込型光学アプリケータに向けるように構成されている、請求項１に記載のシステム。
【請求項３３】
前記第２の場所は、組織によって完全に封入されており、前記埋込型光伝導体は、組織の比較的薄い層を通して前記体外光源から前記光子を受け取るように構成されている、請求項３２に記載のシステム。
【請求項３４】
前記組織の比較的薄い層は、約１００ミクロンと約１ミリメートルとの間の最大厚さを有する、請求項３３に記載のシステム。
【請求項３５】
前記第２の場所は、直接体外アクセス可能である、請求項３２に記載のシステム。
【請求項３６】
前記感光性タンパク質を含む前記組織構造は、オプシンタンパク質をコードするように遺伝子操作されている、請求項１に記載のシステム。
【請求項３７】
前記オプシンタンパク質は、抑制性オプシンタンパク質である、請求項３６に記載のシステム。
【請求項３８】
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、請求項３７に記載のシステム。
【請求項３９】
前記オプシンタンパク質は、促進性オプシンタンパク質である、請求項３６に記載のシステム。
【請求項４０】
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、請求項３７に記載のシステム。
【手続補正２】
【補正対象書類名】明細書
【補正対象項目名】００４０
【補正方法】変更
【補正の内容】
【００４０】
別の実施形態は、各々が標的組織構造の外面を係合し、光を標的組織構造に直接送達するように構成されている複数の埋込型光学アプリケータであって、複数の埋込型光学アプリケータの各々は、標的組織構造の中へアプリケータによって放出され得る光子を埋込型光学アプリケータに送達するように構成されている光源に動作可能に連結されている、複数の埋込型光学アプリケータを備え得る、感光性タンパク質を含む患者の標的組織構造を照射するためのシステムを対象とする。複数の埋込型光学アプリケータの各々は、異なる光源に動作可能に連結され得る。光源は、光子が埋込型光学アプリケータに向けられると、それを通して光源で生成される光子が伝送され得る、窓を画定する密封埋込型筐体内に収納され得る。本システムはさらに、埋込型筐体の窓と埋込型光学アプリケータとの間に相互連結されている送達区画を備え得る。窓は、窓を包囲する埋込型筐体に密封されているサファイアロッドを備え得る。サファイアロッドは、ろう付けシールで埋込型筐体に密封され得る。送達区画は、全内部反射を介してそれに通過させられる実質的に全ての光を伝搬するように構成されている、導波路を備え得る。コントローラが、電力供給部からそこへの電流を制御することによって、光源を起動させるように、埋込型光源は、電力供給部およびコントローラに動作可能に連結され得る。埋込型光源、電力供給部、およびコントローラは、共通埋込型筐体内に収納され得る。埋込型光源は、発光ダイオードを備え得る。電力供給部は、埋込型電力供給部を再充電するように構成されている経皮的磁束源から磁束を受け取るように構成されている１つ以上の埋込型誘導コイルに連結され得る。本システムはさらに、１つ以上の埋込型誘導コイルに隣接する皮膚の付近の充電位置に位置付けられるように構成されている経皮的磁束源を備え得る。光源の各々は、光子が埋込型光学アプリケータに向けられると、それを通して光源で生成される光子が伝送され得る、窓を画定する密封埋込型筐体内に収納され得る。複数の光源の各々は、異なる窓を通して埋込型筐体から出力結合され得る。本システムはさらに、埋込型筐体の窓と埋込型光学アプリケータとの間に相互連結されている送達区画を備え得る。複数の光源の各々は、別個の送達区画によって埋込型光学アプリケータのうちの１つに相互連結され得る。窓は、窓を包囲する埋込型筐体に密封されているサファイアロッドを備え得る。サファイアロッドは、ろう付けシールで埋込型筐体に密封され得る。送達区画は、全内部反射を介してそれに通過させられる実質的に全ての光を伝搬するように構成されている、導波路を備え得る。
本発明は、例えば、以下を提供する。
（項目１）
患者において高血圧症を防止するためのシステムであって、
ａ．感光性タンパク質を有するように遺伝子操作された腎神経叢の少なくとも１つの分岐に光子を送達することができるように、少なくとも１つの組織構造に永久的に連結されるように構成されている埋込型光学アプリケータと、
ｂ．埋込型光源および埋込型電力供給部であって、前記埋込型光源は、前記埋込型光源が前記埋込型電力供給部から電流を引き出しているときに生成される光子が、前記埋込型光学アプリケータに送達され得るように、前記埋込型電力供給部と前記埋込型光アプリケータとの間に動作可能に相互連結されている埋込型光源および埋込型電力供給部と、
ｃ．前記患者の体内で展開され、前記患者の血圧に関連する出力信号を提供するように構成されている埋込型センサと、
ｄ．前記埋込型センサおよび埋込型光源に動作可能に連結されている埋込型コントローラと
を備え、
前記埋込型コントローラは、前記埋込型センサから受信される前記出力信号に少なくとも部分的に基づいて、前記腎神経叢の前記少なくとも１つの分岐内で活動電位伝送を少なくとも部分的に抑制するために、前記埋込型光源に、前記埋込型光源および埋込型光アプリケータを通した前記感光性タンパク質への十分な照射を向けさせるように構成されている、システム。
（項目２）
前記埋込型光学アプリケータは、前記患者の腎動脈の周囲に永久的に連結されるように構成されている、項目１に記載のシステム。
（項目３）
前記埋込型光学アプリケータは、相互連結された腎神経叢枝を伴う前記腎動脈の一部分を少なくとも部分的に円周方向に包囲するように構成されているカフを備えている、項目２に記載のシステム。
（項目４）
前記埋込型光学アプリケータは、相互連結された腎神経叢枝を伴う前記腎動脈の一部分を少なくとも部分的に円周方向に包囲するように巻かれ得るスラブ型アプリケータを備えている、項目２に記載のシステム。
（項目５）
前記スラブ型アプリケータは、相互連結された腎神経叢枝との前記腎動脈の前記一部分の係合を向上させるように、軸方向に巻かれている、項目４に記載のシステム。
（項目６）
前記スラブ型アプリケータは、相互連結された腎神経叢枝との前記腎動脈の前記一部分の係合を向上させるように、縦方向に巻かれている、項目４に記載のシステム。
（項目７）
前記埋込型光学アプリケータは、相互連結された腎神経叢枝を伴う前記腎動脈の前記一部分の周囲に位置付けられているらせん型導波路を備え、前記らせん型導波路は、出力結合光が相互連結された腎神経叢枝を伴う前記腎動脈の前記一部分に出会うように、前記らせん型導波路の中心縦軸に向かって内向きに光を出力結合するように構成されている、項目２に記載のシステム。
（項目８）
前記埋込型コントローラと無線で通信するように構成されている外部コントローラをさらに備えている、項目１に記載のシステム。
（項目９）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目２に記載のシステム。
（項目１０）
前記埋込型光源は、電流を搬送するように構成されている送達区画を用いて、前記埋込型電力供給部およびコントローラに動作可能に連結されている、項目９に記載のシステム。
（項目１１）
前記埋込型電力供給部は、前記埋込型電力供給部を再充電するように構成されている経皮的磁束源から磁束を受け取るように構成されている１つ以上の埋込型誘導コイルに連結されている、項目９に記載のシステム。
（項目１２）
前記１つ以上の埋込型誘導コイルに隣接する皮膚の付近の充電位置に位置付けられるように構成されている経皮的磁束源をさらに備えている、項目１１に記載のシステム。
（項目１３）
前記経皮的磁束源は、前記患者が活動している間、前記充電位置で前記経皮的磁束源を保持するように構成されている搭載デバイスに連結されている、項目１２に記載のシステム。
（項目１４）
前記埋込型電力供給部および埋込型コントローラは、共通埋込型筐体内に収納されている、項目９に記載のシステム。
（項目１５）
前記光源は、発光ダイオードを備えている、項目９に記載のシステム。
（項目１６）
前記感光性タンパク質を含む前記組織構造は、オプシンタンパク質をコードするように遺伝子操作されている、項目９に記載のシステム。
（項目１７）
前記オプシンタンパク質は、抑制性オプシンタンパク質である、項目１６に記載のシステム。
（項目１８）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１７に記載のシステム。
（項目１９）
前記オプシンタンパク質は、促進性オプシンタンパク質である、項目１６に記載のシステム。
（項目２０）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１７に記載のシステム。
（項目２１）
前記光源は、約０．１パーセント〜１００パーセントのデューティサイクルを使用してパルスにされ、パルス持続時間は、約０．１ミリ秒〜約２０ミリ秒である、項目９に記載のシステム。
（項目２２）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目９に記載のシステム。
（項目２３）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目２に記載のシステム。
（項目２４）
前記送達区画は、導波路を備え、前記導波路は、全内部反射を介して前記導波路を通される実質的に全ての光を伝搬するように構成されている、項目２３に記載のシステム。
（項目２５）
前記埋込型光源、埋込型電力供給部、および埋込型コントローラは、共通埋込型筐体内に収納されている、項目２３に記載のシステム。
（項目２６）
前記埋込型光源は、発光ダイオードを備えている、項目２３に記載のシステム。
（項目２７）
前記埋込型電力供給部は、前記埋込型電力供給部を再充電するように構成されている経皮的磁束源から磁束を受け取るように構成されている１つ以上の埋込型誘導コイルに連結されている、項目２３に記載のシステム。
（項目２８）
前記１つ以上の埋込型誘導コイルに隣接する皮膚の付近の充電位置に位置付けられるように構成されている経皮的磁束源をさらに備えている、項目２７に記載のシステム。
（項目２９）
前記経皮的磁束源は、前記患者が活動している間、前記充電位置で前記経皮的磁束源を保持するように構成されている搭載デバイスに連結されている、項目２８に記載のシステム。
（項目３０）
前記感光性タンパク質を含む前記組織構造は、オプシンタンパク質をコードするように遺伝子操作されている、項目２３に記載のシステム。
（項目３１）
前記オプシンタンパク質は、抑制性オプシンタンパク質である、項目３０に記載のシステム。
（項目３２）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３１に記載のシステム。
（項目３３）
前記オプシンタンパク質は、促進性オプシンタンパク質である、項目３０に記載のシステム。
（項目３４）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３１に記載のシステム。
（項目３５）
前記光源は、約０．１パーセント〜１００パーセントのデューティサイクルを使用してパルスにされ、パルス持続時間は、約０．１ミリ秒〜約２０ミリ秒である、項目２３に記載のシステム。
（項目３６）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目２３に記載のシステム。
（項目３７）
前記埋込型光学アプリケータは、前記患者の腎盂の周囲に永久的に連結されるように構成されている、項目１に記載のシステム。
（項目３８）
前記埋込型光学アプリケータは、相互連結された腎神経叢枝を伴う前記腎盂の一部分を少なくとも部分的に円周方向に封入するように構成されているカフを備えている、項目３７に記載のシステム。
（項目３９）
前記埋込型光学アプリケータは、相互連結された腎神経叢枝を伴う前記腎盂の一部分を少なくとも部分的に円周方向に封入するように巻かれ得るスラブ型アプリケータを備えている、項目３７に記載のシステム。
（項目４０）
前記スラブ型アプリケータは、相互連結された腎神経叢枝との前記腎盂の前記一部分の係合を向上させるように軸方向に巻かれている、項目３９に記載のシステム。
（項目４１）
前記スラブ型アプリケータは、相互連結された腎神経叢枝との前記腎動脈の前記一部分の係合を向上させるように縦方向に巻かれている、項目３９に記載のシステム。
（項目４２）
前記埋込型光学要素は、ウェブ様柔軟基板を備えている、項目３７に記載のシステム。
（項目４３）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目３７に記載のシステム。
（項目４４）
前記埋込型光源は、電流を搬送するように構成されている送達区画を用いて、前記埋込型電力供給部およびコントローラに動作可能に連結されている、項目４３に記載のシステム。
（項目４５）
前記埋込型電力供給部は、前記埋込型電力供給部を再充電するように構成されている経皮的磁束源から磁束を受け取るように構成されている１つ以上の埋込型誘導コイルに連結されている、項目４３に記載のシステム。
（項目４６）
前記１つ以上の埋込型誘導コイルに隣接する皮膚の付近の充電位置に位置付けられるように構成されている経皮的磁束源をさらに備えている、項目４５に記載のシステム。
（項目４７）
前記経皮的磁束源は、前記患者が活動している間、前記充電位置で前記経皮的磁束源を保持するように構成されている搭載デバイスに連結されている、項目４６に記載のシステム。
（項目４８）
前記埋込型電力供給部および埋込型コントローラは、共通埋込型筐体内に収納されている、項目４３に記載のシステム。
（項目４９）
前記光源は、発光ダイオードを備えている、項目４３に記載のシステム。
（項目５０）
前記感光性タンパク質を含む前記組織構造は、オプシンタンパク質をコードするように遺伝子操作されている、項目４３に記載のシステム。
（項目５１）
前記オプシンタンパク質は、抑制性オプシンタンパク質である、項目５０に記載のシステム。
（項目５２）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５１に記載のシステム。
（項目５３）
前記オプシンタンパク質は、促進性オプシンタンパク質である、項目５０に記載のシステム。
（項目５４）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５１に記載のシステム。
（項目５５）
前記光源は、約０．１パーセント〜１００パーセントのデューティサイクルを使用してパルスにされ、パルス持続時間は、約０．１ミリ秒〜約２０ミリ秒である、項目４３に記載のシステム。
（項目５６）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目４３に記載のシステム。
（項目５７）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目３７に記載のシステム。
（項目５８）
前記送達区画は、導波路を備え、前記導波路は、全内部反射を介して前記導波路を通される実質的に全ての光を伝搬するように構成されている、項目５７に記載のシステム。
（項目５９）
前記埋込型光源、埋込型電力供給部、および埋込型コントローラは、共通埋込型筐体内に収納されている、項目５７に記載のシステム。
（項目６０）
前記埋込型光源は、発光ダイオードを備えている、項目５７に記載のシステム。
（項目６１）
前記埋込型電力供給部は、前記埋込型電力供給部を再充電するように構成されている経皮的磁束源から磁束を受け取るように構成されている１つ以上の埋込型誘導コイルに連結されている、項目５７に記載のシステム。
（項目６２）
前記１つ以上の埋込型誘導コイルに隣接する皮膚の付近の充電位置に位置付けられるように構成されている経皮的磁束源をさらに備えている、項目６１に記載のシステム。
（項目６３）
前記経皮的磁束源は、前記患者が活動している間、前記充電位置で前記経皮的磁束源を保持するように構成されている搭載デバイスに連結されている、項目６２に記載のシステム。
（項目６４）
前記感光性タンパク質を含む前記組織構造は、オプシンタンパク質をコードするように遺伝子操作されている、項目５７に記載のシステム。
（項目６５）
前記オプシンタンパク質は、抑制性オプシンタンパク質である、項目６４に記載のシステム。
（項目６６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６５に記載のシステム。
（項目６７）
前記オプシンタンパク質は、促進性オプシンタンパク質である、項目６４に記載のシステム。
（項目６８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６５に記載のシステム。
（項目６９）
前記光源は、約０．１パーセント〜１００パーセントのデューティサイクルを使用してパルスにされ、パルス持続時間は、約０．１ミリ秒〜約２０ミリ秒である、項目５７に記載のシステム。
（項目７０）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目５７に記載のシステム。
（項目７１）
前記埋込型センサは、ダイヤフラム、ピストン、ブルドン管、ベローズ、および歪みゲージから成る群から選択される感知要素を備えている、項目１に記載のシステム。
（項目７２）
前記埋込型センサ出力信号は、圧電変換器、容量性変換器、電磁変換器、光学変換器、および共鳴変換器から成る群から選択される変換器によって生成される、項目１に記載のシステム。
（項目７３）
前記埋込型センサは、物理的有線接続を介して前記埋込型コントローラに動作可能に連結されている、項目１に記載のシステム。
（項目７４）
前記埋込型センサは、無線接続を介して前記埋込型コントローラに動作可能に連結されている、項目１に記載のシステム。
（項目７５）
前記埋込型センサは、大腿動脈、上腕動脈、頸動脈、大動脈、腎動脈、腸骨動脈、鎖骨下動脈、および腋窩動脈から成る群から選択される動脈血管内の圧力を監視するように展開される、項目１に記載のシステム。
（項目７６）
前記埋込型センサは、近傍の加圧された血管に対して前記埋込型センサの位置を維持するように構成されている連結デバイスに連結されている、項目１に記載のシステム。
（項目７７）
前記連結デバイスは、加圧された血管の周囲で円周方向に延びるように構成されている埋込型カフを備えている、項目７６に記載のシステム。
（項目７８）
前記埋込型光学アプリケータは、前記患者の尿道、膀胱、および尿管を通して管腔内で送達され、前記患者の腎臓の前記腎盂の内側に埋め込まれるように構成されている、項目１に記載のシステム。
（項目７９）
前記埋込型光学アプリケータに連結されている拡張可能な連結デバイスをさらに備え、前記拡張可能な連結デバイスは、カテーテルを通して圧縮形態で前記腎盂に送達されるように構成され、その後、前記拡張可能な連結デバイスは、拡張形態に変換され、前記腎盂の内側を機械的に連結し得る、項目７８に記載のシステム。
（項目８０）
前記拡張可能な連結デバイスは、ステントを備えている、項目７９に記載のシステム。
（項目８１）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目７８に記載のシステム。
（項目８２）
前記埋込型コントローラおよび埋込型電力供給部は、尿路の境界の外側に位置し、送達区画が、電流を前記埋込型光学アプリケータに搬送するように、前記患者の前記尿路の壁を横切って経路指定されている、項目８１に記載のシステム。
（項目８３）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目７８に記載のシステム。
（項目８４）
前記埋込型コントローラ、埋込型電力供給部、および埋込型光源は、前記尿路の境界の外側に位置し、前記送達区画は、光を前記埋込型光学アプリケータに搬送するように、前記患者の前記尿路の壁を横切って経路指定されている、項目８３に記載のシステム。
（項目８５）
前記送達区画は、導波路を備え、前記導波路は、全内部反射を介して前記導波路を通される実質的に全ての光を伝搬するように構成されている、項目８３に記載のシステム。
（項目８６）
前記埋込型光源、埋込型電力供給部、および埋込型コントローラは、共通埋込型筐体内に収納されている、項目８３に記載のシステム。
（項目８７）
高血圧症を予防する方法であって、
ａ．光学アプリケータを埋め込み、感光性タンパク質を有するように遺伝子操作された腎神経叢の少なくとも１つの分岐に光子を送達することができるように、前記光学アプリケータを少なくとも１つの組織構造に連結することと、
ｂ．埋込型光源および相互連結された埋込型電力供給部を埋め込み、各々を少なくとも１つの組織構造に連結することであって、前記埋込型光源は、前記埋込型光源が前記埋込型電力供給部から電流を引き出しているときに、光子を入力として前記光学アプリケータに送達するように構成されている、ことと、
ｃ．患者の体内で埋込型センサを展開することであって、前記センサは、前記患者の血圧に関連する出力信号を提供するように構成されている、ことと、
ｄ．埋込型コントローラを埋め込み、それを少なくとも１つの組織構造に連結することと
を含み、
前記埋込型コントローラは、前記埋込型センサから受信される前記出力信号に少なくとも部分的に基づいて、前記腎神経叢の前記少なくとも１つの分岐内で活動電位伝送を少なくとも部分的に抑制するために、前記埋込型光源に、前記埋込型光源および埋込型光アプリケータを通した前記感光性タンパク質への十分な照射を向けさせるように構成されている、方法。
（項目８８）
前記埋込型光学アプリケータを前記患者の腎動脈の周囲に永久的に連結することをさらに含む、項目８７に記載の方法。
（項目８９）
前記埋込型光学アプリケータは、相互連結された腎神経叢枝を伴う前記腎動脈の一部分を少なくとも部分的に円周方向に包囲するように構成されているカフを備えている、項目８８に記載の方法。
（項目９０）
前記埋込型光学アプリケータは、相互連結された腎神経叢枝を伴う前記腎動脈の一部分を少なくとも部分的に円周方向に包囲するように巻かれ得るスラブ型アプリケータを備えている、項目８８に記載の方法。
（項目９１）
相互連結された腎神経叢枝との前記腎動脈の前記一部分の係合を向上させるように、前記スラブ型アプリケータを軸方向に巻くことをさらに含む、項目９０に記載の方法。
（項目９２）
相互連結された腎神経叢枝との前記腎動脈の前記一部分の係合を向上させるように、前記スラブ型アプリケータを縦方向に巻くことをさらに含む、項目９０に記載の方法。
（項目９３）
前記埋込型光学アプリケータは、相互連結された腎神経叢枝を伴う前記腎動脈の前記一部分の周囲に位置付けられているらせん型導波路を備え、前記らせん型導波路は、出力結合光が相互連結された腎神経叢枝を伴う前記腎動脈の前記一部分に出会うように、前記らせん型導波路の中心縦軸に向かって内向きに光を出力結合するように構成されている、項目８８に記載の方法。
（項目９４）
外部コントローラを使用して、前記埋込型制御と無線で通信することをさらに含む、項目８７に記載の方法。
（項目９５）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目８７に記載の方法。
（項目９６）
電流を搬送するように構成されている送達区画を用いて、前記埋込型光源を前記埋込型電力供給部およびコントローラに動作可能に連結することをさらに含む、項目９５に記載の方法。
（項目９７）
前記埋込型電力供給部を、前記埋込型電力供給部を再充電するように構成されている経皮的磁束源から磁束を受け取るように構成されている１つ以上の埋込型誘導コイルに連結することをさらに含む、項目９５に記載の方法。
（項目９８）
前記１つ以上の埋込型誘導コイルに隣接する皮膚の付近の充電位置に位置付けられるように構成されている経皮的磁束源を提供することをさらに含む、項目９７に記載の方法。
（項目９９）
前記経皮的磁束源を、前記患者が活動している間、前記充電位置で前記経皮的磁束源を保持するように構成されている搭載デバイスに連結することをさらに含む、項目９８に記載の方法。
（項目１００）
前記埋込型電力供給部および埋込型コントローラを共通埋込型筐体内に収納することをさらに含む、項目９５に記載の方法。
（項目１０１）
前記光源は、発光ダイオードを備えている、項目９５に記載の方法。
（項目１０２）
オプシンタンパク質をコードするように、前記感光性タンパク質を含む前記組織構造を遺伝子操作することをさらに含む、項目９５に記載の方法。
（項目１０３）
前記オプシンタンパク質は、抑制性オプシンタンパク質である、項目１０２に記載の方法。
（項目１０４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１０３に記載の方法。
（項目１０５）
前記オプシンタンパク質は、促進性オプシンタンパク質である、項目１０２に記載の方法。
（項目１０６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１０３に記載の方法。
（項目１０７）
約０．１パーセント〜１００パーセントのデューティサイクルを使用して、パルス前記光源を起動させることをさらに含み、パルス持続時間は、約０．１ミリ秒〜約２０ミリ秒である、項目９５に記載の方法。
（項目１０８）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目９５に記載の方法。
（項目１０９）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目８７に記載の方法。
（項目１１０）
前記送達区画は、導波路を備え、前記導波路は、全内部反射を介して前記導波路に通される実質的に全ての光を伝搬するように構成されている、項目１０９に記載の方法。
（項目１１１）
前記埋込型光源、埋込型電力供給部、および埋込型コントローラを共通埋込型筐体内に収納することをさらに含む、項目１０９に記載の方法。
（項目１１２）
前記埋込型光源は、発光ダイオードを備えている、項目１０９に記載の方法。
（項目１１３）
前記埋込型電力供給部を、前記埋込型電力供給部を再充電するように構成されている経皮的磁束源から磁束を受け取るように構成されている１つ以上の埋込型誘導コイルに連結することをさらに含む、項目１０９に記載の方法。
（項目１１４）
前記１つ以上の埋込型誘導コイルに隣接する皮膚の付近の充電位置に位置付けられるように構成されている経皮的磁束源を提供することをさらに含む、項目１１３に記載の方法。
（項目１１５）
前記経皮的磁束源を、前記患者が活動している間、前記充電位置で前記経皮的磁束源を保持するように構成されている搭載デバイスに連結することをさらに含む、項目１１４に記載の方法。
（項目１１６）
オプシンタンパク質をコードするように、前記感光性タンパク質を含む前記組織構造を遺伝子操作することをさらに含む、項目１０９に記載の方法。
（項目１１７）
前記オプシンタンパク質は、抑制性オプシンタンパク質である、項目１１６に記載の方法。
（項目１１８）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１１７に記載の方法。
（項目１１９）
前記オプシンタンパク質は、促進性オプシンタンパク質である、項目１１６に記載の方法。
（項目１２０）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１１７に記載の方法。
（項目１２１）
前記光源は、約０．１パーセント〜１００パーセントのデューティサイクルを使用してパルスにされ、パルス持続時間は、約０．１ミリ秒〜約２０ミリ秒である、項目１０９に記載の方法。
（項目１２２）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目１０９に記載の方法。
（項目１２３）
前記埋込型光学アプリケータを前記患者の腎盂の周囲に永久的に連結することをさらに含む、項目８７に記載の方法。
（項目１２４）
前記埋込型光学アプリケータは、相互連結された腎神経叢枝を伴う前記腎盂の一部分を少なくとも部分的に円周方向に封入するように構成されているカフを備えている、項目１２３に記載の方法。
（項目１２５）
前記埋込型光学アプリケータは、相互連結された腎神経叢枝を伴う前記腎盂の一部分を少なくとも部分的に円周方向に封入するように巻かれ得るスラブ型アプリケータを備えている、項目１２３に記載の方法。
（項目１２６）
相互連結された腎神経叢枝との前記腎動脈の前記一部分の係合を向上させるように、前記スラブ型アプリケータを軸方向に巻くことをさらに含む、項目１２５に記載の方法。
（項目１２７）
相互連結された腎神経叢枝との前記腎動脈の前記一部分の係合を向上させるように、前記スラブ型アプリケータを縦方向に巻くことをさらに含む、項目１２５に記載の方法。
（項目１２８）
前記埋込型光学要素は、ウェブ様柔軟基板を備えている、項目１２３に記載の方法。
（項目１２９）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目８７に記載の方法。
（項目１３０）
電流を搬送するように構成されている送達区画を用いて、前記埋込型光源を前記埋込型電力供給部およびコントローラに動作可能に連結することをさらに含む、項目１２９に記載の方法。
（項目１３１）
前記埋込型電力供給部を、前記埋込型電力供給部を再充電するように構成されている経皮的磁束源から磁束を受け取るように構成されている１つ以上の埋込型誘導コイルに連結することをさらに含む、項目１２９に記載の方法。
（項目１３２）
前記１つ以上の埋込型誘導コイルに隣接する皮膚の付近の充電位置に位置付けられるように構成されている経皮的磁束源を提供することをさらに含む、項目１３１に記載の方法。
（項目１３３）
前記経皮的磁束源を、前記患者が活動している間、前記充電位置で前記経皮的磁束源を保持するように構成されている搭載デバイスに連結することをさらに含む、項目１３２に記載の方法。
（項目１３４）
前記埋込型電力供給部および埋込型コントローラを共通埋込型筐体内に収納することをさらに含む、項目１２９に記載の方法。
（項目１３５）
前記光源は、発光ダイオードを備えている、項目１２９に記載の方法。
（項目１３６）
オプシンタンパク質をコードするように、前記感光性タンパク質を含む前記組織構造を遺伝子操作することをさらに含む、項目１２９に記載の方法。
（項目１３７）
前記オプシンタンパク質は、抑制性オプシンタンパク質である、項目１３６に記載の方法。
（項目１３８）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１３７に記載の方法。
（項目１３９）
前記オプシンタンパク質は、促進性オプシンタンパク質である、項目１３６に記載の方法。
（項目１４０）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１３７に記載の方法。
（項目１４１）
前記光源は、約０．１パーセント〜１００パーセントのデューティサイクルを使用してパルスにされ、パルス持続時間は、約０．１ミリ秒〜約２０ミリ秒である、項目１２９に記載の方法。
（項目１４２）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目１２９に記載の方法。
（項目１４３）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目８７に記載の方法。
（項目１４４）
前記送達区画は、導波路を備え、前記導波路は、全内部反射を介して前記導波路を通される実質的に全ての光を伝搬するように構成されている、項目１４３に記載の方法。
（項目１４５）
前記埋込型光源、埋込型電力供給部、および埋込型コントローラを共通埋込型筐体内に収納することをさらに含む、項目１４３に記載の方法。
（項目１４６）
前記埋込型光源は、発光ダイオードを備えている、項目１４３に記載の方法。
（項目１４７）
前記埋込型電力供給部を、前記埋込型電力供給部を再充電するように構成されている経皮的磁束源から磁束を受け取るように構成されている１つ以上の埋込型誘導コイルに連結することをさらに含む、項目１４３に記載の方法。
（項目１４８）
前記１つ以上の埋込型誘導コイルに隣接する皮膚の付近の充電位置に位置付けられるように構成されている経皮的磁束源を提供することをさらに含む、項目１４７に記載の方法。
（項目１４９）
前記経皮的磁束源を、前記患者が活動している間、前記充電位置で前記経皮的磁束源を保持するように構成されている搭載デバイスに連結することをさらに含む、項目１４８に記載の方法。
（項目１５０）
オプシンタンパク質をコードするように、前記感光性タンパク質を含む前記組織構造を遺伝子操作することをさらに含む、項目１４３に記載の方法。
（項目１５１）
前記オプシンタンパク質は、抑制性オプシンタンパク質である、項目１５０に記載の方法。
（項目１５２）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１５１に記載の方法。
（項目１５３）
前記オプシンタンパク質は、促進性オプシンタンパク質である、項目１５０に記載の方法。
（項目１５４）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１５１に記載の方法。
（項目１５５）
前記光源は、約０．１パーセント〜１００パーセントのデューティサイクルを使用してパルスにされ、パルス持続時間は、約０．１ミリ秒〜約２０ミリ秒である、項目１４３に記載の方法。
（項目１５６）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目１４３に記載の方法。
（項目１５７）
前記患者の尿道、膀胱、および尿管を通して、前記埋込型光学アプリケータを管腔内で送達し、それを前記患者の腎臓の前記腎盂の内側に埋め込むことをさらに含む、項目８７に記載の方法。
（項目１５８）
前記埋込型光学アプリケータに連結されている拡張可能な連結デバイスを提供することをさらに含み、前記拡張可能な連結デバイスは、カテーテルを通して圧縮形態で前記腎盂に送達されるように構成され、その後、前記拡張可能な連結デバイスは、拡張形態に変換され、前記腎盂の内側を機械的に連結し得る、項目１５７に記載の方法。
（項目１５９）
前記拡張可能な連結デバイスは、ステントを備えている、項目１５８に記載の方法。
（項目１６０）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目１５７に記載の方法。
（項目１６１）
前記埋込型コントローラおよび埋込型電力供給部を尿路の境界の外側に位置付け、電流を前記埋込型光学アプリケータに搬送するように、前記患者の前記尿路の壁を横切って送達区画を経路指定することをさらに含む、項目１６０に記載の方法。
（項目１６２）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目１５７に記載の方法。
（項目１６３）
前記埋込型コントローラ、埋込型電力供給部、および埋込型光源を前記尿路の境界の外側に位置付け、光を前記埋込型光学アプリケータに搬送するように、前記患者の前記尿路の壁を横切って前記送達区画を経路指定することをさらに含む、項目１６２に記載の方法。
（項目１６４）
前記送達区画は、導波路を備え、前記導波路は、全内部反射を介して前記導波路を通される実質的に全ての光を伝搬するように構成されている、項目１６２に記載の方法。
（項目１６５）
前記埋込型光源、埋込型電力供給部、および埋込型コントローラを共通埋込型筐体内に収納することをさらに含む、項目１６２に記載の方法。
（項目１６６）
前記埋込型センサは、ダイヤフラム、ピストン、ブルドン管、ベローズ、および歪みゲージから成る群から選択される感知要素を備えている、項目８７に記載のシステム。
（項目１６７）
前記埋込型センサ出力信号は、圧電変換器、容量性変換器、電磁変換器、光学変換器、および共鳴変換器から成る群から選択される変換器によって生成される、項目８７に記載のシステム。
（項目１６８）
前記埋込型センサは、物理的有線接続を介して前記埋込型コントローラに動作可能に連結されている、項目８７に記載のシステム。
（項目１６９）
前記埋込型センサは、無線接続を介して前記埋込型コントローラに動作可能に連結されている、項目８７に記載のシステム。
（項目１７０）
前記埋込型センサは、大腿動脈、上腕動脈、頸動脈、大動脈、腎動脈、腸骨動脈、鎖骨下動脈、および腋窩動脈から成る群から選択される動脈血管内の圧力を監視するように展開される、項目８７に記載のシステム。
（項目１７１）
前記埋込型センサは、近傍の加圧された血管に対して前記埋込型センサの位置を維持するように構成されている連結デバイスに連結されている、項目８７に記載のシステム。
（項目１７２）
前記連結デバイスは、加圧された血管の周囲で円周方向に延びるように構成されている埋込型カフを備えている、項目１７１に記載のシステム。
（項目１７３）
患者において高血圧症を防止するためのシステムであって、
ａ．感光性タンパク質を有するように遺伝子操作された腎神経叢の少なくとも１つの分岐に光子を送達することができるように、少なくとも１つの組織構造に永久的に連結されるように構成されている埋込型光学アプリケータと、
ｂ．埋込型光源および埋込型電力供給部であって、前記埋込型光源は、前記埋込型光源が前記埋込型電力供給部から電流を引き出しているときに生成される光子が、前記埋込型光学アプリケータに送達され得るように、前記埋込型電力供給部と前記埋込型光アプリケータとの間に動作可能に相互連結されている、埋込型光源および埋込型電力供給部と、
ｃ．埋込型光源に動作可能に連結されている埋込型コントローラと
を備え、
前記埋込型コントローラは、前記腎神経叢の前記少なくとも１つの分岐内で活動電位伝送を少なくとも部分的に抑制するために、前記埋込型光源に、前記埋込型光源および埋込型光アプリケータを通した前記感光性タンパク質への十分な照射を向けさせるように構成されている、システム。
（項目１７４）
前記埋込型光学アプリケータは、前記患者の腎動脈の周囲に永久的に連結されるように構成されている、項目１７３に記載のシステム。
（項目１７５）
前記埋込型光学アプリケータは、相互連結された腎神経叢枝を伴う前記腎動脈の一部分を少なくとも部分的に円周方向に包囲するように構成されているカフを備えている、項目１７４に記載のシステム。
（項目１７６）
前記埋込型光学アプリケータは、相互連結された腎神経叢枝を伴う前記腎動脈の一部分を少なくとも部分的に円周方向に包囲するように巻かれ得るスラブ型アプリケータを備えている、項目１７４に記載のシステム。
（項目１７７）
前記スラブ型アプリケータは、相互連結された腎神経叢枝との前記腎動脈の前記一部分の係合を向上させるように、軸方向に巻かれている、項目１７６に記載のシステム。
（項目１７８）
前記スラブ型アプリケータは、相互連結された腎神経叢枝との前記腎動脈の前記一部分の係合を向上させるように、縦方向に巻かれている、項目１７６に記載のシステム。
（項目１７９）
前記埋込型光学アプリケータは、相互連結された腎神経叢枝を伴う前記腎動脈の前記一部分の周囲に位置付けられているらせん型導波路を備え、前記らせん型導波路は、出力結合光が相互連結された腎神経叢枝を伴う前記腎動脈の前記一部分に出会うように、前記らせん型導波路の中心縦軸に向かって内向きに光を出力結合するように構成されている、項目１７４に記載のシステム。
（項目１８０）
前記埋込型コントローラと無線で通信するように構成されている外部コントローラをさらに備えている、項目１７３に記載のシステム。
（項目１８１）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目１７４に記載のシステム。
（項目１８２）
前記埋込型光源は、電流を搬送するように構成されている送達区画を用いて、前記埋込型電力供給部およびコントローラに動作可能に連結されている、項目１８１に記載のシステム。
（項目１８３）
前記埋込型電力供給部は、前記埋込型電力供給部を再充電するように構成されている経皮的磁束源から磁束を受け取るように構成されている１つ以上の埋込型誘導コイルに連結されている、項目１８１に記載のシステム。
（項目１８４）
前記１つ以上の埋込型誘導コイルに隣接する皮膚の付近の充電位置に位置付けられるように構成されている経皮的磁束源をさらに備えている、項目１８３に記載のシステム。
（項目１８５）
前記経皮的磁束源は、前記患者が活動している間、前記充電位置で前記経皮的磁束源を保持するように構成されている搭載デバイスに連結されている、項目１８４に記載のシステム。
（項目１８６）
前記埋込型電力供給部および埋込型コントローラは、共通埋込型筐体内に収納されている、項目１８１に記載のシステム。
（項目１８７）
前記光源は、発光ダイオードを備えている、項目１８１に記載のシステム。
（項目１８８）
前記感光性タンパク質を含む前記組織構造は、オプシンタンパク質をコードするように遺伝子操作されている、項目１８１に記載のシステム。
（項目１８９）
前記オプシンタンパク質は、抑制性オプシンタンパク質である、項目１８８に記載のシステム。
（項目１９０）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目１８９に記載のシステム。
（項目１９１）
前記オプシンタンパク質は、促進性オプシンタンパク質である、項目１８８に記載のシステム。
（項目１９２）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目１８９に記載のシステム。
（項目１９３）
前記光源は、約０．１パーセント〜１００パーセントのデューティサイクルを使用してパルスにされ、パルス持続時間は、約０．１ミリ秒〜約２０ミリ秒である、項目１８１に記載のシステム。
（項目１９４）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目１８１に記載のシステム。
（項目１９５）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目１７４に記載のシステム。
（項目１９６）
前記送達区画は、導波路を備え、前記導波路は、全内部反射を介して前記導波路を通される実質的に全ての光を伝搬するように構成されている、項目１９５に記載のシステム。
（項目１９７）
前記埋込型光源、埋込型電力供給部、および埋込型コントローラは、共通埋込型筐体内に収納されている、項目１９５に記載のシステム。
（項目１９８）
前記埋込型光源は、発光ダイオードを備えている、項目１９５に記載のシステム。
（項目１９９）
前記埋込型電力供給部は、前記埋込型電力供給部を再充電するように構成されている経皮的磁束源から磁束を受け取るように構成されている１つ以上の埋込型誘導コイルに連結されている、項目１９５に記載のシステム。
（項目２００）
前記１つ以上の埋込型誘導コイルに隣接する皮膚の付近の充電位置に位置付けられるように構成されている経皮的磁束源をさらに備えている、項目１９９に記載のシステム。
（項目２０１）
前記経皮的磁束源は、前記患者が活動している間、前記充電位置で前記経皮的磁束源を保持するように構成されている搭載デバイスに連結されている、項目２００に記載のシステム。
（項目２０２）
前記感光性タンパク質を含む前記組織構造は、オプシンタンパク質をコードするように遺伝子操作されている、項目１９５に記載のシステム。
（項目２０３）
前記オプシンタンパク質は、抑制性オプシンタンパク質である、項目２０２に記載のシステム。
（項目２０４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目２０３に記載のシステム。
（項目２０５）
前記オプシンタンパク質は、促進性オプシンタンパク質である、項目２０２に記載のシステム。
（項目２０６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目２０３に記載のシステム。
（項目２０７）
前記光源は、約０．１パーセント〜１００パーセントのデューティサイクルを使用してパルスにされ、パルス持続時間は、約０．１ミリ秒〜約２０ミリ秒である、項目１９５に記載のシステム。
（項目２０８）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目１９５に記載のシステム。
（項目２０９）
前記埋込型光学アプリケータは、前記患者の腎盂の周囲に永久的に連結されるように構成されている、項目１７３に記載のシステム。
（項目２１０）
前記埋込型光学アプリケータは、相互連結された腎神経叢枝を伴う前記腎盂の一部分を少なくとも部分的に円周方向に封入するように構成されているカフを備えている、項目２０９に記載のシステム。
（項目２１１）
前記埋込型光学アプリケータは、相互連結された腎神経叢枝を伴う前記腎盂の一部分を少なくとも部分的に円周方向に封入するように巻かれ得るスラブ型アプリケータを備えている、項目２０９に記載のシステム。
（項目２１２）
前記スラブ型アプリケータは、相互連結された腎神経叢枝との前記腎盂の前記一部分の係合を向上させるように軸方向に巻かれている、項目２１１に記載のシステム。
（項目２１３）
前記スラブ型アプリケータは、相互連結された腎神経叢枝との前記腎動脈の前記一部分の係合を向上させるように縦方向に巻かれている、項目２１１に記載のシステム。
（項目２１４）
前記埋込型光学要素は、ウェブ様柔軟基板を備えている、項目２０９に記載のシステム。
（項目２１５）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目２０９に記載のシステム。
（項目２１６）
前記埋込型光源は、電流を搬送するように構成されている送達区画を用いて、前記埋込型電力供給部およびコントローラに動作可能に連結されている、項目２１５に記載のシステム。
（項目２１７）
前記埋込型電力供給部は、前記埋込型電力供給部を再充電するように構成されている経皮的磁束源から磁束を受け取るように構成されている１つ以上の埋込型誘導コイルに連結されている、項目２１５に記載のシステム。
（項目２１８）
前記１つ以上の埋込型誘導コイルに隣接する皮膚の付近の充電位置に位置付けられるように構成されている経皮的磁束源をさらに備えている、項目２１７に記載のシステム。
（項目２１９）
前記経皮的磁束源は、前記患者が活動している間、前記充電位置で前記経皮的磁束源を保持するように構成されている搭載デバイスに連結されている、項目２１８に記載のシステム。
（項目２２０）
前記埋込型電力供給部および埋込型コントローラは、共通埋込型筐体内に収納されている、項目２１５に記載のシステム。
（項目２２１）
前記光源は、発光ダイオードを備えている、項目２１５に記載のシステム。
（項目２２２）
前記感光性タンパク質を含む前記組織構造は、オプシンタンパク質をコードするように遺伝子操作されている、項目２１５に記載のシステム。
（項目２２３）
前記オプシンタンパク質は、抑制性オプシンタンパク質である、項目２２２に記載のシステム。
（項目２２４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目２２３に記載のシステム。
（項目２２５）
前記オプシンタンパク質は、促進性オプシンタンパク質である、項目２２２に記載のシステム。
（項目２２６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目２２３に記載のシステム。
（項目２２７）
前記光源は、約０．１パーセント〜１００パーセントのデューティサイクルを使用してパルスにされ、パルス持続時間は、約０．１ミリ秒〜約２０ミリ秒である、項目２１５に記載のシステム。
（項目２２８）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目２１５に記載のシステム。
（項目２２９）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目２０９に記載のシステム。
（項目２３０）
前記送達区画は、導波路を備え、前記導波路は、全内部反射を介して前記導波路を通される実質的に全ての光を伝搬するように構成されている、項目２２９に記載のシステム。
（項目２３１）
前記埋込型光源、埋込型電力供給部、および埋込型コントローラは、共通埋込型筐体内に収納されている、項目２２９に記載のシステム。
（項目２３２）
前記埋込型光源は、発光ダイオードを備えている、項目２２９に記載のシステム。
（項目２３３）
前記埋込型電力供給部は、前記埋込型電力供給部を再充電するように構成されている経皮的磁束源から磁束を受け取るように構成されている１つ以上の埋込型誘導コイルに連結されている、項目２２９に記載のシステム。
（項目２３４）
前記１つ以上の埋込型誘導コイルに隣接する皮膚の付近の充電位置に位置付けられるように構成されている経皮的磁束源をさらに備えている、項目２３３に記載のシステム。
（項目２３５）
前記経皮的磁束源は、前記患者が活動している間、前記充電位置で前記経皮的磁束源を保持するように構成されている搭載デバイスに連結されている、項目２３４に記載のシステム。
（項目２３６）
前記感光性タンパク質を含む前記組織構造は、オプシンタンパク質をコードするように遺伝子操作されている、項目２２９に記載のシステム。
（項目２３７）
前記オプシンタンパク質は、抑制性オプシンタンパク質である、項目２３６に記載のシステム。
（項目２３８）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目２３７に記載のシステム。
（項目２３９）
前記オプシンタンパク質は、促進性オプシンタンパク質である、項目２３６に記載のシステム。
（項目２４０）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目２３７に記載のシステム。
（項目２４１）
前記光源は、約０．１パーセント〜１００パーセントのデューティサイクルを使用してパルスにされ、パルス持続時間は、約０．１ミリ秒〜約２０ミリ秒である、項目２２９に記載のシステム。
（項目２４２）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目２２９に記載のシステム。
（項目２４３）
前記埋込型光学アプリケータは、前記患者の尿道、膀胱、および尿管を通して管腔内で送達され、前記患者の腎臓の前記腎盂の内側に埋め込まれるように構成されている、項目１７３に記載のシステム。
（項目２４４）
前記埋込型光学アプリケータに連結されている拡張可能な連結デバイスをさらに備え、前記拡張可能な連結デバイスは、カテーテルを通して圧縮形態で前記腎盂に送達されるように構成され、その後、前記拡張可能な連結デバイスは、拡張形態に変換され、前記腎盂の内側を機械的に連結し得る、項目２４３に記載のシステム。
（項目２４５）
前記拡張可能な連結デバイスは、ステントを備えている、項目２４４に記載のシステム。
（項目２４６）
前記埋込型光源は、前記埋込型光学アプリケータに直接連結され、前記埋込型光源は、前記埋込型電力供給部および埋込型コントローラに動作可能に連結され、それによって、前記埋込型コントローラは、前記埋込型電力供給部から前記埋込型光源への電流を制御することによって、前記埋込型光源を起動させる、項目２４３に記載のシステム。
（項目２４７）
前記埋込型コントローラおよび埋込型電力供給部は、尿路の境界の外側に位置し、送達区画が、電流を前記埋込型光学アプリケータに搬送するように、前記患者の前記尿路の壁を横切って経路指定されている、項目２４６に記載のシステム。
（項目２４８）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目２４３に記載のシステム。
（項目２４９）
前記埋込型コントローラ、埋込型電力供給部、および埋込型光源は、前記尿路の境界の外側に位置し、前記送達区画は、光を前記埋込型光学アプリケータに搬送するように、前記患者の前記尿路の壁を横切って経路指定されている、項目２４８に記載のシステム。
（項目２５０）
前記送達区画は、導波路を備え、前記導波路は、全内部反射を介して前記導波路を通される実質的に全ての光を伝搬するように構成されている、項目２４８に記載のシステム。
（項目２５１）
前記埋込型光源、埋込型電力供給部、および埋込型コントローラは、共通埋込型筐体内に収納されている、項目２４８に記載のシステム。
（項目２５２）
高血圧症を予防する方法であって、
ａ．光学アプリケータを埋め込み、感光性タンパク質を有するように遺伝子操作された腎神経叢の少なくとも１つの分岐に光子を送達することができるように、前記光学アプリケータを少なくとも１つの組織構造に連結することと、
ｂ．埋込型光源および相互連結された埋込型電力供給部を埋め込み、各々を少なくとも１つの組織構造に連結することであって、前記埋込型光源は、前記埋込型光源が前記埋込型電力供給部から電流を引き出しているときに、光子を入力として前記光学アプリケータに送達するように構成されている、ことと、
ｃ．埋込型コントローラを埋め込み、それを少なくとも１つの組織構造に連結することと
を含み、
前記埋込型コントローラは、前記腎神経叢の前記少なくとも１つの分岐内で活動電位伝送を少なくとも部分的に抑制するために、前記埋込型光源に、前記埋込型光源および埋込型光アプリケータを通した前記感光性タンパク質への十分な照射を長期的に向けるように構成されている、方法。
（項目２５３）
前記埋込型光学アプリケータを前記患者の腎動脈の周囲に永久的に連結することをさらに含む、項目２５２に記載の方法。
（項目２５４）
前記埋込型光学アプリケータは、相互連結された腎神経叢枝を伴う前記腎動脈の一部分を少なくとも部分的に円周方向に包囲するように構成されているカフを備えている、項目２５３に記載の方法。
（項目２５５）
前記埋込型光学アプリケータは、相互連結された腎神経叢枝を伴う前記腎動脈の一部分を少なくとも部分的に円周方向に包囲するように巻かれ得るスラブ型アプリケータを備えている、項目２５３に記載の方法。
（項目２５６）
相互連結された腎神経叢枝との前記腎動脈の前記一部分の係合を向上させるように、前記スラブ型アプリケータを軸方向に巻くことをさらに含む、項目２５５に記載の方法。
（項目２５７）
相互連結された腎神経叢枝との前記腎動脈の前記一部分の係合を向上させるように、前記スラブ型アプリケータを縦方向に巻くことをさらに含む、項目２５５に記載の方法。
（項目２５８）
前記埋込型光学アプリケータは、相互連結された腎神経叢枝を伴う前記腎動脈の前記一部分の周囲に位置付けられているらせん型導波路を備え、前記らせん型導波路は、出力結合光が相互連結された腎神経叢枝を伴う前記腎動脈の前記一部分に出会うように、前記らせん型導波路の中心縦軸に向かって内向きに光を出力結合するように構成されている、項目２５３に記載の方法。
（項目２５９）
外部コントローラを使用して、前記埋込型コントローラと無線で通信することをさらに含む、項目２５２に記載の方法。
（項目２６０）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目２５２に記載の方法。
（項目２６１）
電流を搬送するように構成されている送達区画を用いて、前記埋込型光源を前記埋込型電力供給部およびコントローラに動作可能に連結することをさらに含む、項目２５２に記載の方法。
（項目２６２）
前記埋込型電力供給部を、前記埋込型電力供給部を再充電するように構成されている経皮的磁束源から磁束を受け取るように構成されている１つ以上の埋込型誘導コイルに連結することをさらに含む、項目２５２に記載の方法。
（項目２６３）
前記１つ以上の埋込型誘導コイルに隣接する皮膚の付近の充電位置に位置付けられるように構成されている経皮的磁束源を提供することをさらに含む、項目２６２に記載の方法。
（項目２６４）
前記経皮的磁束源を、前記患者が活動している間、前記充電位置で前記経皮的磁束源を保持するように構成されている搭載デバイスに連結することをさらに含む、項目２６３に記載の方法。
（項目２６５）
前記埋込型電力供給部および埋込型コントローラを共通埋込型筐体内に収納することをさらに含む、項目２６０に記載の方法。
（項目２６６）
前記光源は、発光ダイオードを備えている、項目２６０に記載の方法。
（項目２６７）
オプシンタンパク質をコードするように、前記感光性タンパク質を含む前記組織構造を遺伝子操作することをさらに含む、項目２６０に記載の方法。
（項目２６８）
前記オプシンタンパク質は、抑制性オプシンタンパク質である、項目２６７に記載の方法。
（項目２６９）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目２６８に記載の方法。
（項目２７０）
前記オプシンタンパク質は、促進性オプシンタンパク質である、項目２６７に記載の方法。
（項目２７１）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目２６８に記載の方法。
（項目２７２）
約０．１パーセント〜１００パーセントのデューティサイクルを使用して、パルス前記光源を起動させることをさらに含み、パルス持続時間は、約０．１ミリ秒〜約２０ミリ秒である、項目２６０に記載の方法。
（項目２７３）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目２６０に記載の方法。
（項目２７４）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目２５２に記載の方法。
（項目２７５）
前記送達区画は、導波路を備え、前記導波路は、全内部反射を介して前記導波路に通される実質的に全ての光を伝搬するように構成されている、項目２７４に記載の方法。
（項目２７６）
前記埋込型光源、埋込型電力供給部、および埋込型コントローラを共通埋込型筐体内に収納することをさらに含む、項目２７４に記載の方法。
（項目２７７）
前記埋込型光源は、発光ダイオードを備えている、項目２７４に記載の方法。
（項目２７８）
前記埋込型電力供給部を、前記埋込型電力供給部を再充電するように構成されている経皮的磁束源から磁束を受け取るように構成されている１つ以上の埋込型誘導コイルに連結することをさらに含む、項目２７４に記載の方法。
（項目２７９）
前記１つ以上の埋込型誘導コイルに隣接する皮膚の付近の充電位置に位置付けられるように構成されている経皮的磁束源を提供することをさらに含む、項目２７８に記載の方法。
（項目２８０）
前記経皮的磁束源を、前記患者が活動している間、前記充電位置で前記経皮的磁束源を保持するように構成されている搭載デバイスに連結することをさらに含む、項目２７９に記載の方法。
（項目２８１）
オプシンタンパク質をコードするように、前記感光性タンパク質を含む前記組織構造を遺伝子操作することをさらに含む、項目２７４に記載の方法。
（項目２８２）
前記オプシンタンパク質は、抑制性オプシンタンパク質である、項目２８１に記載の方法。
（項目２８３）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目２８２に記載の方法。
（項目２８４）
前記オプシンタンパク質は、促進性オプシンタンパク質である、項目２８１に記載の方法。
（項目２８５）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目２８２に記載の方法。
（項目２８６）
前記光源は、約０．１パーセント〜１００パーセントのデューティサイクルを使用してパルスにされ、パルス持続時間は、約０．１ミリ秒〜約２０ミリ秒である、項目２７４に記載の方法。
（項目２８７）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目２７４に記載の方法。
（項目２８８）
前記埋込型光学アプリケータを前記患者の腎盂の周囲に永久的に連結することをさらに含む、項目２５２に記載の方法。
（項目２８９）
前記埋込型光学アプリケータは、相互連結された腎神経叢枝を伴う前記腎盂の一部分を少なくとも部分的に円周方向に封入するように構成されているカフを備えている、項目２８８に記載の方法。
（項目２９０）
前記埋込型光学アプリケータは、相互連結された腎神経叢枝を伴う前記腎盂の一部分を少なくとも部分的に円周方向に封入するように巻かれ得るスラブ型アプリケータを備えている、項目２８８に記載の方法。
（項目２９１）
相互連結された腎神経叢枝との腎動脈の前記一部分の係合を向上させるように、前記スラブ型アプリケータを軸方向に巻くことをさらに含む、項目２９０に記載の方法。
（項目２９２）
相互連結された腎神経叢枝との腎動脈の前記一部分の係合を向上させるように、前記スラブ型アプリケータを縦方向に巻くことをさらに含む、項目２９０に記載の方法。
（項目２９３）
前記埋込型光学要素は、ウェブ様柔軟基板を備えている、項目２８８に記載の方法。
（項目２９４）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目２５２に記載の方法。
（項目２９５）
電流を搬送するように構成されている送達区画を用いて、前記埋込型光源を前記埋込型電力供給部およびコントローラに動作可能に連結することをさらに含む、項目２９４に記載の方法。
（項目２９６）
前記埋込型電力供給部を、前記埋込型電力供給部を再充電するように構成されている経皮的磁束源から磁束を受け取るように構成されている１つ以上の埋込型誘導コイルに連結することをさらに含む、項目２９４に記載の方法。
（項目２９７）
前記１つ以上の埋込型誘導コイルに隣接する皮膚の付近の充電位置に位置付けられるように構成されている経皮的磁束源を提供することをさらに含む、項目２９６に記載の方法。
（項目２９８）
前記経皮的磁束源を、前記患者が活動している間、前記充電位置で前記経皮的磁束源を保持するように構成されている搭載デバイスに連結することをさらに含む、項目２９７に記載の方法。
（項目２９９）
前記埋込型電力供給部および埋込型コントローラを共通埋込型筐体内に収納することをさらに含む、項目２９４に記載の方法。
（項目３００）
前記光源は、発光ダイオードを備えている、項目２９４に記載の方法。
（項目３０１）
オプシンタンパク質をコードするように、前記感光性タンパク質を含む前記組織構造を遺伝子操作することをさらに含む、項目２９４に記載の方法。
（項目３０２）
前記オプシンタンパク質は、抑制性オプシンタンパク質である、項目３０１に記載の方法。
（項目３０３）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３０２に記載の方法。
（項目３０４）
前記オプシンタンパク質は、促進性オプシンタンパク質である、項目３０１に記載の方法。
（項目３０５）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３０２に記載の方法。
（項目３０６）
前記光源は、約０．１パーセント〜１００パーセントのデューティサイクルを使用してパルスにされ、パルス持続時間は、約０．１ミリ秒〜約２０ミリ秒である、項目２９４に記載の方法。
（項目３０７）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目２９４に記載の方法。
（項目３０８）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目２５２に記載の方法。
（項目３０９）
前記送達区画は、導波路を備え、前記導波路は、全内部反射を介して前記導波路を通される実質的に全ての光を伝搬するように構成されている、項目３０８に記載の方法。
（項目３１０）
前記埋込型光源、埋込型電力供給部、および埋込型コントローラを共通埋込型筐体内に収納することをさらに含む、項目３０８に記載の方法。
（項目３１１）
前記埋込型光源は、発光ダイオードを備えている、項目３０８に記載の方法。
（項目３１２）
前記埋込型電力供給部を、前記埋込型電力供給部を再充電するように構成されている経皮的磁束源から磁束を受け取るように構成されている１つ以上の埋込型誘導コイルに連結することをさらに含む、項目３０８に記載の方法。
（項目３１３）
前記１つ以上の埋込型誘導コイルに隣接する皮膚の付近の充電位置に位置付けられるように構成されている経皮的磁束源を提供することをさらに含む、項目３１２に記載の方法。
（項目３１４）
前記経皮的磁束源を、前記患者が活動している間、前記充電位置で前記経皮的磁束源を保持するように構成されている搭載デバイスに連結することをさらに含む、項目３１３に記載の方法。
（項目３１５）
オプシンタンパク質をコードするように、前記感光性タンパク質を含む前記組織構造を遺伝子操作することをさらに含む、項目３０８に記載の方法。
（項目３１６）
前記オプシンタンパク質は、抑制性オプシンタンパク質である、項目３１５に記載の方法。
（項目３１７）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３１６に記載の方法。
（項目３１８）
前記オプシンタンパク質は、促進性オプシンタンパク質である、項目３１５に記載の方法。
（項目３１９）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３１６に記載の方法。
（項目３２０）
前記光源は、約０．１パーセント〜１００パーセントのデューティサイクルを使用してパルスにされ、パルス持続時間は、約０．１ミリ秒〜約２０ミリ秒である、項目３０８に記載の方法。
（項目３２１）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目３０８に記載の方法。
（項目３２２）
前記患者の尿道、膀胱、および尿管を通して、前記埋込型光学アプリケータを管腔内で送達し、それを前記患者の腎臓の前記腎盂の内側に埋め込むことをさらに含む、項目２５２に記載の方法。
（項目３２３）
前記埋込型光学アプリケータに連結されている拡張可能な連結デバイスを提供することをさらに含み、前記拡張可能な連結デバイスは、カテーテルを通して圧縮形態で前記腎盂に送達されるように構成され、その後、前記拡張可能な連結デバイスは、拡張形態に変換され、前記腎盂の内側を機械的に連結し得る、項目３２２に記載の方法。
（項目３２４）
前記拡張可能な連結デバイスは、ステントを備えている、項目３２３に記載の方法。
（項目３２５）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目３２２に記載の方法。
（項目３２６）
前記埋込型コントローラおよび埋込型電力供給部を尿路の境界の外側に位置付け、電流を前記埋込型光学アプリケータに搬送するように、前記患者の前記尿路の壁を横切って送達区画を経路指定することをさらに含む、項目３２５に記載の方法。
（項目３２７）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目３２２に記載の方法。
（項目３２８）
前記埋込型コントローラ、埋込型電力供給部、および埋込型光源を前記尿路の境界の外側に位置付け、光を前記埋込型光学アプリケータに搬送するように、前記患者の前記尿路の壁を横切って前記送達区画を経路指定することをさらに含む、項目３２７に記載の方法。
（項目３２９）
前記送達区画は、導波路を備え、前記導波路は、全内部反射を介して前記導波路を通される実質的に全ての光を伝搬するように構成されている、項目３２７に記載の方法。
（項目３３０）
前記埋込型光源、埋込型電力供給部、および埋込型コントローラを共通埋込型筐体内に収納することをさらに含む、項目３２７に記載の方法。
（項目３３１）
感光性タンパク質を含む患者の標的組織構造を照射するためのシステムであって、前記システムは、
前記標的組織構造に隣接する場所での埋め込み後に光を前記標的組織構造に送達するように構成されている埋込型光学アプリケータを備え、
前記埋込型光学アプリケータは、光源、コントローラ、電力供給部、および埋込型照度センサに動作可能に連結され、前記コントローラは、前記埋込型照度センサからの出力信号に少なくとも部分的に基づいて、前記電力供給部に、電流が前記光源へ流動することを可能にさせることにより、埋込型光アクチュエータへの光子の放出を引き起こし、
前記埋込型照度センサは、前記埋込型光アプリケータによって前記標的組織構造に向けられている前記光子の少なくとも一部分を捕捉するように位置付けられている、
システム。
（項目３３２）
埋込型入力センサをさらに備え、前記埋込型入力センサは、前記標的組織構造とのそのような光子の交差の前の、光子放出の位置での前記埋込型光学アプリケータの照度に関連する出力信号を生成するように構成されている、項目３３１に記載のシステム。
（項目３３３）
前記コントローラは、前記埋込型入力センサに動作可能に連結され、前記コントローラは、前記埋込型入力センサと前記埋込型照度センサとの両方からの前記出力信号を比較して、予期しない損失を受けているどうかを決定し得る、項目３３１に記載のシステム。
（項目３３４）
前記コントローラは、所定の閾値損失レベルを過ぎた損失レベルに反応するように構成されている、項目３３３に記載のシステム。
（項目３３５）
前記コントローラは、前記コントローラによって維持されているソフトウェアログファイルにおいて前記所定のレベルを過ぎた前記損失レベルの事象にフラグを付けることによって、反応するように構成されている、項目３３４に記載のシステム。
（項目３３６）
前記コントローラは、前記電力供給部に、電流が前記光源へ流動することを可能にさせることを停止するように構成されている、項目３３４に記載のシステム。
（項目３３７）
前記埋込型照度センサは、太陽電池、フォトダイオード、焦電センサ、フォトレジスタ、光伝導体、フォトトランジスタ、および光ガルバノセンサから成る群から選択される、項目３３１に記載のシステム。
（項目３３８）
前記埋込型入力センサは、太陽電池、フォトダイオード、焦電センサ、フォトレジスタ、光伝導体、フォトトランジスタ、および光ガルバノセンサから成る群から選択される、項目３３２に記載のシステム。
（項目３３９）
生理学的センサをさらに備え、前記生理学的センサは、前記標的組織構造への光の入力に少なくとも部分的に応答して可変であると考えられる生理学的パラメータに関連する出力信号を生成するように構成されている、項目３３２に記載のシステム。
（項目３４０）
前記生理学的センサは、筋電図センサ、神経電気記録図センサ、脳波図センサ、心電図センサ、圧力センサ、温度センサ、計量化学センサ、運動センサ、加速度計、ジャイロ、歪みセンサ、インピーダンスセンサ、および静電容量センサから成る群から選択される、項目３３９に記載のシステム。
（項目３４１）
前記コントローラは、ある所定の閾値を過ぎた前記生理学的センサの出力に反応するように構成されている、項目３３９に記載のシステム。
（項目３４２）
前記コントローラは、前記コントローラによって維持されているソフトウェアログファイルにおいて前記所定のレベルを過ぎた前記損失レベルの事象にフラグを付けることによって、反応するように構成されている、項目３４１に記載のシステム。
（項目３４３）
前記コントローラは、前記電力供給部に、電流が前記光源へ流動することを可能にさせることを停止するように構成されている、項目３４１に記載のシステム。
（項目３４４）
前記埋込型光学アプリケータは、前記標的組織構造の一部分を少なくとも部分的に円周方向に包囲するように構成されているカフを備えている、項目３３１に記載のシステム。
（項目３４５）
前記埋込型光学アプリケータは、前記標的組織構造の一部分を少なくとも部分的に円周方向に包囲するように巻かれ得るスラブ型アプリケータを備えている、項目３３１に記載のシステム。
（項目３４６）
前記スラブ型アプリケータは、前記標的組織構造の係合を向上させるように、軸方向に巻かれている、項目３４５に記載のシステム。
（項目３４７）
前記スラブ型アプリケータは、前記標的組織構造の係合を向上させるように、縦方向に巻かれている、項目３４５に記載のシステム。
（項目３４８）
前記埋込型光学アプリケータは、前記標的組織構造の前記一部分の周囲に位置付けられているらせん型導波路を備え、前記らせん型導波路は、出力結合光が前記標的組織構造に出会うように、前記らせん型導波路の中心縦軸に向かって内向きに光を出力結合するように構成されている、項目３３１に記載のシステム。
（項目３４９）
前記感光性タンパク質を含む前記組織構造は、オプシンタンパク質をコードするように遺伝子操作されている、項目３３１に記載のシステム。
（項目３５０）
前記オプシンタンパク質は、抑制性オプシンタンパク質である、項目３４９に記載のシステム。
（項目３５１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３５０に記載のシステム。
（項目３５２）
前記オプシンタンパク質は、促進性オプシンタンパク質である、項目３４９に記載のシステム。
（項目３５３）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３５０に記載のシステム。
（項目３５４）
前記光源は、約０．１パーセント〜１００パーセントのデューティサイクルを使用してパルスにされ、パルス持続時間は、約０．１ミリ秒〜約２０ミリ秒である、項目３３１に記載のシステム。
（項目３５５）
前記埋込型光源は、約５ミリワット／平方ミリメートル〜約２００ミリワット／平方ミリメートルの表面放射照度で光子を前記少なくとも１つの組織構造に向けるように前記埋込型光学アプリケータを使用するために、動作させられる、項目３３１に記載のシステム。
（項目３５６）
感光性タンパク質を含む患者の標的組織構造を照射する方法であって、
ａ．前記標的組織構造に隣接する場所での埋め込み後に光を前記標的組織構造に送達するように構成されている埋込型光学アプリケータを提供することと、
ｂ．前記埋込型光学アプリケータを光源、コントローラ、電力供給部、および埋込型照度センサに動作可能に連結することと
を含み、
前記コントローラは、前記埋込型照度センサからの出力信号に少なくとも部分的に基づいて、前記電力供給部に、電流が前記光源へ流動することを可能にさせ、埋込型光アクチュエータへの光子の放出を引き起こし、前記埋込型照度センサは、前記埋込型光アプリケータによって前記標的組織構造に向けられている前記光子の少なくとも一部分を捕捉するように位置付けられている、方法。
（項目３５７）
埋込型入力センサを提供することをさらに含み、前記埋込型入力センサは、前記標的組織構造とのそのような光子の交差の前の、光子放出の位置での前記埋込型光学アプリケータの照度に関連する出力信号を生成するように構成されている、項目３５６に記載の方法。
（項目３５８）
前記コントローラを前記埋込型入力センサに動作可能に連結することをさらに含み、前記コントローラは、前記埋込型入力センサと前記埋込型照度センサとの両方からの前記出力信号を比較して、予期しない損失を受けているどうかを決定し得る、項目３５６に記載の方法。
（項目３５９）
所定の閾値損失レベルを過ぎた損失レベルに反応するように前記コントローラを構成することをさらに含む、項目３５８に記載の方法。
（項目３６０）
前記コントローラによって維持されているソフトウェアログファイルにおいて前記所定のレベルを過ぎた前記損失レベルの事象にフラグを付けることによって反応するように前記コントローラを構成することをさらに含む、項目３５９に記載の方法。
（項目３６１）
前記電力供給部に、電流が前記光源へ流動することを可能にさせることを停止するように前記コントローラを構成することをさらに含む、項目３５９に記載の方法。
（項目３６２）
前記埋込型照度センサは、太陽電池、フォトダイオード、焦電センサ、フォトレジスタ、光伝導体、フォトトランジスタ、および光ガルバノセンサから成る群から選択される、項目３５６に記載の方法。
（項目３６３）
前記埋込型入力センサは、太陽電池、フォトダイオード、焦電センサ、フォトレジスタ、光伝導体、フォトトランジスタ、および光ガルバノセンサから成る群から選択される、項目３５７に記載の方法。
（項目３６４）
前記標的組織構造への光の入力に少なくとも部分的に応答して可変であると考えられる生理学的パラメータに関連する出力信号を生成するように構成されている生理学的センサを提供することをさらに含む、項目３５７に記載の方法。
（項目３６５）
前記生理学的センサは、筋電図センサ、神経電気記録図センサ、脳波図センサ、心電図センサ、圧力センサ、温度センサ、計量化学センサ、運動センサ、加速度計、ジャイロ、歪みセンサ、インピーダンスセンサ、および静電容量センサから成る群から選択される、項目３６４に記載の方法。
（項目３６６）
ある所定の閾値を過ぎた前記生理学的センサの出力に反応するように前記コントローラを構成することをさらに含む、項目３６４に記載の方法。
（項目３６７）
前記コントローラによって維持されているソフトウェアログファイルにおいて前記所定のレベルを過ぎた前記損失レベルの事象にフラグを付けることによって反応するように前記コントローラを構成することをさらに含む、項目３６６に記載の方法。
（項目３６８）
前記電力供給部に、電流が前記光源へ流動することを可能にさせることを停止するように前記コントローラを構成することをさらに含む、項目３６６に記載の方法。
（項目３６９）
前記埋込型光学アプリケータは、前記標的組織構造の一部分を少なくとも部分的に円周方向に包囲するように構成されているカフを備えている、項目３５６に記載の方法。
（項目３７０）
前記埋込型光学アプリケータは、前記標的組織構造の一部分を少なくとも部分的に円周方向に包囲するように巻かれ得るスラブ型アプリケータを備えている、項目３５６に記載の方法。
（項目３７１）
前記標的組織構造の係合を向上させるように、前記スラブ型アプリケータを軸方向に巻くことをさらに含む、項目３７０に記載の方法。
（項目３７２）
前記標的組織構造の係合を向上させるように、前記スラブ型アプリケータを縦方向に巻くことをさらに含む、項目３７０に記載の方法。
（項目３７３）
前記埋込型光学アプリケータは、前記標的組織構造の前記一部分の周囲に位置付けられているらせん型導波路を備え、前記らせん型導波路は、出力結合光が前記標的組織構造に出会うように、前記らせん型導波路の中心縦軸に向かって内向きに光を出力結合するように構成されている、項目３５６に記載の方法。
（項目３７４）
オプシンタンパク質をコードするように、前記感光性タンパク質を含む前記組織構造を遺伝子操作することをさらに含む、項目３５６に記載の方法。
（項目３７５）
前記オプシンタンパク質は、抑制性オプシンタンパク質である、項目３７４に記載の方法。
（項目３７６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３７５に記載の方法。
（項目３７７）
前記オプシンタンパク質は、促進性オプシンタンパク質である、項目３７４に記載の方法。
（項目３７８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３７５に記載の方法。
（項目３７９）
約０．１ミリ秒〜約２０ミリ秒のパルス持続時間で前記光源をパルスにし、約０．１パーセント〜１００パーセントのデューティサイクルを使用することをさらに含む、項目３５６に記載の方法。
（項目３８０）
約５ミリワット／平方ミリメートル〜約２００ミリワット／平方ミリメートルの表面放射照度で光子を前記少なくとも１つの組織構造に向けるように前記埋込型光学アプリケータを使用するために、前記光源を動作させることをさらに含む、項目３５６に記載の方法。
（項目３８１）
感光性タンパク質を含む標的神経において有向活動電位を生成するためのシステムであって、前記システムは、患者の脊髄に連結され、
ａ．前記標的神経を係合し、光を前記標的神経に送達するように構成されている埋込型光学アプリケータであって、前記埋込型光学アプリケータは、光子を前記埋込型光学アプリケータに送達するように構成されている光源に動作可能に連結され、前記光子は、前記埋込型光学アプリケータによって前記標的神経の中へ放出され、前記標的神経において膜分極変化を引き起こし得る、埋込型光学アプリケータと、
ｂ．前記標的神経を係合するように構成されている埋込型電気刺激アプリケータであって、前記埋込型電気刺激アプリケータは、電子を前記埋込型電気刺激アプリケータに送達するように構成されている電源に動作可能に連結され、前記電子は、前記埋込型電気刺激アプリケータによって前記標的神経の中へ放出され、前記標的神経において膜分極変化を引き起こし得る、埋込型電気刺激アプリケータと、
ｃ．前記光源および前記電源に動作可能に連結されているコントローラと
を備え、
前記コントローラは、前記神経に沿って第１の所望の方向に伝搬し、前記神経に沿って逆方向に実質的に伝搬しない活動電位が生成されるように、電流が前記埋込型電気刺激アプリケータへ流動するとともに、光子が前記埋込型光学アプリケータに向けられることを引き起こすように構成されている、システム。
（項目３８２）
前記埋込型光学アプリケータと埋込型電気アプリケータとは、前記埋込型光学アプリケータが前記埋込型電気アプリケータより前記脊髄に近く位置付けられた状態で、前記神経に直列に連結されている、項目３８１に記載のシステム。
（項目３８３）
前記神経は、オプシンタンパク質をコードするように遺伝子操作されている、項目３８２に記載のシステム。
（項目３８４）
前記オプシンタンパク質は、抑制性オプシンタンパク質である、項目３８３に記載のシステム。
（項目３８５）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３８４に記載のシステム。
（項目３８６）
前記オプシンタンパク質は、促進性オプシンタンパク質である、項目３８３に記載のシステム。
（項目３８７）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３８４に記載のシステム。
（項目３８８）
前記コントローラは、前記光源に前記脊髄に向けられる活動電位を生成させる一方で、さらに、前記電源に前記埋込型電気アプリケータを過剰刺激させることにより前記脊髄から離れる反対方向への活動電位の抑制を引き起こすように構成されている、項目３８７に記載のシステム。
（項目３８９）
前記コントローラは、前記光源に前記脊髄の方への過剰刺激ブロックを生成させる一方で、さらに、前記電源に前記埋込型電気アプリケータを刺激させることにより、前記脊髄から離れる反対方向への活動電位を生成するように構成されている、項目３８７に記載のシステム。
（項目３９０）
前記コントローラは、前記光源に前記脊髄の方への活動電位を抑制させる一方で、さらに、前記電源に前記埋込型電気アプリケータを刺激させることにより、前記脊髄から離れる反対方向に向けられる活動電位を生成するように構成されている、項目３８４に記載のシステム。
（項目３９１）
前記埋込型光学アプリケータと埋込型電気アプリケータとは、前記埋込型電気アプリケータが前記埋込型光学アプリケータより前記脊髄に近く位置付けられた状態で、前記神経に直列に連結されている、項目３８１に記載のシステム。
（項目３９２）
前記神経は、オプシンタンパク質をコードするように遺伝子操作されている、項目３９１に記載のシステム。
（項目３９３）
前記オプシンタンパク質は、抑制性オプシンタンパク質である、項目３９２に記載のシステム。
（項目３９４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目３９３に記載のシステム。
（項目３９５）
前記オプシンタンパク質は、促進性オプシンタンパク質である、項目３９２に記載のシステム。
（項目３９６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目３９３に記載のシステム。
（項目３９７）
前記コントローラは、前記光源に前記脊髄から離れる方に向けられる活動電位を生成させる一方で、さらに、前記電源に前記埋込型電気アプリケータを過剰刺激させることにより、前記脊髄に向かう反対方向への活動電位の抑制を引き起こすように構成されている、項目３９６に記載のシステム。
（項目３９８）
前記コントローラは、前記光源に前記脊髄から離れる方への過剰刺激ブロックを生成させる一方で、さらに、前記電源に前記埋込型電気アプリケータを刺激させることにより、前記脊髄に向かう反対方向に向けられる活動電位を生成するように構成されている、項目３９６に記載のシステム。
（項目３９９）
前記コントローラは、前記光源に前記脊髄から離れる方への活動電位を抑制させる一方で、さらに、前記電源に前記埋込型電気アプリケータを刺激させることにより、前記脊髄に向かう反対方向に向けられる活動電位を生成するように構成されている、項目３９３に記載のシステム。
（項目４００）
感光性タンパク質を含む標的神経において有向活動電位を生成する方法であって、
ａ．前記標的神経を係合し、光を前記標的神経に送達するように構成されている埋込型光学アプリケータを提供することでであって、前記埋込型光学アプリケータは、光子を前記埋込型光学アプリケータに送達するように構成されている光源に動作可能に連結され、前記光子は、前記埋込型光学アプリケータによって前記標的神経の中へ放出され、前記標的神経において膜分極変化を引き起こし得る、ことと、
ｂ．前記標的神経を係合するように構成されている埋込型電気刺激アプリケータを提供することであって、前記埋込型電気刺激アプリケータは、電子を前記埋込型電気刺激アプリケータに送達するように構成されている電源に動作可能に連結され、前記電子は、前記埋込型電気刺激アプリケータによって前記標的神経の中へ放出され、前記標的神経において膜分極変化を引き起こし得る、ことと、
ｃ．コントローラを前記光源および前記電源に動作可能に連結することと
を含み、
前記コントローラは、前記神経に沿って第１の所望の方向に伝搬し、前記神経に沿って逆方向に実質的に伝搬しない活動電位が生成されるように、電流が前記埋込型電気刺激アプリケータへ流動するとともに、光子が前記埋込型光学アプリケータに向けられるように構成されている、方法。
（項目４０１）
前記埋込型光学アプリケータが前記埋込型電気アプリケータより前記脊髄に近く位置付けられた状態で、前記埋込型光学アプリケータおよび埋込型電気アプリケータを前記神経に直列に連結することをさらに含む、項目４００に記載の方法。
（項目４０２）
オプシンタンパク質をコードするように前記神経を遺伝子操作することをさらに含む、項目４０１に記載の方法。
（項目４０３）
前記オプシンタンパク質は、抑制性オプシンタンパク質である、項目４０２に記載の方法。
（項目４０４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４０３に記載の方法。
（項目４０５）
前記オプシンタンパク質は、促進性オプシンタンパク質である、項目４０２に記載の方法。
（項目４０６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４０３に記載の方法。
（項目４０７）
前記光源に前記脊髄に向けられる活動電位を生成させる一方で、さらに、前記電源に前記埋込型電気アプリケータを過剰刺激させることにより、前記脊髄から離れる反対方向への活動電位の抑制を引き起こすように前記コントローラを構成することをさらに含む、項目４０６に記載の方法。
（項目４０８）
前記光源に前記脊髄の方への過剰刺激ブロックを生成させる一方で、さらに、前記電源に前記埋込型電気アプリケータを刺激させることにより、前記脊髄から離れる反対方向に向けられる活動電位を生成するように前記コントローラを構成することをさらに含む、項目４０６に記載の方法。
（項目４０９）
前記光源に前記脊髄の方への活動電位を抑制させる一方で、さらに、前記電源に前記埋込型電気アプリケータを刺激させることにより、前記脊髄から離れる反対方向に向けられる活動電位を生成するように前記コントローラを構成することをさらに含む、項目４０３に記載の方法。
（項目４１０）
前記埋込型電気アプリケータが前記埋込型光学アプリケータより前記脊髄に近く位置付けられた状態で、前記埋込型光学アプリケータおよび埋込型電気アプリケータを前記神経に直列に連結することをさらに含む、項目４００に記載の方法。
（項目４１１）
オプシンタンパク質をコードするように前記神経を遺伝子操作することをさらに含む、項目４１０に記載の方法。
（項目４１２）
前記オプシンタンパク質は、抑制性オプシンタンパク質である、項目４１１に記載の方法。
（項目４１３）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４１２に記載の方法。
（項目４１４）
前記オプシンタンパク質は、促進性オプシンタンパク質である、項目４１１に記載の方法。
（項目４１５）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４１２に記載の方法。
（項目４１６）
前記光源に前記脊髄から離れる方に向けられる活動電位を生成させる一方で、さらに、前記電源に前記埋込型電気アプリケータを過剰刺激させることにより、前記脊髄に向かう反対方向への活動電位の抑制を引き起こすように前記コントローラを構成することをさらに含む、項目４１５に記載の方法。
（項目４１７）
前記光源に前記脊髄から離れる方への過剰刺激ブロックを生成させる一方で、さらに、前記電源に前記埋込型電気アプリケータを刺激させることにより、前記脊髄に向かう反対方向に向けられる活動電位を生成するように前記コントローラを構成することをさらに含む、項目４１５に記載の方法。
（項目４１８）
前記光源に前記脊髄から離れる方への活動電位を抑制させる一方で、さらに、前記電源に前記埋込型電気アプリケータを刺激させることにより、前記脊髄に向かう反対方向に向けられる活動電位を生成するように前記コントローラを構成することをさらに含む、項目４１２に記載の方法。
（項目４１９）
感光性タンパク質を含む標的神経において有向活動電位を生成するためのシステムであって、前記システムは、患者の脊髄に連結され、
ａ．前記標的神経を係合し、光を前記標的神経に送達するように構成されている第１の埋込型光学アプリケータであって、前記第１の埋込型光学アプリケータは、光子を前記第１の埋込型光学アプリケータに送達するように構成されている第１の光源に動作可能に連結され、前記光子は、前記第１の埋込型光学アプリケータによって前記標的神経の中へ放出され、前記標的神経において膜分極変化を引き起こし得る、第１の埋込型光学アプリケータと、
ｂ．前記標的神経を係合し、光を前記標的神経に送達するように構成されている第２の埋込型光学アプリケータであって、前記第２の埋込型光学アプリケータは、光子を前記第２の埋込型光学アプリケータに送達するように構成されている第２の光源に動作可能に連結され、前記光子は、前記第２の埋込型光学アプリケータによって前記標的神経の中へ放出され、前記標的神経において膜分極変化を引き起こし得る、第２の埋込型光学アプリケータと、
ｃ．前記第１の光源および前記第２の光源に動作可能に連結されているコントローラと
を備え、
前記コントローラは、前記神経に沿って第１の所望の方向に伝搬し、前記神経に沿って逆方向に実質的に伝搬しない活動電位が生成されるように、光子を前記第１および第２の埋込型光学アプリケータの各々に向けるように構成されている、システム。
（項目４２０）
前記第１の埋込型光学アプリケータおよび第２の埋込型光学アプリケータは、前記第１の埋込型光学アプリケータが前記第２の埋込型光学アプリケータより前記脊髄に近く位置付けられた状態で、前記神経に直列に連結されている、項目４１９に記載のシステム。
（項目４２１）
前記神経は、オプシンタンパク質をコードするように遺伝子操作されている、項目４２０に記載のシステム。
（項目４２２）
前記オプシンタンパク質は、抑制性オプシンタンパク質である、項目４２１に記載のシステム。
（項目４２３）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４２２に記載のシステム。
（項目４２４）
前記オプシンタンパク質は、促進性オプシンタンパク質である、項目４２１に記載のシステム。
（項目４２５）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４２２に記載のシステム。
（項目４２６）
前記コントローラは、前記第２の光源に、前記第２の埋込型光学アプリケータを用いて前記脊髄から離れる方への過剰刺激ブロックを生成させる一方で、さらに、前記第１の光源に、前記第１の埋込型光学アプリケータを用いて前記脊髄に向かう反対方向に向けられる活動電位を生成させるように構成されている、項目４２５に記載のシステム［促進性オプシン−抑制効果へのオーバーライド］。
（項目４２７）
前記コントローラは、前記第１の光源に、前記第１の埋込型光学アプリケータを用いて前記脊髄の方への過剰刺激ブロックを生成させる一方で、さらに、前記第２の光源に、前記第２の埋込型光学アプリケータを用いて前記脊髄から離れる反対方向に向けられる活動電位を生成させるように構成されている、項目４２５に記載のシステム。
（項目４２８）
前記神経は、促進性オプシンタンパク質である第２のオプシンタンパク質をコードするようにさらに遺伝子操作されている、項目４２２に記載のシステム。
（項目４２９）
前記コントローラは、前記第１の光源に、前記促進性オプシンタンパク質を活性化するように選択される波長を有する光を用いて刺激することによって、前記脊髄に向けられる活動電位を生成させるように構成され、前記コントローラは、前記第２の光源に、前記抑制性オプシンタンパク質を活性化するように選択される波長を有する光を用いて刺激することによって、前記脊髄から離れる方向への活動電位を抑制させるように構成されている、項目４２８に記載のシステム。
（項目４３０）
前記コントローラは、前記第２の光源に、前記促進性オプシンタンパク質を活性化するように選択される波長を有する光を用いて刺激することによって、前記脊髄から離れる方に向けられる活動電位を生成させるように構成され、前記コントローラは、前記第１の光源に、前記抑制性オプシンタンパク質を活性化するように選択される波長を有する光を用いて刺激することによって、前記脊髄に向かう方向への活動電位を抑制させるように構成されている、項目４２８に記載のシステム。
（項目４３１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４２８に記載のシステム。
（項目４３２）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４２８に記載のシステム。
（項目４３３）
前記埋込型光学アプリケータと埋込型電気アプリケータとは、前記埋込型電気アプリケータが前記埋込型光学アプリケータより前記脊髄に近く位置付けられた状態で、前記神経に直列に連結されている、項目４１９に記載のシステム。
（項目４３４）
前記神経は、オプシンタンパク質をコードするように遺伝子操作されている、項目４３３に記載のシステム。
（項目４３５）
前記オプシンタンパク質は、抑制性オプシンタンパク質である、項目４３４に記載のシステム。
（項目４３６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４３５に記載のシステム。
（項目４３７）
前記オプシンタンパク質は、促進性オプシンタンパク質である、項目４３４に記載のシステム。
（項目４３８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４３５に記載のシステム。
（項目４３９）
前記コントローラは、前記光源に前記脊髄から離れる方に向けられる活動電位を生成させる一方で、さらに、前記電源に前記埋込型電気アプリケータを過剰刺激させることにより、前記脊髄に向かう反対方向への活動電位の抑制を引き起こすように構成されている、項目４３８に記載のシステム。
（項目４４０）
前記コントローラは、前記光源に前記脊髄から離れる方への過剰刺激ブロックを生成させる一方で、さらに、前記電源に前記埋込型電気アプリケータを刺激させることにより、前記脊髄に向かう反対方向に向けられる活動電位を生成するように構成されている、項目４３８に記載のシステム。
（項目４４１）
前記コントローラは、前記脊髄に向かう反対方向に向けられる活動電位を生成するように、前記電源に前記埋込型電気アプリケータを刺激させながら、前記光源に前記脊髄から離れる方への活動電位を抑制させるように構成されている、項目４３５に記載のシステム。
（項目４４２）
感光性タンパク質を含む標的神経において有向活動電位を生成する方法であって、
ａ．前記標的神経を係合し、光を前記標的神経に送達するように構成されている第１の埋込型光学アプリケータを提供することであって、前記第１の埋込型光学アプリケータは、光子を前記第１の埋込型光学アプリケータに送達するように構成されている第１の光源に動作可能に連結され、前記光子は、前記第１の埋込型光学アプリケータによって前記標的神経の中へ放出され、前記標的神経において膜分極変化を引き起こし得る、ことと、
ｂ．前記標的神経を係合し、光を前記標的神経に送達するように構成されている第２の埋込型光学アプリケータを提供することであって、前記第２の埋込型光学アプリケータは、光子を前記第２の埋込型光学アプリケータに送達するように構成されている第２の光源に動作可能に連結され、前記光子は、前記第２の埋込型光学アプリケータによって前記標的神経の中へ放出され、前記標的神経において膜分極変化を引き起こし得る、ことと、
ｃ．コントローラを前記第１の光源および前記第２の光源に動作可能に連結することと
を含み、
前記コントローラは、前記神経に沿って第１の所望の方向に伝搬し、前記神経に沿って逆方向に実質的に伝搬しない活動電位が生成されるように、光子を前記第１および第２の埋込型光学アプリケータの各々に向けるように構成されている、方法。
（項目４４３）
前記第１の埋込型光学アプリケータが前記第２の埋込型光学アプリケータより前記脊髄に近く位置付けられた状態で、前記第１の埋込型光学アプリケータおよび第２の埋込型光学アプリケータを前記神経に直列に連結することをさらに含む、項目４４２に記載の方法。
（項目４４４）
オプシンタンパク質をコードするように前記神経を遺伝子操作することをさらに含む、項目４４３に記載の方法。
（項目４４５）
前記オプシンタンパク質は、抑制性オプシンタンパク質である、項目４４４に記載の方法。
（項目４４６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４４５に記載の方法。
（項目４４７）
前記オプシンタンパク質は、促進性オプシンタンパク質である、項目４４４に記載の方法。
（項目４４８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４４５に記載の方法。
（項目４４９）
前記第２の光源に、前記第２の埋込型光学アプリケータを用いて、前記脊髄から離れる方への過剰刺激ブロックを生成させる一方で、さらに、前記第１の光源に、前記第１の埋込型光学アプリケータを用いて、前記脊髄に向かう反対方向に向けられる活動電位を生成させるように前記コントローラを構成することをさらに含む、項目４４８に記載の方法。
（項目４５０）
前記第１の光源に、前記第１の埋込型光学アプリケータを用いて、前記脊髄の方への過剰刺激ブロックを生成させる一方で、さらに、前記第２の光源に、前記第２の埋込型光学アプリケータを用いて、前記脊髄から離れる反対方向に向けられる活動電位を生成させるように前記コントローラを構成することをさらに含む、項目４４８に記載の方法。
（項目４５１）
促進性オプシンタンパク質である第２のオプシンタンパク質をコードするように、前記神経を遺伝子操作することをさらに含む、項目４４５に記載の方法。
（項目４５２）
前記第１の光源に、前記促進性オプシンタンパク質を活性化するように選択される波長を有する光を用いて刺激することによって、前記脊髄に向けられる活動電位を生成させるように前記コントローラを構成することをさらに含み、前記コントローラは、前記第２の光源に、前記抑制性オプシンタンパク質を活性化するように選択される波長を有する光を用いて刺激することによって、前記脊髄から離れる方向への活動電位を抑制させるように構成されている、項目４５１に記載の方法。
（項目４５３）
前記第２の光源に、前記促進性オプシンタンパク質を活性化するように選択される波長を有する光を用いて刺激することによって、前記脊髄から離れる方に向けられる活動電位を生成させるように前記コントローラを構成することをさらに含み、前記コントローラは、前記第１の光源に、前記抑制性オプシンタンパク質を活性化するように選択される波長を有する光を用いて刺激することによって、前記脊髄に向かう方向への活動電位を抑制させるように構成されている、項目４５１に記載の方法。
（項目４５４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４５１に記載の方法。
（項目４５５）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４５１に記載の方法。
（項目４５６）
前記埋込型電気アプリケータが前記埋込型光学アプリケータより前記脊髄に近く位置付けられた状態で、前記埋込型光学アプリケータおよび埋込型電気アプリケータを前記神経に直列に連結することをさらに含む、項目４４２に記載の方法。
（項目４５７）
オプシンタンパク質をコードするように前記神経を遺伝子操作することをさらに含む、項目４５６に記載の方法。
（項目４５８）
前記オプシンタンパク質は、抑制性オプシンタンパク質である、項目４５７に記載の方法。
（項目４５９）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４５８に記載の方法。
（項目４６０）
前記オプシンタンパク質は、促進性オプシンタンパク質である、項目４５７に記載の方法。
（項目４６１）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４５８に記載の方法。
（項目４６２）
前記光源に前記脊髄から離れる方に向けられる活動電位を生成させる一方で、さらに、前記電源に前記埋込型電気アプリケータを過剰刺激させることにより、前記脊髄に向かう反対方向への活動電位の抑制を引き起こすように前記コントローラを構成することをさらに含む、項目４６１に記載の方法。
（項目４６３）
前記光源に前記脊髄から離れる方への過剰刺激ブロックを生成させる一方で、さらに、前記電源に前記埋込型電気アプリケータを刺激させることにより、前記脊髄に向かう反対方向に向けられる活動電位を生成するように前記コントローラを構成することをさらに含む、項目４６１に記載の方法。
（項目４６４）
前記光源に前記脊髄から離れる方への活動電位を抑制させる一方で、さらに、前記電源に前記埋込型電気アプリケータを刺激させることにより、前記脊髄に向かう反対方向に向けられる活動電位を生成するように前記コントローラを構成することをさらに含む、項目４５８に記載の方法。
（項目４６５）
感光性タンパク質を含む標的組織構造を刺激するためのシステムを設置する方法であって、
ａ．前記標的組織構造の少なくとも一部分、埋込型光源、埋込型電力供給部、埋込型コントローラに永久的に動作可能に連結されるように構成されている埋込型光学アプリケータを提供することであって、前記埋込型光学アプリケータ、埋込型光源、埋込型電力供給部、および埋込型コントローラは、事前連結および密封構成で提供され、共通外科的アクセスポートを通して一緒に設置されるように設計されている、ことと、
ｂ．前記埋込型電力供給部および埋込型コントローラが埋め込まれるべき第１の解剖学的場所への前記共通外科的アクセスポートを生成することと、
ｃ．挿入経路のためのさらなる外科的アクセスを生成することなく、第２の解剖学的場所への前記挿入経路に沿って細長い送達導管を挿入することであって、前記細長い送達導管は、それを通る作業管腔を画定し、前記第２の解剖学的場所は、前記標的組織構造に隣接している、ことと、
ｄ．前記埋込型光学アプリケータを通して送達される光子の少なくとも一部分が前記標的組織構造に到達するように、前記標的組織構造の少なくとも一部分に動作可能に連結されている前記第２の解剖学的場所に前記埋込型光学アプリケータを埋め込むために、前記細長い送達導管を通して前記埋込型光学アプリケータを挿入することと
を含む、方法。
（項目４６６）
前記埋込型光学アプリケータは、カフアプリケータ、スラブ型アプリケータ、およびらせん型アプリケータから成る群から選択される、項目４６５に記載の方法。
（項目４６７）
外部コントローラを使用して、前記埋込型コントローラと無線で通信することをさらに含む、項目４６５に記載の方法。
（項目４６８）
前記埋込型光源を前記埋込型光学アプリケータに直接連結し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目４６５に記載の方法。
（項目４６９）
前記第２の解剖学的場所における前記埋込型光学アプリケータに直接連結されている埋込位置に前記埋込型光源を埋め込むために、前記細長い送達導管を通して前記埋込型光源を挿入することをさらに含む、項目４６８に記載の方法。
（項目４７０）
前記共通アクセスポートから前記細長い送達導管を除去することをさらに含む、項目４６９に記載の方法。
（項目４７１）
前記細長い送達導管の長さに沿ったスリットを露出することによって、前記細長い送達導管の前記管腔から前記送達区画を除去することをさらに含み、前記スリットは、前記作業管腔に達し、前記細長い送達導管の側面を通して前記作業管腔から前記細長い送達区画の除去を可能にするように構成されている、項目４７０に記載の方法。
（項目４７２）
前記細長い送達導管は、カニューレである、項目４６５に記載の方法。
（項目４７３）
前記細長い送達導管は、カテーテルである、項目４６５に記載の方法。
（項目４７４）
前記カテーテルは、操縦可能なカテーテルである、項目４７３に記載の方法。
（項目４７５）
前記操縦可能なカテーテルは、ロボットで操縦可能なカテーテルであり、電気機械要素に動作可能に連結されている電子マスタ入力デバイスを用いてオペレータによって作成されるコマンドに応答して、前記細長い送達導管の中への操縦を前記電気機械要素に誘発させるように構成されている、項目４７４に記載の方法。
（項目４７６）
電流を搬送するように構成されている送達区画を用いて、前記埋込型光源を前記埋込型電力供給部およびコントローラに動作可能に連結することをさらに含む、項目４６８に記載の方法。
（項目４７７）
前記埋込型電力供給部を、前記埋込型電力供給部を再充電するように構成されている経皮的磁束源から磁束を受け取るように構成されている１つ以上の埋込型誘導コイルに連結することをさらに含む、項目４６８に記載の方法。
（項目４７８）
前記１つ以上の埋込型誘導コイルに隣接する皮膚の付近の充電位置に位置付けられるように構成されている経皮的磁束源を提供することをさらに含む、項目４７７に記載の方法。
（項目４７９）
前記経皮的磁束源を、前記患者が活動している間、前記充電位置で前記経皮的磁束源を保持するように構成されている搭載デバイスに連結することをさらに含む、項目４７８に記載の方法。
（項目４８０）
前記埋込型電力供給部および埋込型コントローラを共通埋込型筐体内に収納することをさらに含む、項目４６８に記載の方法。
（項目４８１）
前記光源は、発光ダイオードを備えている、項目４６８に記載の方法。
（項目４８２）
オプシンタンパク質をコードするように、前記感光性タンパク質を含む前記組織構造を遺伝子操作することをさらに含む、項目４６８に記載の方法。
（項目４８３）
前記オプシンタンパク質は、抑制性オプシンタンパク質である、項目４８２に記載の方法。
（項目４８４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目４８３に記載の方法。
（項目４８５）
前記オプシンタンパク質は、促進性オプシンタンパク質である、項目４８２に記載の方法。
（項目４８６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目４８３に記載の方法。
（項目４８７）
約０．１パーセント〜１００パーセントのデューティサイクルを使用して、パルス前記光源を起動させることをさらに含み、パルス持続時間は、約０．１ミリ秒〜約２０ミリ秒である、項目４６８に記載の方法。
（項目４８８）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目４６８に記載の方法。
（項目４８９）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目４６５に記載の方法。
（項目４９０）
前記埋込型光源は、前記第１の解剖学的場所に埋め込まれる、項目４８９に記載の方法。
（項目４９１）
前記共通アクセスポートから前記細長い送達導管を除去することをさらに含む、項目４８９に記載の方法。
（項目４９２）
前記細長い送達導管の長さに沿ったスリットを露出することによって、前記細長い送達導管の前記管腔から前記送達区画を除去することをさらに含み、前記スリットは、前記作業管腔に達し、前記細長い送達導管の側面を通して前記作業管腔から前記細長い送達区画の除去を可能にするように構成されている、項目４９１に記載の方法。
（項目４９３）
前記送達区画は、導波路を備え、前記導波路は、全内部反射を介して前記導波路に通される実質的に全ての光を伝搬するように構成されている、項目４８９に記載の方法。
（項目４９４）
前記埋込型光源、埋込型電力供給部、および埋込型コントローラを共通埋込型筐体内に収納することをさらに含む、項目４８９に記載の方法。
（項目４９５）
前記埋込型光源は、発光ダイオードを備えている、項目４８９に記載の方法。
（項目４９６）
前記埋込型電力供給部を、前記埋込型電力供給部を再充電するように構成されている経皮的磁束源から磁束を受け取るように構成されている１つ以上の埋込型誘導コイルに連結することをさらに含む、項目４８９に記載の方法。
（項目４９７）
前記１つ以上の埋込型誘導コイルに隣接する皮膚の付近の充電位置に位置付けられるように構成されている経皮的磁束源を提供することをさらに含む、項目４９６に記載の方法。
（項目４９８）
前記経皮的磁束源を、前記患者が活動している間、前記充電位置で前記経皮的磁束源を保持するように構成されている搭載デバイスに連結することをさらに含む、項目４９７に記載の方法。
（項目４９９）
オプシンタンパク質をコードするように、前記感光性タンパク質を含む前記組織構造を遺伝子操作することをさらに含む、項目４８９に記載の方法。
（項目５００）
前記オプシンタンパク質は、抑制性オプシンタンパク質である、項目４９９に記載の方法。
（項目５０１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５０１に記載の方法。
（項目５０２）
前記オプシンタンパク質は、促進性オプシンタンパク質である、項目４９９に記載の方法。
（項目５０３）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５０２に記載の方法。
（項目５０４）
前記光源は、約０．１パーセント〜１００パーセントのデューティサイクルを使用してパルスにされ、パルス持続時間は、約０．１ミリ秒〜約２０ミリ秒である、項目４８９に記載の方法。
（項目５０５）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目４８９に記載の方法。
（項目５０６）
感光性タンパク質を含む標的組織構造を刺激するためのシステムを設置する方法であって、
ａ．前記標的組織構造の少なくとも一部分、埋込型光源、埋込型電力供給部、埋込型コントローラに永久的に動作可能に連結されるように構成されている埋込型光学アプリケータを提供することと、
ｂ．前記埋込型電力供給部および埋込型コントローラが埋め込まれるべき第１の解剖学的場所への共通外科的アクセスポートを生成することと、
ｃ．挿入経路のためのさらなる外科的アクセスを生成することなく、第２の解剖学的場所への前記挿入経路に沿って細長い送達導管を挿入することであって、前記細長い送達導管は、それを通る作業管腔を画定し、前記第２の解剖学的場所は、前記標的組織構造に隣接している、ことと、
ｄ．前記第２の解剖学的場所への第２の外科的アクセスポートを生成することと、
ｅ．前記第２の外科的アクセスポートを通して前記第２の解剖学的場所に前記埋込型光学アプリケータを埋め込むことと、
ｆ．前記共通アクセスポートを通して前記第１の解剖学的場所に前記埋込型電力供給部および埋込型コントローラを埋め込むことと、
ｇ．前記埋込型光学アプリケータを前記埋込型電力供給部および埋込型コントローラと動作可能に連結するように、前記細長い送達導管を通して送達区画を挿入することと
を含む、方法。
（項目５０７）
前記埋込型光学アプリケータは、カフアプリケータ、スラブ型アプリケータ、およびらせん型アプリケータから成る群から選択される、項目５０６に記載の方法。
（項目５０８）
外部コントローラを使用して、前記埋込型コントローラと無線で通信することをさらに含む、項目５０６に記載の方法。
（項目５０９）
前記第１の解剖学的場所と前記第２の解剖学的場所との間の定位置に前記送達区画を残して、前記細長い送達導管を除去することをさらに含む、項目５０６に記載の方法。
（項目５１０）
前記細長い送達導管は、カニューレである、項目５０６に記載の方法。
（項目５１１）
前記細長い送達導管は、カテーテルである、項目５０６に記載の方法。
（項目５１２）
前記カテーテルは、操縦可能なカテーテルである、項目５１１に記載の方法。
（項目５１３）
前記操縦可能なカテーテルは、ロボットで操縦可能なカテーテルであり、電気機械要素に動作可能に連結されている電子マスタ入力デバイスを用いてオペレータによって作成されるコマンドに応答して、前記細長い送達導管の中への操縦を前記電気機械要素に誘発させるように構成されている、項目５１２に記載の方法。
（項目５１４）
前記第２の場所で前記埋込型光源を前記埋込型光学アプリケータに直接連結し、前記第２の場所で前記送達区画を前記埋込型光源に連結することをさらに含み、前記送達区画は、電流を搬送するように構成されている、項目５０６に記載の方法。
（項目５１５）
前記送達区画を前記埋込型光源に連結することは、伝導性シャフト継手を密なコネクタシールスタックソケットに挿入することによって、コネクタ連結を形成することを含む、項目５１４に記載の方法。
（項目５１６）
前記埋込型コントローラが、前記埋込型電力供給部から前記埋込型光源への電流を制御することによって、前記埋込型光源を起動させるように、前記送達区画を前記埋込型電力供給部および埋込型コントローラに連結することをさらに含む、項目５１４に記載の方法。
（項目５１７）
前記送達区画を前記埋込型電力供給部および埋込型コントローラに連結することは、伝導性シャフト継手を密なコネクタシールスタックソケットに挿入することによって、コネクタ連結を形成することを含む、項目５１６に記載の方法。
（項目５１８）
前記埋込型電力供給部を、前記埋込型電力供給部を再充電するように構成されている経皮的磁束源から磁束を受け取るように構成されている１つ以上の埋込型誘導コイルに連結することをさらに含む、項目５１４に記載の方法。
（項目５１９）
前記１つ以上の埋込型誘導コイルに隣接する皮膚の付近の充電位置に位置付けられるように構成されている経皮的磁束源を提供することをさらに含む、項目５１８に記載の方法。
（項目５２０）
前記経皮的磁束源を、前記患者が活動している間、前記充電位置で前記経皮的磁束源を保持するように構成されている搭載デバイスに連結することをさらに含む、項目５１９に記載の方法。
（項目５２１）
前記埋込型電力供給部および埋込型コントローラを共通埋込型筐体内に収納することをさらに含む、項目５１４に記載の方法。
（項目５２２）
前記光源は、発光ダイオードを備えている、項目５１４に記載の方法。
（項目５２３）
オプシンタンパク質をコードするように、前記感光性タンパク質を含む前記組織構造を遺伝子操作することをさらに含む、項目５１４に記載の方法。
（項目５２４）
前記オプシンタンパク質は、抑制性オプシンタンパク質である、項目５２３に記載の方法。
（項目５２５）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５２４に記載の方法。
（項目５２６）
前記オプシンタンパク質は、促進性オプシンタンパク質である、項目５２３に記載の方法。
（項目５２７）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５２４に記載の方法。
（項目５２８）
約０．１パーセント〜１００パーセントのデューティサイクルを使用して、パルス前記光源を起動させることをさらに含み、パルス持続時間は、約０．１ミリ秒〜約２０ミリ秒である、項目５１４に記載の方法。
（項目５２９）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目５１４に記載の方法。
（項目５３０）
前記第２の解剖学的場所における前記埋込型光学アプリケータと前記第１の解剖学的場所における前記埋込型光源との間に前記送達区画を相互連結することをさらに含み、前記送達区画は、前記埋込型光源から前記埋込型光学アプリケータに光を伝搬するように構成されている、項目５０６に記載の方法。
（項目５３１）
前記第１の解剖学的場所に前記埋込型光源を埋め込むことをさらに含む、項目５３０に記載の方法。
（項目５３２）
前記埋込型コントローラが、前記埋込型電力供給部から前記埋込型光源への電流を制御することによって、前記埋込型光源を起動させて光子を前記埋込型光学アプリケータに向けるように、前記埋込型電力供給部および埋込型コントローラを前記埋込型光源に動作可能に連結することをさらに含む、項目５３１に記載の方法。
（項目５３３）
前記第１の解剖学的場所と前記第２の解剖学的場所との間に位置付けられた前記送達区画を残すように、前記患者から前記細長い送達導管を除去することをさらに含む、項目５３０に記載の方法。
（項目５３４）
前記第２の解剖学的場所における前記埋込型光学アプリケータと前記第１の解剖学的場所における前記埋込型光源との間に前記送達区画を相互連結することは、それらの間で光子を効率的に伝達するように、前記送達区画と前記埋込型光源との間、および前記送達区画と前記埋込型光学アプリケータとの間に、原位置で光学コネクタ連結を形成することを含む、項目５３０に記載の方法。
（項目５３５）
光学コネクタ連結を形成することは、前記送達区画の近位端をスリーブコネクタに挿入することを含む、項目５３４に記載の方法。
（項目５３６）
前記送達区画は、導波路を備え、前記導波路は、全内部反射を介して前記導波路を通される実質的に全ての光を伝搬するように構成されている、項目５３０に記載の方法。
（項目５３７）
前記埋込型光源、埋込型電力供給部、および埋込型コントローラを共通埋込型筐体内に収納することをさらに含む、項目５３０に記載の方法。
（項目５３８）
前記埋込型光源は、発光ダイオードを備えている、項目５３０に記載の方法。
（項目５３９）
前記埋込型電力供給部を、前記埋込型電力供給部を再充電するように構成されている経皮的磁束源から磁束を受け取るように構成されている１つ以上の埋込型誘導コイルに連結することをさらに含む、項目５３０に記載の方法。
（項目５４０）
前記１つ以上の埋込型誘導コイルに隣接する皮膚の付近の充電位置に位置付けられるように構成されている経皮的磁束源を提供することをさらに含む、項目５３９に記載の方法。
（項目５４１）
前記経皮的磁束源を、前記患者が活動している間、前記充電位置で前記経皮的磁束源を保持するように構成されている搭載デバイスに連結することをさらに含む、項目５４０に記載の方法。
（項目５４２）
オプシンタンパク質をコードするように、前記感光性タンパク質を含む前記組織構造を遺伝子操作することをさらに含む、項目５３１に記載の方法。
（項目５４３）
前記オプシンタンパク質は、抑制性オプシンタンパク質である、項目５４２に記載の方法。
（項目５４４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５４３に記載の方法。
（項目５４５）
前記オプシンタンパク質は、促進性オプシンタンパク質である、項目５４２に記載の方法。
（項目５４６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５４５に記載の方法。
（項目５４７）
前記光源は、約０．１パーセント〜１００パーセントのデューティサイクルを使用してパルスにされ、パルス持続時間は、約０．１ミリ秒〜約２０ミリ秒である、項目５３０に記載の方法。
（項目５４８）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目５３０に記載の方法。
（項目５４９）
感光性タンパク質を含む標的組織構造を刺激するためのシステムを設置する方法であって、
ａ．前記標的組織構造の少なくとも一部分、埋込型光源、埋込型電力供給部、埋込型コントローラに永久的に動作可能に連結されるように構成されている埋込型光学アプリケータを提供することであって、前記埋込型電力供給部と埋込型コントローラとは、事前連結および密封構成で提供され、共通外科的アクセスポートを通して一緒に設置されるように設計されている、ことと、
ｂ．前記埋込型電力供給部および埋込型コントローラが埋め込まれるべき第１の解剖学的場所への前記共通外科的アクセスポートを生成することと、
ｃ．挿入経路のためのさらなる外科的アクセスを生成することなく、第２の解剖学的場所への前記挿入経路に沿って細長い送達導管を挿入することであって、前記細長い送達導管は、それを通る作業管腔を画定し、前記第２の解剖学的場所は、前記標的組織構造に隣接している、ことと、
ｄ．前記埋込型光学アプリケータを通して送達される光子の少なくとも一部分が前記標的組織構造に到達するように、前記標的組織構造の少なくとも一部分に動作可能に連結されている前記第２の解剖学的場所に前記埋込型光学アプリケータを埋め込むために、前記細長い送達導管を通して前記埋込型光学アプリケータを挿入することと
を含む、方法。
（項目５５０）
前記埋込型光学アプリケータは、カフアプリケータ、スラブ型アプリケータ、およびらせん型アプリケータから成る群から選択される、項目５４９に記載の方法。
（項目５５１）
外部コントローラを使用して、前記埋込型コントローラと無線で通信することをさらに含む、項目５４９に記載の方法。
（項目５５２）
前記埋込型光源を前記埋込型光学アプリケータに直接連結することをさらに含む、項目５４９に記載の方法。
（項目５５３）
前記第２の解剖学的場所における前記埋込型光学アプリケータに直接連結されている埋込位置に前記埋込型光源を埋め込むために、前記細長い送達導管を通して前記埋込型光源を挿入することをさらに含み、前記埋込型光源は、電流を搬送するように構成されている送達区画に連結されている、項目５５２に記載の方法。
（項目５５４）
前記第１の解剖学的場所と前記第２の解剖学的場所との間に位置付けられた前記送達区画を残すように、前記共通アクセスポートから前記細長い送達導管を除去することをさらに含む、項目５５３に記載の方法。
（項目５５５）
前記細長い送達導管の前記管腔から前記送達区画を除去し、前記埋込型光源を前記埋込型電力供給部および埋込型コントローラに動作可能に連結することをさらに含み、それによって、前記埋込型コントローラは、前記埋込型電力供給部から前記埋込型光源への電流を制御することによって、前記埋込型光源を起動させる、項目５５４に記載の方法。
（項目５５６）
前記埋込型光源を前記埋込型電力供給部および埋込型コントローラに動作可能に連結することは、前記送達区画と、前記埋込型電力供給部および埋込型コントローラに連結される導線との間に、原位置でコネクタ連結を形成することを含む、項目５５５に記載の方法。
（項目５５７）
コネクタ連結を形成することは、伝導性シャフト継手を密なコネクタシールスタックソケットに挿入することを含む、項目５５６に記載の方法。
（項目５５８）
前記細長い送達導管は、カニューレである、項目５４９に記載の方法。
（項目５５９）
前記細長い送達導管は、カテーテルである、項目５４９に記載の方法。
（項目５６０）
前記カテーテルは、操縦可能なカテーテルである、請項目５５９に記載の方法。
（項目５６１）
前記操縦可能なカテーテルは、ロボットで操縦可能なカテーテルであり、電気機械要素に動作可能に連結されている電子マスタ入力デバイスを用いてオペレータによって作成されるコマンドに応答して、前記細長い送達導管の中への操縦を前記電気機械要素に誘発させるように構成されている、項目５６０に記載の方法。
（項目５６２）
前記埋込型電力供給部を、前記埋込型電力供給部を再充電するように構成されている経皮的磁束源から磁束を受け取るように構成されている１つ以上の埋込型誘導コイルに連結することをさらに含む、項目５５２に記載の方法。
（項目５６３）
前記１つ以上の埋込型誘導コイルに隣接する皮膚の付近の充電位置に位置付けられるように構成されている経皮的磁束源を提供することをさらに含む、項目５６２に記載の方法。
（項目５６４）
前記経皮的磁束源を、前記患者が活動している間、前記充電位置で前記経皮的磁束源を保持するように構成されている搭載デバイスに連結することをさらに含む、項目５６３に記載の方法。
（項目５６５）
前記埋込型電力供給部および埋込型コントローラを共通埋込型筐体内に収納することをさらに含む、項目５５２に記載の方法。
（項目５６６）
前記光源は、発光ダイオードを備えている、項目５５２に記載の方法。
（項目５６７）
オプシンタンパク質をコードするように、前記感光性タンパク質を含む前記組織構造を遺伝子操作することをさらに含む、項目５５２に記載の方法。
（項目５６８）
前記オプシンタンパク質は、抑制性オプシンタンパク質である、項目５６７に記載の方法。
（項目５６９）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５６８に記載の方法。
（項目５７０）
前記オプシンタンパク質は、促進性オプシンタンパク質である、項目５６７に記載の方法。
（項目５７１）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５６８に記載の方法。
（項目５７２）
約０．１パーセント〜１００パーセントのデューティサイクルを使用して、パルス前記光源を起動させることをさらに含み、パルス持続時間は、約０．１ミリ秒〜約２０ミリ秒である、項目５５２に記載の方法。
（項目５７３）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目５５２に記載の方法。
（項目５７４）
送達区画を前記埋込型光学アプリケータに連結することをさらに含み、前記送達区画は、前記送達区画が埋込型光源に連結されると、前記埋込型光源から前記埋込型光学アプリケータに光を伝搬するように構成されている、項目５４９に記載の方法。
（項目５７５）
前記埋込型光源は、前記第１の解剖学的場所に埋め込まれる、項目５７４に記載の方法。
（項目５７６）
前記第１の解剖学的場所と前記第２の解剖学的場所との間に位置付けられた前記送達区画を残すように、前記共通アクセスポートから前記細長い送達導管を除去することをさらに含む、項目５７４に記載の方法。
（項目５７７）
前記細長い送達導管の前記管腔から前記送達区画を除去し、前記送達区画を用いて前記埋込型光源を前記埋込型光学アプリケータに連結し、さらに、前記埋込型コントローラが、前記埋込型電力供給部から前記埋込型光源への電流を制御することによって、前記埋込型光源を起動させて光子を前記埋込型光学アプリケータに向けるように、前記埋込型電力供給部および埋込型コントローラを前記埋込型光源に動作可能に連結することをさらに含む、項目５７６に記載の方法。
（項目５７８）
前記送達区画を用いて前記埋込型光源を前記埋込型光学アプリケータに連結することは、それらの間で光子を効率的に伝達するように、前記送達区画と前記埋込型光源との間に、原位置で光学コネクタ連結を形成することを含む、項目５７７に記載の方法。
（項目５７９）
光学コネクタ連結を形成することは、前記送達区画の近位端をスリーブコネクタに挿入することを含む、項目５７８に記載の方法。
（項目５８０）
前記送達区画は、導波路を備え、前記導波路は、全内部反射を介して前記導波路を通される実質的に全ての光を伝搬するように構成されている、項目５７４に記載の方法。
（項目５８１）
前記埋込型光源、埋込型電力供給部、および埋込型コントローラを共通埋込型筐体内に収納することをさらに含む、項目５７４に記載の方法。
（項目５８２）
前記埋込型光源は、発光ダイオードを備えている、項目５７４に記載の方法。
（項目５８３）
前記埋込型電力供給部を、前記埋込型電力供給部を再充電するように構成されている経皮的磁束源から磁束を受け取るように構成されている１つ以上の埋込型誘導コイルに連結することをさらに含む、項目５７４に記載の方法。
（項目５８４）
前記１つ以上の埋込型誘導コイルに隣接する皮膚の付近の充電位置に位置付けられるように構成されている経皮的磁束源を提供することをさらに含む、項目５８３に記載の方法。
（項目５８５）
前記経皮的磁束源を、前記患者が活動している間、前記充電位置で前記経皮的磁束源を保持するように構成されている搭載デバイスに連結することをさらに含む、項目５８４に記載の方法。
（項目５８６）
オプシンタンパク質をコードするように、前記感光性タンパク質を含む前記組織構造を遺伝子操作することをさらに含む、項目５７４に記載の方法。
（項目５８７）
前記オプシンタンパク質は、抑制性オプシンタンパク質である、項目５８６に記載の方法。
（項目５８８）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目５８７に記載の方法。
（項目５８９）
前記オプシンタンパク質は、促進性オプシンタンパク質である、項目５８６に記載の方法。
（項目５９０）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目５８９に記載の方法。
（項目５９１）
前記光源は、約０．１パーセント〜１００パーセントのデューティサイクルを使用してパルスにされ、パルス持続時間は、約０．１ミリ秒〜約２０ミリ秒である、項目５７４に記載の方法。
（項目５９２）
約５ミリワット／平方ミリメートル〜約２００ミリワット／平方ミリメートルの表面放射照度で光子を前記少なくとも１つの組織構造に向けるように前記埋込型光学アプリケータを使用するために、前記埋込型光源を動作させることをさらに含む、項目５７４に記載の方法。
（項目５９３）
感光性タンパク質を含む患者の標的組織構造を照射するためのシステムであって、前記システムは、
前記標的組織構造の外面を係合し、光を前記標的組織構造に直接送達するように構成されている埋込型光学アプリケータを備え、
前記埋込型光学アプリケータは、光子を前記埋込型光学アプリケータに送達するように構成されている光源に動作可能に連結され、前記光子は、前記標的組織構造の中へ前記アプリケータによって放出され得る、システム。
（項目５９４）
前記光源は、前記埋込型光学アプリケータに直接連結され、前記光源は、電力供給部およびコントローラに動作可能に連結され、それによって、前記コントローラは、前記電力供給部から前記光源への電流を制御することによって、前記光源を起動させる、項目５９３に記載のシステム。
（項目５９５）
前記光源は、電流を搬送するように構成されている送達区画を用いて、前記電力供給部およびコントローラに動作可能に連結されている、項目５９４に記載のシステム。
（項目５９６）
前記電力供給部は、埋込型である、項目５９４に記載のシステム。
（項目５９７）
前記コントローラは、埋込型である、項目５９４に記載のシステム。
（項目５９８）
前記電力供給部は、前記埋込型電力供給部を再充電するように構成されている経皮的磁束源から磁束を受け取るように構成されている１つ以上の埋込型誘導コイルに連結されている、項目５９７に記載のシステム。
（項目５９９）
前記１つ以上の埋込型誘導コイルに隣接する皮膚の付近の充電位置に位置付けられるように構成されている経皮的磁束源をさらに備えている、項目５９８に記載のシステム。
（項目６００）
前記経皮的磁束源は、前記患者が活動している間、前記充電位置で前記経皮的磁束源を保持するように構成されている搭載デバイスに連結されている、項目５９９に記載のシステム。
（項目６０１）
前記搭載デバイスは、ベスト、スリング、ストラップ、シャツ、およびパンツから成る群から選択される、項目６００に記載のシステム。
（項目６０２）
前記電力供給部およびコントローラは、共通埋込型筐体内に収納されている、項目５９６に記載のシステム。
（項目６０３）
前記光源は、発光ダイオードを備えている、項目５９４に記載のシステム。
（項目６０４）
前記感光性タンパク質を含む前記組織構造は、オプシンタンパク質をコードするように遺伝子操作されている、項目５９３に記載のシステム。
（項目６０５）
前記オプシンタンパク質は、抑制性オプシンタンパク質である、項目６０４に記載のシステム。
（項目６０６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６０５に記載のシステム。
（項目６０７）
前記オプシンタンパク質は、促進性オプシンタンパク質である、項目６０４に記載のシステム。
（項目６０８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６０５に記載のシステム。
（項目６０９）
前記光源は、埋込型である、項目５９３に記載のシステム。
（項目６１０）
前記埋込型光源と前記埋込型光学アプリケータとの間に相互連結されている送達区画をさらに備え、前記送達区画は、前記埋込型光源から前記埋込型光学アプリケータに光を伝搬するように構成されている、項目６０９に記載のシステム。
（項目６１１）
前記送達区画は、導波路を備え、前記導波路は、全内部反射を介して前記導波路を通される実質的に全ての光を伝搬するように構成されている、項目６０９に記載のシステム。
（項目６１２）
コントローラが、電力供給部から前記光源への電流を制御することによって、前記光源を起動させるように、前記埋込型光源は、前記電力供給部およびコントローラに動作可能に連結されている、項目６０９に記載のシステム。
（項目６１３）
前記埋込型光源、電力供給部、およびコントローラは、共通埋込型筐体内に収納されている、項目６１２に記載のシステム。
（項目６１４）
前記埋込型光源は、発光ダイオードを備えている、項目６０９に記載のシステム。
（項目６１５）
前記電力供給部は、前記埋込型電力供給部を再充電するように構成されている経皮的磁束源から磁束を受け取るように構成されている１つ以上の埋込型誘導コイルに連結されている、項目６１２に記載のシステム。
（項目６１６）
前記１つ以上の埋込型誘導コイルに隣接する皮膚の付近の充電位置に位置付けられるように構成されている経皮的磁束源をさらに備えている、項目６１５に記載のシステム。
（項目６１７）
前記経皮的磁束源は、前記患者が活動している間、前記充電位置で前記経皮的磁束源を保持するように構成されている搭載デバイスに連結されている、項目６１６に記載のシステム。
（項目６１８）
前記搭載デバイスは、ベスト、スリング、ストラップ、シャツ、およびパンツから成る群から選択される、項目６１７に記載のシステム。
（項目６１９）
前記感光性タンパク質を含む前記組織構造は、オプシンタンパク質をコードするように遺伝子操作されている、項目５９３に記載のシステム。
（項目６２０）
前記オプシンタンパク質は、抑制性オプシンタンパク質である、項目６１９に記載のシステム。
（項目６２１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６２０に記載のシステム。
（項目６２２）
前記オプシンタンパク質は、促進性オプシンタンパク質である、項目６１９に記載のシステム。
（項目６２３）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６２０に記載のシステム。
（項目６２４）
前記光源は、体外光源であり、埋込型光伝導体が、前記体外光源と前記埋込型光学アプリケータとの間に動作可能に連結され、前記埋込型光伝導体は、埋込型光学アプリケータと、前記体外光源から光子を受け取るように選択される第２の場所との間に埋め込まれ、前記光子を少なくとも部分的に前記埋込型光学アプリケータに向けるように構成されている、項目５９３に記載のシステム。
（項目６２５）
前記第２の場所は、組織によって完全に封入されており、前記埋込型光伝導体は、組織の比較的薄い層を通して前記体外光源から前記光子を受け取るように構成されている、項目６２４に記載のシステム。
（項目６２６）
前記組織の比較的薄い層は、約１００ミクロン〜約１ミリメートルの最大厚を有する、項目６２５に記載のシステム。
（項目６２７）
前記第２の場所は、直接体外アクセス可能である、項目６２４に記載のシステム。
（項目６２８）
前記感光性タンパク質を含む前記組織構造は、オプシンタンパク質をコードするように遺伝子操作されている、項目５９３に記載のシステム。
（項目６２９）
前記オプシンタンパク質は、抑制性オプシンタンパク質である、項目６２８に記載のシステム。
（項目６３０）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６２９に記載のシステム。
（項目６３１）
前記オプシンタンパク質は、促進性オプシンタンパク質である、項目６２８に記載のシステム。
（項目６３２）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６２９に記載のシステム。
（項目６３３）
患者の標的組織構造を照射する方法であって、
ａ．照射されるべき標的組織構造を選択することと、
ｂ．前記標的組織構造の外面を係合し、光を前記標的組織構造に直接送達するように構成されている埋込型光学アプリケータを提供することと、
ｃ．前記標的組織構造を係合するように、前記埋込型光学アプリケータを埋め込むことと、
ｄ．前記埋込型光学アプリケータを光源に動作可能に連結することと、
ｅ．前記光源から前記埋込型光アプリケータに伝達される光子を使用して、前記埋込型光アプリケータを通して前記標的組織構造を照射することと
を含む、方法。
（項目６３４）
前記光源は、前記埋込型光学アプリケータに直接連結され、前記光源は、電力供給部およびコントローラに動作可能に連結され、それによって、前記コントローラは、前記電力供給部から前記光源への電流を制御することによって、前記光源を起動させる、項目６３３に記載の方法。
（項目６３５）
前記光源は、電流を搬送するように構成されている送達区画を用いて、前記電力供給部およびコントローラに動作可能に連結されている、項目６３４に記載の方法。
（項目６３６）
前記電力供給部は、埋込型である、項目６３４に記載の方法。
（項目６３７）
前記コントローラは、埋込型である、項目６３４に記載の方法。
（項目６３８）
前記電力供給部を、前記埋込型電力供給部を再充電するように構成されている経皮的磁束源から磁束を受け取るように構成されている１つ以上の埋込型誘導コイルに連結することをさらに含む、項目６３７に記載の方法。
（項目６３９）
前記１つ以上の埋込型誘導コイルに隣接する皮膚の付近の充電位置に位置付けられるように構成されている経皮的磁束源を提供することをさらに含む、項目６３８に記載の方法。
（項目６４０）
前記経皮的磁束源を、前記患者が活動している間、前記充電位置で前記経皮的磁束源を保持するように構成されている搭載デバイスに連結することをさらに含む、項目６３９に記載の方法。
（項目６４１）
前記搭載デバイスは、ベスト、スリング、ストラップ、シャツ、およびパンツから成る群から選択される、項目６４０に記載の方法。
（項目６４２）
前記電力供給部およびコントローラを共通埋込型筐体内に収納することをさらに含む、項目６３６に記載の方法。
（項目６４３）
前記光源は、発光ダイオードを備えている、項目６３４に記載の方法。
（項目６４４）
オプシンタンパク質をコードするように、前記感光性タンパク質を含む前記組織構造を遺伝子操作することをさらに含む、項目６３３に記載の方法。
（項目６４５）
前記オプシンタンパク質は、抑制性オプシンタンパク質である、項目６４４に記載の方法。
（項目６４６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６４５に記載の方法。
（項目６４７）
前記オプシンタンパク質は、促進性オプシンタンパク質である、項目６４４に記載の方法。
（項目６４８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６４５に記載の方法。
（項目６４９）
前記光源は、埋込型である、項目６３３に記載の方法。
（項目６５０）
前記埋込型光源と前記埋込型光学アプリケータとの間に送達区画を相互連結することをさらに含み、前記送達区画は、前記埋込型光源から前記埋込型光学アプリケータに光を伝搬するように構成されている、項目６４９に記載の方法。
（項目６５１）
前記送達区画は、導波路を備え、前記導波路は、全内部反射を介して前記導波路に通される実質的に全ての光を伝搬するように構成されている、項目６４９に記載の方法。
（項目６５２）
コントローラが、電力供給部から前記光源への電流を制御することによって、前記光源を起動させるように、前記埋込型光源を前記電力供給部およびコントローラに動作可能に連結することをさらに含む、項目６４９に記載の方法。
（項目６５３）
前記埋込型光源、電力供給部、およびコントローラは、共通埋込型筐体内に収納されている、項目６５２に記載の方法。
（項目６５４）
前記埋込型光源は、発光ダイオードを備えている、項目６４９に記載の方法。
（項目６５５）
前記電力供給部は、前記埋込型電力供給部を再充電するように構成されている経皮的磁束源から磁束を受け取るように構成されている１つ以上の埋込型誘導コイルに連結されている、項目６５２に記載の方法。
（項目６５６）
前記１つ以上の埋込型誘導コイルに隣接する皮膚の付近の充電位置に経皮的磁束源を位置付けることをさらに含む、項目６５５に記載の方法。
（項目６５７）
前記経皮的磁束源を、前記患者が活動している間、前記充電位置で前記経皮的磁束源を保持するように構成されている搭載デバイスに連結することをさらに含む、項目６５６に記載の方法。
（項目６５８）
前記搭載デバイスは、ベスト、スリング、ストラップ、シャツ、およびパンツから成る群から選択される、項目６５７に記載の方法。
（項目６５９）
オプシンタンパク質をコードするように、前記感光性タンパク質を含む前記組織構造を遺伝子操作することをさらに含む、項目６３３に記載の方法。
（項目６６０）
前記オプシンタンパク質は、抑制性オプシンタンパク質である、項目６５９に記載の方法。
（項目６６１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６６０に記載の方法。
（項目６６２）
前記オプシンタンパク質は、促進性オプシンタンパク質である、項目６５９に記載の方法。
（項目６６３）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６６０に記載の方法。
（項目６６４）
前記光源は、体外光源であり、埋込型光伝導体が、前記体外光源と前記埋込型光学アプリケータとの間に動作可能に連結され、前記埋込型光伝導体は、埋込型光学アプリケータと、前記体外光源から光子を受け取るように選択される第２の場所との間に埋め込まれ、前記光子を少なくとも部分的に前記埋込型光学アプリケータに向けるように構成されている、項目６３３に記載の方法。
（項目６６５）
前記第２の場所は、組織によって完全に封入されており、前記埋込型光伝導体は、組織の比較的薄い層を通して前記体外光源から前記光子を受け取るように構成されている、項目６６４に記載の方法。
（項目６６６）
前記組織の比較的薄い層は、約１００ミクロン〜約１ミリメートルの最大厚を有する、項目６６５に記載の方法。
（項目６６７）
前記第２の場所は、直接体外アクセス可能である、項目６６４に記載の方法。
（項目６６８）
オプシンタンパク質をコードするように、前記感光性タンパク質を含む前記組織構造を遺伝子操作することをさらに含む、項目６３３に記載の方法。
（項目６６９）
前記オプシンタンパク質は、抑制性オプシンタンパク質である、項目６６８に記載の方法。
（項目６７０）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６６９に記載の方法。
（項目６７１）
前記オプシンタンパク質は、促進性オプシンタンパク質である、項目６６８に記載の方法。
（項目６７２）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６６９に記載の方法。
（項目６７３）
感光性タンパク質を含む組織構造を刺激するためのシステムであって、
ａ．前記組織構造に直接隣接する第１の皮下場所と、第２の場所との間に永久的に連結されるように構成されている埋込型光伝導体であって、前記第２の場所は、前記第２の場所に向けられる体外光子が、少なくとも部分的に埋込型光アプリケータを通って前記標的組織構造に伝送されるように選択される、埋込型光伝導体と、
ｂ．体外光源と
を備え、
前記体外光源は、前記第１の皮下場所に到達する前記向けられる光子の一部分に少なくとも部分的に基づいて、前記組織構造の前記感光性タンパク質の変化を引き起こすために十分な量で、光子を前記第２の場所で前記埋込型光伝導体の中へ制御可能に向けるように構成されている、システム。
（項目６７４）
前記埋込型光伝導体は、前記第２の場所において近位端を有し、前記近位端は、拡大集光表面を備えている、項目６７３に記載のシステム。
（項目６７５）
前記拡大集光表面は、前記体外光子を捕捉するように方向づけられた入射面を伴う楔形幾何学形状を備えている、項目６７４に記載のシステム。
（項目６７６）
前記埋込型光伝導体は、導波路を備え、前記導波路は、全内部反射を介して前記導波路に通される実質的に全ての光を伝搬するように構成されている、項目６７３に記載のシステム。
（項目６７７）
前記埋込型光伝導体は、ガラス、ポリマー、結晶から成る群から選択される材料種類を含む、項目６７３に記載のシステム。
（項目６７８）
前記埋込型光伝導体は、ポリメチルメタクリレート、シリコーン、ポリジメチルシロキサン、およびそれらの共重合体から成る群から選択されるポリマーを含む、項目６７７に記載のシステム。
（項目６７９）
前記埋込型光伝導体は、光が前記埋込型光伝導体を伝搬されるときに全内部反射から脱出する光を再循環させるように構成されている反射層を備えている、項目６７３に記載のシステム。
（項目６８０）
前記反射層は、銀、ロジウム、アルミニウム、および金から成る群から選択される材料を含む、項目６７９に記載のシステム。
（項目６８１）
前記埋込型光伝導体は、環境から前記埋込型光伝導体またはその上の他の層を保護するための絶縁層で少なくとも部分的に封入されている、項目６７３に記載のシステム。
（項目６８２）
前記絶縁層は、二酸化ケイ素、酸化アルミニウム、および二酸化マグネシウムから成る群から選択される材料を含む、項目６８１に記載のシステム。
（項目６８３）
前記埋込型光伝導体は、光子が前記埋込型光伝導体を伝搬されるときに前記埋込型光伝導体内にエバネセント波を閉じ込めるように構成されているクラッド層を備えている、項目６７３に記載のシステム。
（項目６８４）
前記クラッド層は、フッ素化エチレンプロピレン、ポリメチルペンテン、およびＴＨＶフッ素重合体混合物から成る群から選択される材料を含む、項目６８３に記載のシステム。
（項目６８５）
前記埋込型光伝導体は、生体適合性を向上させ、前記埋込型光伝導体の屈折性質に対する変化を防止するように構成されている生体不活性層を備えている、項目６７３に記載のシステム。
（項目６８６）
前記生体不活性層は、金、白金、パリレン−Ｃ、ポリ（エチレングリコール）、ホスホリルコリン、ポリエチレンオキシドポリマー、およびＤ−マンニトール末端アルカンチオールから成る群から選択される材料を含む、項目６８５に記載のシステム。
（項目６８７）
前記埋込型光伝導体の挿入前に挿入されるように構成されている設置パイロット部材をさらに備えている、項目６７３に記載のシステム。
（項目６８８）
前記パイロット部材は、切断ツールまたは拡張器を備えている、項目６８７に記載のシステム。
（項目６８９）
送達導管をさらに備え、前記送達導管は、それを通る管腔を画定し、前記埋込型光伝導体は、前記管腔を通して取り外し可能に連結され得る、項目６７３に記載のシステム。
（項目６９０）
前記組織構造に連結され、かつ、前記第１の場所で前記埋込型光伝導体の少なくとも１つの表面にも連結されるように構成されている埋込型光アプリケータをさらに備え、前記埋込型光伝導体を通って移動する光子は、埋込型光アプリケータの中へ伝達され、前記組織構造の中へ向けられ得る、項目６７３に記載のシステム。
（項目６９１）
前記第２の場所は、組織によって完全に封入されており、前記埋込型光伝導体は、組織の比較的薄い層を通して前記体外光源から光子を受け取るように構成されている、項目６７３に記載のシステム。
（項目６９２）
前記組織の比較的薄い層は、約１００ミクロン〜約１ミリメートルの最大厚を有する、項目６９１に記載のシステム。
（項目６９３）
前記第２の場所は、直接体外アクセス可能である、項目６７３に記載のシステム。
（項目６９４）
前記感光性タンパク質を含む前記組織構造は、オプシンタンパク質をコードするように遺伝子操作されている、項目６７３に記載のシステム。
（項目６９５）
前記オプシンタンパク質は、抑制性オプシンタンパク質である、項目６９４に記載のシステム。
（項目６９６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目６９５に記載のシステム。
（項目６９７）
前記オプシンタンパク質は、促進性オプシンタンパク質である、項目６９４に記載のシステム。
（項目６９８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目６９５に記載のシステム。
（項目６９９）
感光性タンパク質を含む組織構造を刺激する方法であって、
ａ．第１の皮下場所で照明を使用して刺激されるべき標的組織構造を選択することと、
ｂ．前記第１の皮下場所と、第２の場所との間に永久的に連結されるように構成されている埋込型光伝導体を提供することと
を含み、
前記第２の場所は、前記第２の場所に向けられる体外光子が、少なくとも部分的に前記埋込型光伝導体を通って前記標的組織構造に伝送されるように選択される、方法。
（項目７００）
刺激されるべき前記標的組織構造を選択することは、Ｘ線撮影、蛍光透視法、超音波、磁気共鳴映像法、コンピュータ断層撮影法、および内視鏡検査から成る群から選択されるモダリティを使用して前記標的組織を撮像することを含む、項目６９９に記載の方法。
（項目７０１）
前記埋込型光伝導体を通して光子を前記標的組織構造に向けるように、体外光源を提供することをさらに含む、項目６９９に記載の方法。
（項目７０２）
前記埋込型光伝導体は、前記第２の場所において近位端を有し、前記近位端は、拡大集光表面を備えている、項目６９９に記載の方法。
（項目７０３）
前記拡大集光表面は、前記体外光子を捕捉するように方向づけられた入射面を伴う楔形幾何学形状を備えている、項目７０２に記載の方法。
（項目７０４）
前記埋込型光伝導体は、導波路を備え、前記導波路は、全内部反射を介して前記導波路に通される実質的に全ての光を伝搬するように構成されている、項目６９９に記載の方法。
（項目７０５）
前記埋込型光伝導体は、ガラス、ポリマー、結晶から成る群から選択される材料種類を含む、項目６９９に記載の方法。
（項目７０６）
前記埋込型光伝導体は、ポリメチルメタクリレート、シリコーン、ポリジメチルシロキサン、およびそれらの共重合体から成る群から選択されるポリマーを含む、項目７０５に記載の方法。
（項目７０７）
前記埋込型光伝導体は、光が前記埋込型光伝導体を伝搬されるときに全内部反射から脱出する光を再循環させるように構成されている反射層を備えている、項目６９９に記載の方法。
（項目７０８）
前記反射層は、銀、ロジウム、アルミニウム、および金から成る群から選択される材料を含む、項目７０７に記載の方法。
（項目７０９）
前記埋込型光伝導体は、環境から前記埋込型光伝導体またはその上の他の層を保護するための絶縁層で少なくとも部分的に封入されている、項目６９９に記載の方法。
（項目７１０）
前記絶縁層は、二酸化ケイ素、酸化アルミニウム、および二酸化マグネシウムから成る群から選択される材料を含む、項目７０９に記載の方法。
（項目７１１）
前記埋込型光伝導体は、光子が前記埋込型光伝導体を伝搬されるときに前記埋込型光伝導体内にエバネセント波を閉じ込めるように構成されているクラッド層を備えている、項目６９９に記載の方法。
（項目７１２）
前記クラッド層は、フッ素化エチレンプロピレン、ポリメチルペンテン、およびＴＨＶフッ素重合体混合物から成る群から選択される材料を含む、項目７１１に記載の方法。
（項目７１３）
前記埋込型光伝導体は、生体適合性を向上させ、前記埋込型光伝導体の屈折性質に対する変化を防止するように構成されている生体不活性層を備えている、項目６９９に記載の方法。
（項目７１４）
前記生体不活性層は、金、白金、パリレン−Ｃ、ポリ（エチレングリコール）、ホスホリルコリン、ポリエチレンオキシドポリマー、およびＤ−マンニトール末端アルカンチオールから成る群から選択される材料を含む、項目７１３に記載の方法。
（項目７１５）
前記埋込型光伝導体の挿入前にパイロット部材を設置することをさらに含み、前記パイロット部材は、前記埋込型光伝導体の埋込のために関連組織を準備することに役立つように構成されている、項目６９９に記載の方法。
（項目７１６）
前記パイロット部材は、切断ツールまたは拡張器を備えている、項目７１５に記載の方法。
（項目７１７）
送達導管をさらに備え、前記送達導管は、それを通る管腔を画定し、前記埋込型光伝導体は、前記管腔を通して取り外し可能に連結され得る、項目６９９に記載の方法。
（項目７１８）
前記組織構造に連結され、かつ、前記第１の場所で前記埋込型光伝導体の少なくとも１つの表面に連結されるように構成されている埋込型光アプリケータを提供することをさらに含み、前記埋込型光伝導体を通って移動する光子は、前記埋込型光アプリケータの中へ伝達され、前記組織構造の中へ向けられ得る、項目６９９に記載の方法。
（項目７１９）
前記第２の場所は、組織によって完全に封入されており、前記埋込型光伝導体は、組織の比較的薄い層を通して前記体外光源から光子を受け取るように構成されている、項目６９９に記載の方法。
（項目７２０）
前記組織の比較的薄い層は、約１００ミクロン〜約１ミリメートルの最大厚を有する、項目７１９に記載の方法。
（項目７２１）
前記第２の場所は、直接体外アクセス可能である、項目６９９に記載の方法。
（項目７２２）
前記感光性タンパク質を含む前記組織構造は、オプシンタンパク質をコードするように遺伝子操作されている、項目６９９に記載の方法。
（項目７２３）
前記オプシンタンパク質は、抑制性オプシンタンパク質である、項目７２２に記載の方法。
（項目７２４）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目７２３に記載の方法。
（項目７２５）
前記オプシンタンパク質は、促進性オプシンタンパク質である、項目７２２に記載の方法。
（項目７２６）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目７２３に記載の方法。
（項目７２７）
患者の脊椎の髄腔内空間内から、感光性タンパク質を含むように遺伝子操作された神経根対を照射するためのシステムであって、前記システムは、
圧縮状態で、前記脊椎の石灰化構造間の小さい外科的アクセスを通して前記髄腔内空間に外科的に送達可能であり、拡張状態に、前記髄腔内空間の内側で拡張されるように構成されている埋込型光学アプリケータを備え、
前記拡張状態において、前記埋込型光学アプリケータは、第１の照明区画と、第２の照明区画とを備え、前記第１の照明区画が、選択された神経根対の第１の神経根を照射するように構成される一方で、前記第２の照明区画は、前記選択された神経根対からの第２の神経根を照射するように構成されている、システム。
（項目７２８）
前記埋込型光学アプリケータの前記第１の照明区画に直接連結されている第１の埋込型光源と、前記第２の照明区画に直接連結されている第２の埋込型光源とをさらに備え、前記光源の各々は、電力供給部およびコントローラに動作可能に連結され、それによって、前記コントローラは、前記電力供給部から前記第１および第２の埋込型光源への電流を制御することによって、前記第１および第２の埋込型光源を起動させる、項目７２７に記載のシステム。
（項目７２９）
前記第１および第２の光源は、電流を搬送するように構成されている送達区画を用いて、前記電力供給部およびコントローラに動作可能に連結されている、項目７２８に記載のシステム。
（項目７３０）
前記電力供給部は、埋込型である、項目７２８に記載のシステム。
（項目７３１）
前記コントローラは、埋込型である、項目７２８に記載のシステム。
（項目７３２）
前記電力供給部は、前記埋込型電力供給部を再充電するように構成されている経皮的磁束源から磁束を受け取るように構成されている１つ以上の埋込型誘導コイルに連結されている、項目７３１に記載のシステム。
（項目７３３）
前記１つ以上の埋込型誘導コイルに隣接する皮膚の付近の充電位置に位置付けられるように構成されている経皮的磁束源をさらに備えている、項目７３２に記載のシステム。
（項目７３４）
前記経皮的磁束源は、前記患者が活動している間、前記充電位置で前記経皮的磁束源を保持するように構成されている搭載デバイスに連結されている、項目７３３に記載のシステム。
（項目７３５）
前記搭載デバイスは、ベスト、スリング、ストラップ、シャツ、およびパンツから成る群から選択される、項目７３４に記載のシステム。
（項目７３６）
前記電力供給部およびコントローラは、共通埋込型筐体内に収納されている、項目７３０に記載のシステム。
（項目７３７）
前記光源は、発光ダイオードを備えている、項目７２８に記載のシステム。
（項目７３８）
前記感光性タンパク質を含む前記組織構造は、オプシンタンパク質をコードするように遺伝子操作されている、項目７２７に記載のシステム。
（項目７３９）
前記オプシンタンパク質は、抑制性オプシンタンパク質である、項目７３８に記載のシステム。
（項目７４０）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目７３９に記載のシステム。
（項目７４１）
前記オプシンタンパク質は、促進性オプシンタンパク質である、項目７３８に記載のシステム。
（項目７４２）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目７３９に記載のシステム。
（項目７４３）
前記第１および第２の照明区画の各々は、埋込型光源に動作可能に連結されている、項目７２７に記載のシステム。
（項目７４４）
前記埋込型光源と前記埋込型光学アプリケータとの間に相互連結されている送達区画をさらに備え、前記送達区画は、前記埋込型光源から前記埋込型光学アプリケータに光を伝搬するように構成され、前記光は、前記第１および第２の照明区画を通して前記神経根対に分配され得る、項目７４３に記載のシステム。
（項目７４５）
前記送達区画は、導波路を備え、前記導波路は、全内部反射を介して前記導波路を通される実質的に全ての光を伝搬するように構成されている、項目７４３に記載のシステム。
（項目７４６）
コントローラが、電力供給部から前記光源への電流を制御することによって、前記光源を起動させるように、前記埋込型光源は、前記電力供給部およびコントローラに動作可能に連結されている、項目７４３に記載のシステム。
（項目７４７）
前記埋込型光源、電力供給部、およびコントローラは、共通埋込型筐体内に収納されている、項目７４６に記載のシステム。
（項目７４８）
前記埋込型光源は、発光ダイオードを備えている、項目７４３に記載のシステム。
（項目７４９）
前記電力供給部は、前記埋込型電力供給部を再充電するように構成されている経皮的磁束源から磁束を受け取るように構成されている１つ以上の埋込型誘導コイルに連結されている、項目７４６に記載のシステム。
（項目７５０）
前記１つ以上の埋込型誘導コイルに隣接する皮膚の付近の充電位置に位置付けられるように構成されている経皮的磁束源をさらに備えている、項目７４９に記載のシステム。
（項目７５１）
前記経皮的磁束源は、前記患者が活動している間、前記充電位置で前記経皮的磁束源を保持するように構成されている搭載デバイスに連結されている、項目７５０に記載のシステム。
（項目７５２）
前記搭載デバイスは、ベスト、スリング、ストラップ、シャツ、およびパンツから成る群から選択される、項目７５１に記載のシステム。
（項目７５３）
前記感光性タンパク質を含む前記組織構造は、オプシンタンパク質をコードするように遺伝子操作されている、項目７２７に記載のシステム。
（項目７５４）
前記オプシンタンパク質は、抑制性オプシンタンパク質である、項目７５３に記載のシステム。
（項目７５５）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目７５４に記載のシステム。
（項目７５６）
前記オプシンタンパク質は、促進性オプシンタンパク質である、項目７５３に記載のシステム。
（項目７５７）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目７５４に記載のシステム。
（項目７５８）
前記拡張状態において、前記第１の照明区画が、前記選択された神経根対の前記第１の神経根に直接隣接するように整列させられ得る一方で、前記第２の照明区画が、前記選択された神経根対の前記第２の神経根に直接隣接するように整列させられ得ることにより、展開幾何学構成を形成する、項目７２７に記載のシステム。
（項目７５９）
前記埋込型光学アプリケータに動作可能に連結されている付勢区画をさらに備え、前記付勢区画は、起動させられると、前記展開幾何学構成を保持するように構成されている、項目７５８に記載のシステム。
（項目７６０）
前記付勢区画に動作可能に連結されている引張ワイヤをさらに備え、前記引張ワイヤは、前記埋込型光学アプリケータの幾何学形状を調整して前記展開幾何学構成に達することを促進するように構成されている、項目７５９に記載のシステム。
（項目７６１）
前記神経根対は、後根対である、項目７２７に記載のシステム。
（項目７６２）
前記神経根対は、前根対である、項目７２７に記載のシステム。
（項目７６３）
患者の脊椎の髄腔内空間内から、感光性タンパク質を含むように遺伝子操作された神経根対を照射する方法であって、
ａ．圧縮状態で、前記脊椎の石灰化構造の間に生成される小さい外科的アクセスを通して前記髄腔内空間に埋込型光学アプリケータを外科的に送達することと、
ｂ．拡張状態に、前記髄腔内空間の内側で前記埋込型光学アプリケータを拡張することと
を含み、
前記埋込型光学アプリケータは、第１の照明区画と、第２の照明区画とを備え、前記第１の照明区画が、選択された神経根対の第１の神経根を照射するように構成される一方で、前記第２の照明区画は、前記選択された神経根対からの第２の神経根を照射するように構成されている、ことと
方法。
（項目７６４）
前記埋込型光学アプリケータの前記第１の照明区画に直接連結されている第１の埋込型光源、および前記第２の照明区画に直接連結されている第２の埋込型光源を提供することをさらに含み、前記光源の各々は、電力供給部およびコントローラに動作可能に連結され、それによって、前記コントローラは、前記電力供給部から前記第１および第２の埋込型光源への電流を制御することによって、前記第１および第２の埋込型光源を起動させる、項目７６３に記載の方法。
（項目７６５）
電流を搬送するように構成されている送達区画を用いて、前記第１および第２の光源を前記電力供給部およびコントローラに動作可能に連結することをさらに含む、項目７６４に記載の方法。
（項目７６６）
前記電力供給部は、埋込型である、項目７６４に記載の方法。
（項目７６７）
前記コントローラは、埋込型である、項目７６４に記載の方法。
（項目７６８）
前記電力供給部を、前記埋込型電力供給部を再充電するように構成されている経皮的磁束源から磁束を受け取るように構成されている１つ以上の埋込型誘導コイルに連結することをさらに含む、項目７６７に記載の方法。
（項目７６９）
前記１つ以上の埋込型誘導コイルに隣接する皮膚の付近の充電位置に位置付けられるように、経皮的磁束源を構成することをさらに含む、項目７６８に記載の方法。
（項目７７０）
前記経皮的磁束源を、前記患者が活動している間、前記充電位置で前記経皮的磁束源を保持するように構成されている搭載デバイスに連結することをさらに含む、項目７６９に記載の方法。
（項目７７１）
前記搭載デバイスは、ベスト、スリング、ストラップ、シャツ、およびパンツから成る群から選択される、項目７７０に記載の方法。
（項目７７２）
前記電力供給部およびコントローラを共通埋込型筐体内に収納することをさらに含む、項目７６７に記載の方法。
（項目７７３）
前記光源は、発光ダイオードを備えている、項目７６４に記載の方法。
（項目７７４）
オプシンタンパク質をコードするように、前記感光性タンパク質を含む前記組織構造を遺伝子操作することをさらに含む、項目７６３に記載の方法。
（項目７７５）
前記オプシンタンパク質は、抑制性オプシンタンパク質である、項目７７４に記載の方法。
（項目７７６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目７７５に記載の方法。
（項目７７７）
前記オプシンタンパク質は、促進性オプシンタンパク質である、項目７７４に記載の方法。
（項目７７８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目７７５に記載の方法。
（項目７７９）
前記第１および第２の照明区画の各々を埋込型光源に動作可能に連結することをさらに含む、項目７６３に記載の方法。
（項目７８０）
前記埋込型光源と前記埋込型光学アプリケータとの間に送達区画を相互連結することをさらに含み、前記送達区画は、前記埋込型光学アプリケータに光を伝搬するように構成され、前記光は、前記埋込型光源から前記第１および第２の照明区画を通して前記神経根対に分配され得る、項目７７９に記載の方法。
（項目７８１）
前記送達区画は、導波路を備え、前記導波路は、全内部反射を介して前記導波路を通される実質的に全ての光を伝搬するように構成されている、項目７７９に記載の方法。
（項目７８２）
コントローラが、電力供給部から前記光源への電流を制御することによって、前記光源を起動させるように、前記埋込型光源を前記電力供給部およびコントローラに動作可能に連結することをさらに含む、項目７７９に記載の方法。
（項目７８３）
前記埋込型光源、電力供給部、およびコントローラを共通埋込型筐体内に収納することをさらに含む、項目７８２に記載の方法。
（項目７８４）
前記埋込型光源は、発光ダイオードを備えている、項目７７９に記載の方法。
（項目７８５）
前記電力供給部を、前記埋込型電力供給部を再充電するように構成されている経皮的磁束源から磁束を受け取るように構成されている１つ以上の埋込型誘導コイルに連結することをさらに含む、項目７８２に記載の方法。
（項目７８６）
前記１つ以上の埋込型誘導コイルに隣接する皮膚の付近の充電位置に位置付けられるように構成されている経皮的磁束源を提供することをさらに含む、項目７８５に記載の方法。
（項目７８７）
前記経皮的磁束源を、前記患者が活動している間、前記充電位置で前記経皮的磁束源を保持するように構成されている搭載デバイスに連結することをさらに含む、項目７８６に記載の方法。
（項目７８８）
前記搭載デバイスは、ベスト、スリング、ストラップ、シャツ、およびパンツから成る群から選択される、項目７８７に記載の方法。
（項目７８９）
前記感光性タンパク質を含む前記組織構造は、オプシンタンパク質をコードするように遺伝子操作されている、項目７６３に記載の方法。
（項目７９０）
前記オプシンタンパク質は、抑制性オプシンタンパク質である、項目７８９に記載の方法。
（項目７９１）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目７９０に記載の方法。
（項目７９２）
前記オプシンタンパク質は、促進性オプシンタンパク質である、項目７８９に記載の方法。
（項目７９３）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目７９０に記載の方法。
（項目７９４）
前記拡張状態において、前記第１の照明区画が、前記選択された神経根対の前記第１の神経根に直接隣接するように整列させられ、前記拡張状態において、前記第２の照明区画が、前記選択された神経根対の前記第２の神経根に直接隣接するように整列させられることにより、展開幾何学構成を形成することをさらに含む、項目７６３に記載の方法。
（項目７９５）
前記埋込型光学アプリケータに動作可能に連結されている付勢区画を提供することをさらに含み、前記付勢区画は、起動させられると、前記展開幾何学構成を保持するように構成されている、項目７９４に記載の方法。
（項目７９６）
引張ワイヤを前記付勢区画に動作可能に連結することをさらに含み、前記引張ワイヤは、前記埋込型光学アプリケータの幾何学形状を調整して前記展開幾何学構成に達することを促進するように構成されている、項目７９５に記載の方法。
（項目７９７）
前記神経根対は、後根対である、項目７６３に記載の方法。
（項目７９８）
前記神経根対は、前根対である、項目７６３に記載の方法。
（項目７９９）
標的組織構造に注射するためのシステムであって、前記システムは、
装填されていないときに弓形幾何学構成をとるように付勢されている細長い可撓性注射部材を備え、
前記注射部材は、注射針のアレイを備え、前記細長い可撓性注射部材に動作可能に連結されている遠隔アクチュエータを操作するオペレータからの入力に基づいて、実質的に真っ直ぐな幾何学構成をとるように構成されている、システム。
（項目８００）
前記弓形構成は、実質的に一定の曲率半径を備えている、項目７９９に記載のシステム。
（項目８０１）
前記弓形構成は、不規則に弓形の幾何学構成を備えている、項目７９９に記載のシステム。
（項目８０２）
前記細長い可撓性注射部材は、装填されていないときに前記細長い可撓性注射部材を前記弓形構成に押勢するように構成されている屈曲脊椎部材を備えている、項目７９９に記載のシステム。
（項目８０３）
前記屈曲脊椎部材は、形状記憶超合金を含む、項目８０２に記載のシステム。
（項目８０４）
前記細長い可撓性注射部材は、前記オペレータからの前記入力に基づいて加圧され得る機械的矯正ブラダをさらに備え、前記機械的矯正ブラダは、前記屈曲脊椎部材によって与えられている負荷を克服し、前記細長い可撓性注射部材を前記実質的に真っ直ぐな幾何学構成に押勢する、項目８０２に記載のシステム。
（項目８０５）
前記遠隔アクチュエータは、前記オペレータによって加圧される矯正蓄圧器を備え、前記矯正蓄圧器は、流体導管によって前記機械的矯正ブラダに流体的に連結されている、項目８０４に記載のシステム。
（項目８０６）
前記細長い可撓性注射部材は、前記実質的に真っ直ぐな構成で視認された場合、実質的に長方形の形態を有する、項目７９９に記載のシステム。
（項目８０７）
前記弓形幾何学構成は、円形の形状を備えている、項目７９９に記載のシステム。
（項目８０８）
前記弓形幾何学構成は、少なくとも部分的にらせん形の形状を備えている、項目７９９に記載のシステム。
（項目８０９）
前記注射針のアレイに流体的に連結されている注射流体貯留部をさらに備えている、項目７９９に記載のシステム。
（項目８１０）
前記注射針のアレイは、前記細長い可撓性注射部材が前記実質的に真っ直ぐな構成であるときに実質的に同一平面上にある、項目７９９に記載のシステム。
（項目８１１）
管腔を画定する細長い送達導管をさらに備え、前記細長い可撓性注射部材は、前記管腔を通して移動可能に連結され得る、項目７９９に記載のシステム。
（項目８１２）
前記細長い送達導管は、カテーテルを備えている、項目８１１に記載のシステム。
（項目８１３）
前記カテーテルは、前記カテーテルにおいて制御された屈曲を引き起こすように近位で操作され得る１つ以上の操縦要素を備えている遠隔で操縦可能なカテーテルである、項目８１２に記載のシステム。
（項目８１４）
前記送達導管に連結されている細長い送達部材をさらに備え、前記細長い送達部材は、前記細長い可撓性注射部材の配置中に前記細長い可撓性注射部材と前記細長い送達導管との間で相対運動の生成を促進するように構成されている、項目８１１に記載のシステム。
（項目８１５）
前記細長い送達部材は、前記細長い送達導管の屈曲に応じて屈曲するように構成されている可撓性シャフトを備えている、項目８１４に記載のシステム。
（項目８１６）
標的組織構造に注射する方法であって、
ａ．注射されるべき前記標的組織構造を選択することと、
ｂ．装填されていないときに弓形幾何学構成をとるように付勢されている細長い可撓性注射部材を提供することであって、前記注射部材は、注射針のアレイを備え、前記細長い可撓性注射部材に動作可能に連結されている遠隔アクチュエータを操作するオペレータからの入力に基づいて、実質的に真っ直ぐな幾何学構成をとるように構成されている、ことと、
ｃ．前記オペレータからの入力に基づいて、前記細長い可撓性注射部材に前記実質的に真っ直ぐな構成をとらせることと、
ｄ．前記入力の解放時に、前記可撓性注射部材が、前記弓形幾何学構成に戻るように付勢され、前記弓形構成に向かって再構成する際に、前記細長い可撓性部材の複数部分が、複数の前記注射針を前記標的組織構造の中へ前進させるように、前記標的組織構造に対する位置に前記細長い可撓性注射部材をナビゲートすることと、
ｅ．前記複数の注射針を前記標的組織構造の中へ前進させるように、前記入力を解放することと、
ｆ．前記標的組織構造の中へ前進させられた前記複数の針を使用して、前記標的組織構造に注射することと
を含む、方法。
（項目８１７）
注射されるべき前記標的組織構造を選択することは、Ｘ線撮影、蛍光透視法、超音波、磁気共鳴映像法、コンピュータ断層撮影法、および内視鏡検査から成る群から選択されるモダリティを使用して前記標的組織を撮像することを含む、項目８１６に記載の方法。
（項目８１８）
前記弓形構成は、実質的に一定の曲率半径を備えている、項目８１６に記載の方法。
（項目８１９）
前記弓形構成は、不規則に弓形の幾何学構成を備えている、項目８１６に記載の方法。
（項目８２０）
前記細長い可撓性注射部材は、装填されていないときに前記細長い可撓性注射部材を前記弓形構成に押勢するように構成されている屈曲脊椎部材を備えている、項目８１６に記載の方法。
（項目８２１）
前記屈曲脊椎部材は、形状記憶超合金を含む、項目８２０に記載の方法。
（項目８２２）
前記細長い可撓性注射部材は、前記オペレータからの前記入力に基づいて加圧され得る機械的矯正ブラダをさらに備え、前記機械的矯正ブラダは、前記屈曲脊椎部材によって与えられている負荷を克服し、前記細長い可撓性注射部材を前記実質的に真っ直ぐな幾何学構成に押勢し、前記細長い可撓性注射部材に前記実質的に真っ直ぐな構成をとらせることは、前記機械的矯正ブラダ内の圧力を上昇させることを含む、項目８２０に記載の方法。
（項目８２３）
前記遠隔アクチュエータは、前記オペレータによって加圧される矯正蓄圧器を備え、前記矯正蓄圧器は、流体導管によって前記機械的矯正ブラダに流体的に連結され、前記機械的矯正ブラダ内の圧力を上昇させることは、前記矯正蓄圧器内の圧力を上昇させることを含む、項目８２２に記載の方法。
（項目８２４）
前記細長い可撓性注射部材は、前記実質的に真っ直ぐな構成で視認された場合、実質的に長方形の形態を有する、項目８１６に記載の方法。
（項目８２５）
前記弓形幾何学構成は、円形の形状を備えている、項目８１６に記載の方法。
（項目８２６）
前記弓形幾何学構成は、少なくとも部分的にらせん形の形状を備えている、項目８１６に記載の方法。
（項目８２７）
前記標的組織構造に注射することは、前記注射針のアレイに流体的に連結されている注射流体貯留部内の圧力を上昇させることを含む、項目８１６に記載の方法。
（項目８２８）
前記注射針のアレイは、前記細長い可撓性注射部材が前記実質的に真っ直ぐな構成であるときに実質的に同一平面上にある、項目８１６に記載の方法。
（項目８２９）
前記細長い可撓性注射部材が非外傷性に送達され得るように、細長い送達導管を通して画定される管腔を通して、前記細長い可撓性注射部材を移動可能に連結することをさらに含む、項目８１６に記載の方法。
（項目８３０）
前記細長い送達導管は、カテーテルを備えている、項目８２９に記載のシステム。
（項目８３１）
前記カテーテルは、前記カテーテルにおいて制御された屈曲を引き起こすように近位で操作され得る１つ以上の操縦要素を備えている遠隔で操縦可能なカテーテルであり、前記方法は、前記カテーテルをナビゲートするように前記１つ以上の操縦要素を操作し、それによって、前記細長い可撓性注射部材をナビゲートすることをさらに含む、項目８３０に記載のシステム。
（項目８３２）
前記送達導管に連結されている細長い送達部材をさらに備え、前記細長い送達部材は、前記細長い可撓性注射部材の配置中に前記細長い可撓性注射部材と前記細長い送達導管との間で相対運動の生成を促進するように構成される、前記方法は、前記送達導管から前記細長い可撓性注射部材を少なくとも部分的に除去するために、前記送達導管に対して前記細長い送達部材を移動させることをさらに含む、項目８２９に記載のシステム。
（項目８３３）
前記細長い送達部材は、前記細長い送達導管の屈曲に応じて屈曲するように構成されている可撓性シャフトを備えている、項目８３２に記載のシステム。
（項目８３４）
前記可撓性シャフトは、ポリマー材料を含む、項目８３３に記載のシステム。
（項目８３５）
感光性タンパク質をコードするように遺伝子操作された標的組織構造に光を分配するための埋込型デバイスであって、前記埋込型デバイスは、
光源から光を受け取るように構成されているスラブ様構造を備え、
前記スラブ様構造は、チャネル部材と出力結合器とを備え、前記チャネル部材は、光チャネルを画定するように構成され、光子が、前記光チャネルを通して向けられ得、前記出力結合器は、前記チャネル部材に動作可能に連結され、前記チャネル部材から受け取られる光子を前記標的組織構造に向けるように構成されている、デバイス。
（項目８３６）
前記スラブ様構造は、内面および外面を有し、前記内面は、前記標的組織構造に直接隣接して位置付けられるように構成され、前記外面は、前記スラブ様構造から前記標的組織構造と反対側に位置付けられるように構成されている、項目８３５に記載のデバイス。
（項目８３７）
前記外面は、通常は前記スラブ様構造から消散するであろう光子の少なくとも一部分を反射して前記標的組織構造に向けて戻すように構成されている反射要素を含む、項目８３６に記載のデバイス。
（項目８３８）
前記反射要素は、コーティングを備えている、項目８３７に記載のデバイス。
（項目８３９）
前記コーティングは、銀、金、アルミニウム、ロジウム、および硫酸バリウムから成る群からの材料である、項目８３８に記載のデバイス。
（項目８４０）
前記内面は、前記標的組織構造に接触するように構成されている、項目８３６に記載のデバイス。
（項目８４１）
前記内面は、実質的に平滑な表面で前記標的組織構造に接触するように構成されている、項目８４０に記載のデバイス。
（項目８４２）
チャネル部材は、全内部反射下で実質的に全ての入射光子を伝搬するように構成されている光導波路を備えている、項目８３５に記載のデバイス。
（項目８４３）
前記導波路は、水、空気、油、ポリマー、ガラス、およびそれらの組み合わせから成る群から選択される材料を含む、項目８４２に記載のデバイス。
（項目８４４）
前記導波路は、ポリジメチルシロキサン、ポリメチルメタクリレート、シリコーン、および高屈折率ポリマー複合材料から成る群から選択されるポリマーを含む、項目８４３に記載のデバイス。
（項目８４５）
前記導波路は、無機ナノ粒子を伴う有機ポリマーマトリクスを含む高屈折率ポリマー複合材料を含む、項目８４４に記載のデバイス。
（項目８４６）
前記出力結合器は、ファセットである、項目８３５に記載のデバイス。
（項目８４７）
前記出力結合器は、内包物である、項目８３５に記載のデバイス。
（項目８４８）
前記出力結合器は、表面テクスチャである、項目８３５に記載のデバイス。
（項目８４９）
複数の出力結合器をさらに備えている、項目８３５に記載のデバイス。
（項目８５０）
前記スラブ様部材は、前記標的組織構造と界面接触するための非平面的な接触表面を形成するよう、軸方向に巻かれるように構成されている、項目８３５に記載のデバイス。
（項目８５１）
前記スラブ様部材は、前記標的組織構造と界面接触するための非平面的な接触表面を形成するよう、縦方向に巻かれるように構成されている、項目８３５に記載のデバイス。
（項目８５２）
前記スラブ様構造は、２つ以上の光源から光子を受け取るように構成されている、項目８３５に記載のデバイス。
（項目８５３）
前記２つ以上の光源は、異なる出力スペクトルを有する、項目８５２に記載のデバイス。
（項目８５４）
前記スラブ様構造は、ポリジメチルシロキサン、ポリメチルメタクリレート、ポリエチレン、ポリプロピレン、ヒドロゲル、およびシリコーンから成る群から選択される材料を含む、項目８３５に記載のデバイス。
（項目８５５）
感光性タンパク質をコードするように遺伝子操作された標的組織構造に光を分配するための埋込型デバイスであって、前記埋込型デバイスは、
それらを通して光子が向けられ得る光ファイバと出力結合器とを備え、
前記出力結合器は、前記光ファイバに動作可能に連結され、チャネル部材から受け取られる光子を前記標的組織構造に向けるように構成されている、デバイス。
（項目８５６）
前記光ファイバは、内面および外面を有し、前記内面は、前記標的組織構造に直接隣接して位置付けられるように構成され、前記外面は、前記光ファイバから前記標的組織構造と反対側に位置付けられるように構成されている、項目８５５に記載のデバイス。
（項目８５７）
前記外面は、通常は前記光ファイバから消散するであろう光子の少なくとも一部分を反射して前記標的組織構造に向けて戻すように構成されている反射要素を含む、項目８５６に記載のデバイス。
（項目８５８）
前記反射要素は、コーティングを備えている、項目８５７に記載のデバイス。
（項目８５９）
前記コーティングは、銀、金、アルミニウム、ロジウム、および硫酸バリウムから成る群からの材料である、項目８５８に記載のデバイス。
（項目８６０）
前記内面は、前記標的組織構造に接触するように構成されている、項目８５６に記載のデバイス。
（項目８６１）
前記内面は、実質的に平滑な表面で前記標的組織構造に接触するように構成されている、項目８６０に記載のデバイス。
（項目８６２）
前記光ファイバは、全内部反射下で実質的に全ての入射光子を伝搬するように構成されている光導波路を備えている、項目８５５に記載のデバイス。
（項目８６３）
前記導波路は、水、空気、油、ポリマー、ガラス、およびそれらの組み合わせから成る群から選択される材料を含む、項目８６２に記載のデバイス。
（項目８６４）
前記導波路は、ポリジメチルシロキサン、ポリメチルメタクリレート、シリコーン、および高屈折率ポリマー複合材料から成る群から選択されるポリマーを含む、項目８６３に記載のデバイス。
（項目８６５）
前記導波路は、無機ナノ粒子を伴う有機ポリマーマトリクスを含む高屈折率ポリマー複合材料を含む、項目８６４に記載のデバイス。
（項目８６６）
前記出力結合器は、ファセットである、項目８５５に記載のデバイス。
（項目８６７）
前記出力結合器は、内包物である、項目８５５に記載のデバイス。
（項目８６８）
前記出力結合器は、表面テクスチャである、項目８５５に記載のデバイス。
（項目８６９）
複数の出力結合器をさらに備えている、項目８５５に記載のデバイス。
（項目８７０）
前記スラブ様構造は、２つ以上の光源から光子を受け取るように構成されている、項目８５５に記載のデバイス。
（項目８７１）
前記２つ以上の光源は、異なる出力スペクトルを有する、項目８７０に記載のデバイス。
（項目８７２）
感光性タンパク質をコードするように遺伝子操作された標的組織構造に光を分配するための埋込型デバイスであって、前記埋込型デバイスは、
光源から光を受け取るように構成さている導波路構造を備え、
前記導波路構造は、チャネル部材と出力結合器とを備え、前記チャネル部材は、それを通して光子が向けられ得る光チャネルを画定するように構成され、前記出力結合器は、前記チャネル部材に動作可能に連結され、前記チャネル部材から受け取られる光子を前記標的組織構造に向けるように構成され、前記導波路構造は、少なくとも部分的にらせん形状を備えている、デバイス。
（項目８７３）
前記らせん導波路構造は、内面および外面を有し、前記内面は、前記標的組織構造に直接隣接して位置付けられるように構成され、前記外面は、前記らせん導波路構造から前記標的組織構造と反対側に位置付けられるように構成されている、項目８７２に記載のデバイス。
（項目８７４）
前記外面は、通常は前記らせん導波路構造から消散するであろう光子の少なくとも一部分を反射して前記標的組織構造に向けて戻すように構成される、反射要素を含む、項目８７３に記載のデバイス。
（項目８７５）
前記反射要素は、コーティングを備えている、項目８７４に記載のデバイス。
（項目８７６）
前記コーティングは、銀、金、アルミニウム、ロジウム、および硫酸バリウムから成る群からの材料である、項目８７５に記載のデバイス。
（項目８７７）
前記内面は、前記標的組織構造に接触するように構成されている、項目８７３に記載のデバイス。
（項目８７８）
前記内面は、実質的に平滑な表面で前記標的組織構造に接触するように構成されている、項目８７７に記載のデバイス。
（項目８７９）
チャネル部材は、全内部反射下で実質的に全ての入射光子を伝搬するように構成されている光導波路を備えている、項目８７２に記載のデバイス。
（項目８８０）
前記導波路は、水、空気、油、ポリマー、ガラス、およびそれらの組み合わせから成る群から選択される材料を含む、項目８７９に記載のデバイス。
（項目８８１）
前記導波路は、ポリジメチルシロキサン、ポリメチルメタクリレート、シリコーン、および高屈折率ポリマー複合材料から成る群から選択されるポリマーを含む、項目８８０に記載のデバイス。
（項目８８２）
前記導波路は、無機ナノ粒子を伴う有機ポリマーマトリクスを含む高屈折率ポリマー複合材料を含む、項目８８１に記載のデバイス。
（項目８８３）
前記出力結合器は、ファセットである、項目８７２に記載のデバイス。
（項目８８４）
前記出力結合器は、内包物である、項目８７２に記載のデバイス。
（項目８８５）
前記出力結合器は、表面テクスチャである、項目８７２に記載のデバイス。
（項目８８６）
複数の出力結合器をさらに備えている、項目８７２に記載のデバイス。
（項目８８７）
前記らせん導波路構造は、２つ以上の光源から光子を受け取るように構成されている、項目８７２に記載のデバイス。
（項目８８８）
前記２つ以上の光源は、異なる出力スペクトルを有する、項目８８７に記載のデバイス。
（項目８８９）
感光性タンパク質をコードするように遺伝子操作された標的組織構造に光を分配するための埋込型デバイスであって、前記埋込型デバイスは、
少なくとも１つの埋込型光源を備えているスラブ様構造を備え、前記スラブ様構造は、チャネル部材と出力結合器とを備え、前記チャネル部材は、それを通して光子が向けられ得る光チャネルを画定するように構成され、前記出力結合器は、前記チャネル部材に動作可能に連結され、前記チャネル部材から受け取られる光子を前記標的組織構造に向けるように構成されている、デバイス。
（項目８９０）
前記スラブ様構造は、内面および外面を有し、前記内面は、前記標的組織構造に直接隣接して位置付けられるように構成され、前記外面は、前記スラブ様構造から前記標的組織構造と反対側に位置付けられるように構成されている、項目８８９に記載のデバイス。
（項目８９１）
前記外面は、通常は前記スラブ様構造から消散するであろう光子の少なくとも一部分を反射して前記標的組織構造に向けて戻すように構成されている反射要素を含む、項目８９０に記載のデバイス。
（項目８９２）
前記反射要素は、コーティングを備えている、項目８９１に記載のデバイス。
（項目８９３）
前記コーティングは、銀、金、アルミニウム、ロジウム、および硫酸バリウムから成る群からの材料である、項目８９２に記載のデバイス。
（項目８９４）
前記内面は、前記標的組織構造に接触するように構成されている、項目８９０に記載のデバイス。
（項目８９５）
前記内面は、実質的に平滑な表面で前記標的組織構造に接触するように構成されている、項目８９４に記載のデバイス。
（項目８９６）
チャネル部材は、全内部反射下で実質的に全ての入射光子を伝搬するように構成されている光導波路を備えている、項目８８９に記載のデバイス。
（項目８９７）
前記導波路は、水、空気、油、ポリマー、ガラス、およびそれらの組み合わせから成る群から選択される材料を含む、項目８９６に記載のデバイス。
（項目８９８）
前記導波路は、ポリジメチルシロキサン、ポリメチルメタクリレート、シリコーン、および高屈折率ポリマー複合材料から成る群から選択されるポリマーを含む、項目８９７に記載のデバイス。
（項目８９９）
前記導波路は、無機ナノ粒子を伴う有機ポリマーマトリクスを含む高屈折率ポリマー複合材料を含む、項目８９８に記載のデバイス。
（項目９００）
前記出力結合器は、ファセットである、項目８８９に記載のデバイス。
（項目９０１）
前記出力結合器は、内包物である、項目８８９に記載のデバイス。
（項目９０２）
前記出力結合器は、表面テクスチャである、項目８８９に記載のデバイス。
（項目９０３）
複数の出力結合器をさらに備えている、項目８８９に記載のデバイス。
（項目９０４）
前記スラブ様部材は、前記標的組織構造と界面接触するための非平面的な接触表面を形成するよう、軸方向に巻かれるように構成されている、項目８８９に記載のデバイス。
（項目９０５）
前記スラブ様部材は、前記標的組織構造と界面接触するための非平面的な接触表面を形成するよう、縦方向に巻かれるように構成されている、項目８８９に記載のデバイス。
（項目９０６）
前記スラブ様部材は、前記標的組織構造の周囲にらせんを形成するように構成されている、項目８８９に記載のデバイス。
（項目９０７）
前記スラブ様構造は、２つ以上の光源から光子を受け取るように構成されている、項目８８９に記載のデバイス。
（項目９０８）
前記２つ以上の光源は、異なる出力スペクトルを有する、項目９０６に記載のデバイス。
（項目９０９）
前記埋込型光源は、発光ダイオードを備えている、項目８８９に記載のデバイス。
（項目９１０）
前記埋込型光源は、レーザを備えている、項目８８９に記載のデバイス。
（項目９１１）
前記埋込型光源は、電力供給部およびコントローラに動作可能に連結されている、項目８８９に記載のデバイス。
（項目９１２）
感光性タンパク質を含む患者の標的組織構造を照射するためのシステムであって、前記システムは、
前記標的組織構造の外面を係合し、光を前記標的組織構造に送達するように構成されている埋込型光学アプリケータを備え、
前記埋込型光学アプリケータは、前記標的組織構造の中へ前記アプリケータによって放出され得る光子を前記埋込型光学アプリケータに送達するように構成されている光源に動作可能に連結され、前記光源は、窓を画定する密封埋込型筐体内に収納され、前記光源で生成される光子は、前記光子が前記埋込型光学アプリケータに向けられる場合、前記窓を通して伝送される、システム。
（項目９１３）
前記埋込型筐体の前記窓と前記埋込型光学アプリケータとの間に相互連結されている送達区画をさらに備えている、項目９１２に記載のシステム。
（項目９１４）
前記窓は、前記窓を包囲する前記埋込型筐体に密封されているサファイアロッドを備えている、項目９１２に記載のシステム。
（項目９１５）
前記サファイアロッドは、ろう付けシールで埋込型筐体に密封されている、項目９１４に記載のシステム。
（項目９１６）
前記送達区画は、導波路を備え、前記導波路は、全内部反射を介して前記導波路に通される実質的に全ての光を伝搬するように構成されている、項目９１３に記載のシステム。
（項目９１７）
コントローラが、電力供給部から前記光源への電流を制御することによって、前記光源を起動させるように、前記埋込型光源は、前記電力供給部およびコントローラに動作可能に連結されている、項目９１３に記載のシステム。
（項目９１８）
前記埋込型光源、電力供給部、およびコントローラは、共通埋込型筐体内に収納されている、項目９１７に記載のシステム。
（項目９１９）
前記埋込型光源は、発光ダイオードを備えている、項目９１３に記載のシステム。
（項目９２０）
前記電力供給部は、前記埋込型電力供給部を再充電するように構成されている経皮的磁束源から磁束を受け取るように構成されている１つ以上の埋込型誘導コイルに連結されている、項目９１７に記載のシステム。
（項目９２１）
前記１つ以上の埋込型誘導コイルに隣接する皮膚の付近の充電位置に位置付けられるように構成されている経皮的磁束源をさらに備えている、項目９２０に記載のシステム。
（項目９２２）
前記経皮的磁束源は、前記患者が活動している間、前記充電位置で前記経皮的磁束源を保持するように構成されている搭載デバイスに連結されている、項目９２１に記載のシステム。
（項目９２３）
前記搭載デバイスは、ベスト、スリング、ストラップ、シャツ、およびパンツから成る群から選択される、項目９２２に記載のシステム。
（項目９２４）
前記感光性タンパク質を含む前記組織構造は、オプシンタンパク質をコードするように遺伝子操作されている、項目９１２に記載のシステム。
（項目９２５）
前記オプシンタンパク質は、抑制性オプシンタンパク質である、項目９２４に記載のシステム。
（項目９２６）
前記抑制性オプシンタンパク質は、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、およびＡｒｃｈＴから成る群から選択される、項目９２５に記載のシステム。
（項目９２７）
前記オプシンタンパク質は、促進性オプシンタンパク質である、項目９２４に記載のシステム。
（項目９２８）
前記促進性オプシンタンパク質は、ＣｈＲ２、Ｃ１Ｖ１−Ｔ、Ｃ１Ｖ１−ＴＴ、ＣａｔＣｈ、ＶＣｈＲ１−ＳＦＯ、およびＣｈＲ２−ＳＦＯから成る群から選択される、項目９２５に記載のシステム。
（項目９２９）
前記送達区画は、前記埋込型光学アプリケータと送達区画との間の相対運動による、前記標的組織構造の過負荷を防止するように構成されている歪み緩和部分をさらに備えている、項目９１３に記載のシステム。
（項目９３０）
前記歪み緩和部分は、蛇行形状、らせん形状、渦巻形状、蝶ネクタイ形状、およびクローバー葉形状から成る群から選択される特定の形状を有するように構成されている、項目９２９に記載のシステム。
（項目９３１）
感光性タンパク質を含む患者の標的組織構造を照射するためのシステムであって、前記システムは、
各々が前記標的組織構造の外面を係合し、光を前記標的組織構造に直接送達するように構成されている複数の埋込型光学アプリケータを備え、
前記複数の埋込型光学アプリケータの各々は、前記標的組織構造の中へ前記アプリケータによって放出され得る光子を前記埋込型光学アプリケータに送達するように構成されている光源に動作可能に連結されている、システム。
（項目９３２）
前記複数の埋込型光学アプリケータの各々は、異なる光源に動作可能に連結されている、項目９３１に記載のシステム。
（項目９３３）
前記光源は、窓を画定する密封埋込型筐体内に収納され、前記光源で生成される光子は、前記光子が前記埋込型光学アプリケータに向けられる場合、前記窓を通して伝送され得る、項目９３１に記載のシステム。
（項目９３４）
前記埋込型筐体の前記窓と前記埋込型光学アプリケータとの間に相互連結されている送達区画をさらに備えている、項目９３３に記載のシステム。
（項目９３５）
前記窓は、前記窓を包囲する前記埋込型筐体に密封されているサファイアロッドを備えている、項目９３３に記載のシステム。
（項目９３６）
前記サファイアロッドは、ろう付けシールで埋込型筐体に密封されている、項目９３５に記載のシステム。
（項目９３７）
前記送達区画は、導波路を備え、前記導波路は、全内部反射を介して前記導波路に通される実質的に全ての光を伝搬するように構成されている、項目９３４に記載のシステム。
（項目９３８）
コントローラが、電力供給部から前記光源への電流を制御することによって、前記光源を起動させるように、前記埋込型光源は、前記電力供給部およびコントローラに動作可能に連結されている、項目９３４に記載のシステム。
（項目９３９）
前記埋込型光源、電力供給部、およびコントローラは、共通埋込型筐体内に収納されている、項目９３８に記載のシステム。
（項目９４０）
前記埋込型光源は、発光ダイオードを備えている、項目９３４に記載のシステム。
（項目９４１）
前記電力供給部は、前記埋込型電力供給部を再充電するように構成されている経皮的磁束源から磁束を受け取るように構成されている１つ以上の埋込型誘導コイルに連結されている、項目９３８に記載のシステム。
（項目９４２）
前記１つ以上の埋込型誘導コイルに隣接する皮膚の付近の充電位置に位置付けられるように構成されている経皮的磁束源をさらに備えている、項目９４１に記載のシステム。
（項目９４３）
前記光源の各々は、窓を画定する密封埋込型筐体内に収納され、前記光源で生成される光子は、前記光子が前記埋込型光学アプリケータに向けられる場合、前記窓を通して伝送され得る、項目９３２に記載のシステム。
（項目９４４）
前記複数の光源の各々は、異なる窓を通して前記埋込型筐体から出力結合される、項目９４３に記載のシステム。
（項目９４５）
前記埋込型筐体の前記窓と前記埋込型光学アプリケータとの間に相互連結されている送達区画をさらに備えている、項目９４３に記載のシステム。
（項目９４６）
前記複数の光源の各々は、別個の送達区画によって前記埋込型光学アプリケータのうちの１つに相互連結されている、項目９４５に記載のシステム。
（項目９４７）
前記窓は、前記窓を包囲する前記埋込型筐体に密封されているサファイアロッドを備えている、項目９４３に記載のシステム。
（項目９４８）
前記サファイアロッドは、ろう付けシールで埋込型筐体に密封されている、項目９４７に記載のシステム。
（項目９４９）
前記送達区画は、導波路を備え、前記導波路は、全内部反射を介して前記導波路に通される実質的に全ての光を伝搬するように構成されている、項目９４５に記載のシステム。
【手続補正３】
【補正対象書類名】明細書
【補正対象項目名】００４１
【補正方法】変更
【補正の内容】
【００４１】
【図１】図１は、本発明による、ヒトの光遺伝学的治療のための技法の実施形態を描写する。
【図２Ａ】図２Ａおよび２Ｂは、本発明による、ヒトの光遺伝学的治療のための注射構成の実施形態を描写する。
【図２Ｂ】図２Ａおよび２Ｂは、本発明による、ヒトの光遺伝学的治療のための注射構成の実施形態を描写する。
【図３】図３は、本発明による、ヒトの光遺伝学的治療のためのシステムレベル構成要素構成の実施形態を描写する。
【図４Ａ】図４Ａおよび４Ｂは、本発明に従って利用され得る、種々のオプシンタンパク質の活性化波長およびタイミングチャートを描写する。
【図４Ｂ】図４Ａおよび４Ｂは、本発明に従って利用され得る、種々のオプシンタンパク質の活性化波長およびタイミングチャートを描写する。
【図４Ｃ−１】図４Ｃ１および４Ｃ２は、本発明の実施形態に従って利用され得る、種々のＬＥＤのＬＥＤ仕様表を描写する。
【図４Ｃ−２】図４Ｃ１および４Ｃ２は、本発明の実施形態に従って利用され得る、種々のＬＥＤのＬＥＤ仕様表を描写する。
【図５】図５は、本発明による、ヒトの光遺伝学的治療のための照射構成の一部分の実施形態を描写する。
【図６】図６は、本発明の実施形態で適用され得る、光出力密度チャートを描写する。
【図７】図７は、本発明の実施形態で適用され得る、放射照度対幾何学形状のチャートを描写する。
【図８】図８−２８は、本発明による、ヒトの光遺伝学的治療に利用され得る、光送達構成の実施形態の種々の側面を描写する。
【図９】図８−２８は、本発明による、ヒトの光遺伝学的治療に利用され得る、光送達構成の実施形態の種々の側面を描写する。
【図１０Ａ】図８−２８は、本発明による、ヒトの光遺伝学的治療に利用され得る、光送達構成の実施形態の種々の側面を描写する。
【図１０Ｂ】図８−２８は、本発明による、ヒトの光遺伝学的治療に利用され得る、光送達構成の実施形態の種々の側面を描写する。
【図１０Ｃ】図８−２８は、本発明による、ヒトの光遺伝学的治療に利用され得る、光送達構成の実施形態の種々の側面を描写する。
【図１１Ａ】図８−２８は、本発明による、ヒトの光遺伝学的治療に利用され得る、光送達構成の実施形態の種々の側面を描写する。
【図１１Ｂ】図８−２８は、本発明による、ヒトの光遺伝学的治療に利用され得る、光送達構成の実施形態の種々の側面を描写する。
【図１１Ｃ】図８−２８は、本発明による、ヒトの光遺伝学的治療に利用され得る、光送達構成の実施形態の種々の側面を描写する。
【図１１Ｄ】図８−２８は、本発明による、ヒトの光遺伝学的治療に利用され得る、光送達構成の実施形態の種々の側面を描写する。
【図１２】図８−２８は、本発明による、ヒトの光遺伝学的治療に利用され得る、光送達構成の実施形態の種々の側面を描写する。
【図１３】図８−２８は、本発明による、ヒトの光遺伝学的治療に利用され得る、光送達構成の実施形態の種々の側面を描写する。
【図１４】図８−２８は、本発明による、ヒトの光遺伝学的治療に利用され得る、光送達構成の実施形態の種々の側面を描写する。
【図１５】図８−２８は、本発明による、ヒトの光遺伝学的治療に利用され得る、光送達構成の実施形態の種々の側面を描写する。
【図１６】図８−２８は、本発明による、ヒトの光遺伝学的治療に利用され得る、光送達構成の実施形態の種々の側面を描写する。
【図１７Ａ】図８−２８は、本発明による、ヒトの光遺伝学的治療に利用され得る、光送達構成の実施形態の種々の側面を描写する。
【図１７Ｂ】図８−２８は、本発明による、ヒトの光遺伝学的治療に利用され得る、光送達構成の実施形態の種々の側面を描写する。
【図１８】図８−２８は、本発明による、ヒトの光遺伝学的治療に利用され得る、光送達構成の実施形態の種々の側面を描写する。
【図１９Ａ】図８−２８は、本発明による、ヒトの光遺伝学的治療に利用され得る、光送達構成の実施形態の種々の側面を描写する。
【図１９Ｂ】図８−２８は、本発明による、ヒトの光遺伝学的治療に利用され得る、光送達構成の実施形態の種々の側面を描写する。
【図２０】図８−２８は、本発明による、ヒトの光遺伝学的治療に利用され得る、光送達構成の実施形態の種々の側面を描写する。
【図２１】図８−２８は、本発明による、ヒトの光遺伝学的治療に利用され得る、光送達構成の実施形態の種々の側面を描写する。
【図２２】図８−２８は、本発明による、ヒトの光遺伝学的治療に利用され得る、光送達構成の実施形態の種々の側面を描写する。
【図２３】図８−２８は、本発明による、ヒトの光遺伝学的治療に利用され得る、光送達構成の実施形態の種々の側面を描写する。
【図２４】図８−２８は、本発明による、ヒトの光遺伝学的治療に利用され得る、光送達構成の実施形態の種々の側面を描写する。
【図２５】図８−２８は、本発明による、ヒトの光遺伝学的治療に利用され得る、光送達構成の実施形態の種々の側面を描写する。
【図２６】図８−２８は、本発明による、ヒトの光遺伝学的治療に利用され得る、光送達構成の実施形態の種々の側面を描写する。
【図２７Ａ】図８−２８は、本発明による、ヒトの光遺伝学的治療に利用され得る、光送達構成の実施形態の種々の側面を描写する。
【図２７Ｂ】図８−２８は、本発明による、ヒトの光遺伝学的治療に利用され得る、光送達構成の実施形態の種々の側面を描写する。
【図２８】図８−２８は、本発明による、ヒトの光遺伝学的治療に利用され得る、光送達構成の実施形態の種々の側面を描写する。
【図２９Ａ】図２９Ａおよび２９Ｂは、本発明による、神経根介入のための光遺伝学的治療システムのシステムレベル展開を図示する。
【図２９Ｂ】図２９Ａおよび２９Ｂは、本発明による、神経根介入のための光遺伝学的治療システムのシステムレベル展開を図示する。
【図３０Ａ】図３０Ａ−３９Ｃは、本発明による、ヒトの光遺伝学的治療に利用され得る、光送達構成の実施形態ならびに関連問題およびデータの種々の側面を描写する。
【図３０Ｂ】図３０Ａ−３９Ｃは、本発明による、ヒトの光遺伝学的治療に利用され得る、光送達構成の実施形態ならびに関連問題およびデータの種々の側面を描写する。
【図３１】図３０Ａ−３９Ｃは、本発明による、ヒトの光遺伝学的治療に利用され得る、光送達構成の実施形態ならびに関連問題およびデータの種々の側面を描写する。
【図３２】図３０Ａ−３９Ｃは、本発明による、ヒトの光遺伝学的治療に利用され得る、光送達構成の実施形態ならびに関連問題およびデータの種々の側面を描写する。
【図３３】図３０Ａ−３９Ｃは、本発明による、ヒトの光遺伝学的治療に利用され得る、光送達構成の実施形態ならびに関連問題およびデータの種々の側面を描写する。
【図３４】図３０Ａ−３９Ｃは、本発明による、ヒトの光遺伝学的治療に利用され得る、光送達構成の実施形態ならびに関連問題およびデータの種々の側面を描写する。
【図３５】図３０Ａ−３９Ｃは、本発明による、ヒトの光遺伝学的治療に利用され得る、光送達構成の実施形態ならびに関連問題およびデータの種々の側面を描写する。
【図３６】図３０Ａ−３９Ｃは、本発明による、ヒトの光遺伝学的治療に利用され得る、光送達構成の実施形態ならびに関連問題およびデータの種々の側面を描写する。
【図３７】図３０Ａ−３９Ｃは、本発明による、ヒトの光遺伝学的治療に利用され得る、光送達構成の実施形態ならびに関連問題およびデータの種々の側面を描写する。
【図３８】図３０Ａ−３９Ｃは、本発明による、ヒトの光遺伝学的治療に利用され得る、光送達構成の実施形態ならびに関連問題およびデータの種々の側面を描写する。
【図３９Ａ】図３０Ａ−３９Ｃは、本発明による、ヒトの光遺伝学的治療に利用され得る、光送達構成の実施形態ならびに関連問題およびデータの種々の側面を描写する。
【図３９Ｂ】図３０Ａ−３９Ｃは、本発明による、ヒトの光遺伝学的治療に利用され得る、光送達構成の実施形態ならびに関連問題およびデータの種々の側面を描写する。
【図３９Ｃ】図３０Ａ−３９Ｃは、本発明による、ヒトの光遺伝学的治療に利用され得る、光送達構成の実施形態ならびに関連問題およびデータの種々の側面を描写する。
【図４０Ａ】図４０Ａ−５０は、本発明による、腎神経叢の神経変調を使用した高血圧症の光遺伝学的治療に利用され得る、構成の実施形態の種々の側面を描写する。
【図４０Ｂ】図４０Ａ−５０は、本発明による、腎神経叢の神経変調を使用した高血圧症の光遺伝学的治療に利用され得る、構成の実施形態の種々の側面を描写する。
【図４１】図４０Ａ−５０は、本発明による、腎神経叢の神経変調を使用した高血圧症の光遺伝学的治療に利用され得る、構成の実施形態の種々の側面を描写する。
【図４２】図４０Ａ−５０は、本発明による、腎神経叢の神経変調を使用した高血圧症の光遺伝学的治療に利用され得る、構成の実施形態の種々の側面を描写する。
【図４３】図４０Ａ−５０は、本発明による、腎神経叢の神経変調を使用した高血圧症の光遺伝学的治療に利用され得る、構成の実施形態の種々の側面を描写する。
【図４４】図４０Ａ−５０は、本発明による、腎神経叢の神経変調を使用した高血圧症の光遺伝学的治療に利用され得る、構成の実施形態の種々の側面を描写する。
【図４５】図４０Ａ−５０は、本発明による、腎神経叢の神経変調を使用した高血圧症の光遺伝学的治療に利用され得る、構成の実施形態の種々の側面を描写する。
【図４６】図４０Ａ−５０は、本発明による、腎神経叢の神経変調を使用した高血圧症の光遺伝学的治療に利用され得る、構成の実施形態の種々の側面を描写する。
【図４７】図４０Ａ−５０は、本発明による、腎神経叢の神経変調を使用した高血圧症の光遺伝学的治療に利用され得る、構成の実施形態の種々の側面を描写する。
【図４８】図４０Ａ−５０は、本発明による、腎神経叢の神経変調を使用した高血圧症の光遺伝学的治療に利用され得る、構成の実施形態の種々の側面を描写する。
【図４９】図４０Ａ−５０は、本発明による、腎神経叢の神経変調を使用した高血圧症の光遺伝学的治療に利用され得る、構成の実施形態の種々の側面を描写する。
【図５０】図４０Ａ−５０は、本発明による、腎神経叢の神経変調を使用した高血圧症の光遺伝学的治療に利用され得る、構成の実施形態の種々の側面を描写する。
【図５１Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｄ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｅ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｆ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｇ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｈ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｉ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｊ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｋ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５１Ｌ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｄ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｅ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｆ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｇ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５２Ｈ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５３Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５３Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５３Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５４Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５４Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５５Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５５Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５５Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５６】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５７】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５８Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５８Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５９Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５９Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図５９Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６０Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６０Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ａ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｂ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｃ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｄ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｅ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｆ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｇ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｈ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｉ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｊ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｋ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｌ】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−１】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−２】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−３】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−４】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−５】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−６】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６１Ｍ−７】図５１Ａ−６１Ｍ−７は、例示的なオプシンの種々のアミノ酸配列、シグナルペプチド、シグナル配列、ＥＲ搬出配列、およびトラフィッキング配列、ならびにＣｈａｍｐをコードするポリヌクレオチド配列を描写する。
【図６２Ａ】図６２Ａ−６２Ｊ−２は、本明細書で説明されるオプシンのうちの少なくともいくつかの説明を含む、表およびチャートを描写する。
【図６２Ｂ】図６２Ａ−６２Ｊ−２は、本明細書で説明されるオプシンのうちの少なくともいくつかの説明を含む、表およびチャートを描写する。
【図６２Ｃ】図６２Ａ−６２Ｊ−２は、本明細書で説明されるオプシンのうちの少なくともいくつかの説明を含む、表およびチャートを描写する。
【図６２Ｄ】図６２Ａ−６２Ｊ−２は、本明細書で説明されるオプシンのうちの少なくともいくつかの説明を含む、表およびチャートを描写する。
【図６２−２】図６２Ａ−６２Ｊ−２は、本明細書で説明されるオプシンのうちの少なくともいくつかの説明を含む、表およびチャートを描写する。
【図６２Ｊ−１】図６２Ａ−６２Ｊ−２は、本明細書で説明されるオプシンのうちの少なくともいくつかの説明を含む、表およびチャートを描写する。
【図６２Ｊ−２】図６２Ａ−６２Ｊ−２は、本明細書で説明されるオプシンのうちの少なくともいくつかの説明を含む、表およびチャートを描写する。
【図６３】図６３は、本発明による、腎盂接続部を治療するときに使用するための光送達構成の実施形態を描写する。
【図６４】図６４−６８は、本発明による、光学および／または電子コネクタの実施形態の種々の側面を描写する。
【図６５】図６４−６８は、本発明による、光学および／または電子コネクタの実施形態の種々の側面を描写する。
【図６６】図６４−６８は、本発明による、光学および／または電子コネクタの実施形態の種々の側面を描写する。
【図６７】図６４−６８は、本発明による、光学および／または電子コネクタの実施形態の種々の側面を描写する。
【図６８】図６４−６８は、本発明による、光学および／または電子コネクタの実施形態の種々の側面を描写する。
【図６９】図６９は、本発明による、光学感知の実施形態を描写する。
【図７０】図７０は、本発明による、経皮貫通接続の実施形態を描写する。
【図７１Ａ】図７１Ａ−７２Ｂは、本発明による、脊椎の光遺伝学的治療に利用され得る、構成の実施形態の種々の側面を描写する。
【図７１Ｂ】図７１Ａ−７２Ｂは、本発明による、脊椎の光遺伝学的治療に利用され得る、構成の実施形態の種々の側面を描写する。
【図７１Ｃ】図７１Ａ−７２Ｂは、本発明による、脊椎の光遺伝学的治療に利用され得る、構成の実施形態の種々の側面を描写する。
【図７２Ａ】図７１Ａ−７２Ｂは、本発明による、脊椎の光遺伝学的治療に利用され得る、構成の実施形態の種々の側面を描写する。
【図７２Ｂ】図７１Ａ−７２Ｂは、本発明による、脊椎の光遺伝学的治療に利用され得る、構成の実施形態の種々の側面を描写する。
【図７３Ａ】図７３Ａ−７５は、本発明による、光学的貫通接続の構成の実施形態の種々の側面を描写する。
【図７３Ｂ】図７３Ａ−７５は、本発明による、光学的貫通接続の構成の実施形態の種々の側面を描写する。
【図７４】図７３Ａ−７５は、本発明による、光学的貫通接続の構成の実施形態の種々の側面を描写する。
【図７５】図７３Ａ−７５は、本発明による、光学的貫通接続の構成の実施形態の種々の側面を描写する。
【図７６Ａ】図７６−７８は、本発明による、脊椎の光遺伝学的治療に利用され得る、構成の実施形態の種々の側面を描写する。
【図７６Ｂ】図７６−７８は、本発明による、脊椎の光遺伝学的治療に利用され得る、構成の実施形態の種々の側面を描写する。
【図７７】図７６−７８は、本発明による、脊椎の光遺伝学的治療に利用され得る、構成の実施形態の種々の側面を描写する。
【図７８】図７６−７８は、本発明による、脊椎の光遺伝学的治療に利用され得る、構成の実施形態の種々の側面を描写する。
【図７９】図７９−８１は、本発明による、ヒトの光遺伝学的治療に利用され得る、光送達構成の実施形態ならびに関連問題およびデータの種々の側面を描写する。
【図８０】図７９−８１は、本発明による、ヒトの光遺伝学的治療に利用され得る、光送達構成の実施形態ならびに関連問題およびデータの種々の側面を描写する。
【図８１】図７９−８１は、本発明による、ヒトの光遺伝学的治療に利用され得る、光送達構成の実施形態ならびに関連問題およびデータの種々の側面を描写する。
【図８２Ａ】図８２Ａ−８３は、本発明による、ヒトの光遺伝学的治療に利用され得る、光送達歪み緩和構成の実施形態ならびに関連問題およびデータの種々の側面を描写する。
【図８２Ｂ】図８２Ａ−８３は、本発明による、ヒトの光遺伝学的治療に利用され得る、光送達歪み緩和構成の実施形態ならびに関連問題およびデータの種々の側面を描写する。
【図８２Ｃ】図８２Ａ−８３は、本発明による、ヒトの光遺伝学的治療に利用され得る、光送達歪み緩和構成の実施形態ならびに関連問題およびデータの種々の側面を描写する。
【図８２Ｄ】図８２Ａ−８３は、本発明による、ヒトの光遺伝学的治療に利用され得る、光送達歪み緩和構成の実施形態ならびに関連問題およびデータの種々の側面を描写する。
【図８３】図８２Ａ−８３は、本発明による、ヒトの光遺伝学的治療に利用され得る、光送達歪み緩和構成の実施形態ならびに関連問題およびデータの種々の側面を描写する。
【図８４】図８４−８６は、本発明による、ヒトの光遺伝学的治療に利用され得る、インビボ集光構成の実施形態ならびに関連問題およびデータの種々の側面を描写する。
【図８５】図８４−８６は、本発明による、ヒトの光遺伝学的治療に利用され得る、インビボ集光構成の実施形態ならびに関連問題およびデータの種々の側面を描写する。
【図８６】図８４−８６は、本発明による、ヒトの光遺伝学的治療に利用され得る、インビボ集光構成の実施形態ならびに関連問題およびデータの種々の側面を描写する。
【図８７】図８７は、本発明による、経皮貫通接続の外部充電デバイスを搭載するための実施形態を描写する。
【図８８Ａ】図８８Ａ−８９は、本発明による、光遺伝学的治療デバイスの外科的埋込で使用するための細長い部材の実施形態を描写する。
【図８８Ｂ】図８８Ａ−８９は、本発明による、光遺伝学的治療デバイスの外科的埋込で使用するための細長い部材の実施形態を描写する。
【図８９】図８８Ａ−８９は、本発明による、光遺伝学的治療デバイスの外科的埋込で使用するための細長い部材の実施形態を描写する。
【図９０】図９０−１０１は、本明細書で説明されるもの等の技術を特色とする手技を行うための種々の構成を描写する。
【図９１】図９０−１０１は、本明細書で説明されるもの等の技術を特色とする手技を行うための種々の構成を描写する。
【図９２】図９０−１０１は、本明細書で説明されるもの等の技術を特色とする手技を行うための種々の構成を描写する。
【図９３】図９０−１０１は、本明細書で説明されるもの等の技術を特色とする手技を行うための種々の構成を描写する。
【図９４】図９０−１０１は、本明細書で説明されるもの等の技術を特色とする手技を行うための種々の構成を描写する。
【図９５】図９０−１０１は、本明細書で説明されるもの等の技術を特色とする手技を行うための種々の構成を描写する。
【図９６】図９０−１０１は、本明細書で説明されるもの等の技術を特色とする手技を行うための種々の構成を描写する。
【図９７】図９０−１０１は、本明細書で説明されるもの等の技術を特色とする手技を行うための種々の構成を描写する。
【図９８】図９０−１０１は、本明細書で説明されるもの等の技術を特色とする手技を行うための種々の構成を描写する。
【図９９】図９０−１０１は、本明細書で説明されるもの等の技術を特色とする手技を行うための種々の構成を描写する。
【図１００】図９０−１０１は、本明細書で説明されるもの等の技術を特色とする手技を行うための種々の構成を描写する。
【図１０１】図９０−１０１は、本明細書で説明されるもの等の技術を特色とする手技を行うための種々の構成を描写する。
【図１０２】図１０２は、本発明による、システムの実施形態を描写する。
【手続補正４】
【補正対象書類名】明細書
【補正対象項目名】００７３
【補正方法】変更
【補正の内容】
【００７３】
腎神経抑制については、光感受性が、オプシンの速度または応答時間と比べて好まれ得る。したがって、ＳＦＯおよび／またはＳＳＦＯ等の、Ｃ１２３Ｓ、および／またはＣ１２８Ａ、および／またはＣ１２８Ｓ、および／またはＤ１５６Ａ変異を利用する、ＣｈＲ２オプシンが、潜在的に比較的低い時間分解能を伴うが、所望の比較的高いレベルの光感受性を備え得るため使用されてもよい。代替として、他では、ＣｈＲ２  Ｃ１２３Ｓ、および／またはＣ１２８Ａ、および／またはＣ１２８Ｓ、および／またはＤ１５６Ａとの類似した位置における変異が、他のオプシンに追加されてもよい。代替として、ＳＦＯおよび／またはＳＳＦＯバリアントは、図１６の例示的なシステムで示されるもの等の２色照明システムとともに使用されてもよく、脱分極（過刺激）ブロックのための例示的構成で行われ得るように、第１の色の光（青色光等）が、オプシンを活性化するために使用されてもよく、第２の波長の光（黄色光等）が、オプシンを非活性化するために使用されてもよい。代替として、同様に、Ｃ１Ｖ１  Ｅ１２２Ｔ、Ｅ１６２Ｔ、および／またはＥ１２２Ｔ／Ｅ１６２Ｔバリアントは、所望の比較的高いレベルの光感受性を備え得る。代替として、ＣｈＲ２  ＳＦＯおよび／またはＳＳＦＯ変異に類似する変異を伴うものを含む、ＣｈｉＥＦ、および／またはＣｈｒＦＲ、および／またはＣｈｒＧｒが、脱分極（過刺激）ブロックのための構成で使用されてもよい。代替として、限定されないが、ＮｐＨＲ  ３．０および／またはＡＲＣＨ  ３．０等のオプシンが、直接抑制のために使用されてもよい。抑制性オプシンは、非限定的実施例として、図６２Ｊ−１および６２Ｊ−２に記載されるものから選択されてもよい。促進性オプシンは、非限定的実施例として、図６２Ｊ−１および６２Ｊ−２に記載されるものから選択されてもよい。オプシンは、非限定的実施例として、Ｏｐｔｏ−β２ＡＲまたはＯｐｔｏ−α１ＡＲから成る群から選択されてもよい。
【手続補正５】
【補正対象書類名】明細書
【補正対象項目名】００８０
【補正方法】変更
【補正の内容】
【００８０】
図４Ｃ−１および４Ｃ−２（１００４）を参照すると、種々の発光ダイオード（ＬＥＤ）が、種々の波長を伴って比較的低い電力で照射を提供するために市販されている。図３を参照して上記で説明されるように、一実施形態では、光は、筐体（Ｈ）内で生成され、送達区画（ＤＳ）を介してアプリケータ（Ａ）に輸送され得る。光はまた、種々の構成で、アプリケータ（Ａ）において、またはアプリケータ（Ａ）内で生成され得る。そのような構成において、送達区画（ＤＳ）は、光透過能力を伴わない導線またはワイヤから成り得る。他の実施形態では、光は、アプリケータ（Ａ）の点において、または送達区画（ＤＳ）自体に沿った１つ以上の点において、対象組織構造に送達されるように送達区画（ＤＳ）を使用して送達され得る（例えば、ある場合では、ＤＳがファイバレーザであり得る）。図４Ｃ−１および４Ｃ−２（１００４）を再び参照すると、ＬＥＤ（または代替として、この無機システムと有機ＬＥＤとの間の区別を表すために「ＩＬＥＤ」）は、典型的には、半導体光源であり、比較的高い輝度を伴って、可視、紫外線、および赤外線波長にわたる放射を用いたバージョンが利用可能である。発光ダイオードが順方向バイアスをかけられている（スイッチをオンにされている）とき、電子は、デバイス内の電子正孔と再結合し、光子の形態でエネルギーを放出することが可能である。この効果は、エレクトロルミネセンスと呼ばれ、（光子のエネルギーに対応する）光の色は、半導体のエネルギーギャップによって決定される。ＬＥＤは、多くの場合、面積が小さく（１ｍｍ２未満）、統合光学構成要素が、その放射パターンを成形するために使用され得る。一実施形態では、例えば、Ｃｒｅｅ  Ｉｎｃ．によって製造され、２０ｍＡで２４ｍＷを提供する炭化ケイ素デバイスを備えているＬＥＤの変形例が、照明源として利用され得る。
【手続補正６】
【補正対象書類名】明細書
【補正対象項目名】０１０４
【補正方法】変更
【補正の内容】
【０１０４】
図１０Ａ−１０Ｃおよび６４−６８に示されるように、コネクタＣによって接続されている光学要素は、例示的実施形態に示されるように、光ファイバであり得る。それらはまた、送達区画、筐体からの光学出力、およびアプリケータ自体等の治療システムの他の部分であり得る。
【手続補正７】
【補正対象書類名】明細書
【補正対象項目名】０１１０
【補正方法】変更
【補正の内容】
【０１１０】
いずれにしても、標的に出力結合される光の割合もまた、図１１Ａ−１２および２０−２３に示されるように、ＩＳから標的へのより一様な照射出力結合を提供するために、アプリケータに沿った場所の関数であるように制御され得る。これは、以降の（または遠位の）出力結合ゾーンに遭遇する光の減少する割合に対処するように行われ得る。例えば、図１１Ｂで概略的に図示される非限定的実施例においてテクスチャ加工領域（ＴＡ）によって表される、３つの出力結合ゾーンを考慮する場合、ＴＡ１、ＴＡ２、およびＴＡ３を有する。出力結合エネルギー（または電力）の均等な分布を提供するために、出力結合効率は、以下のように、すなわち、ＴＡ１＝３３％、ＴＡ２＝５０％、ＴＡ３＝１００％となるであろう。当然ながら、他のそのような割り当て方式は、異なる数の出力結合ゾーンＴＡｘに、または出力結合効率への方向性がある場合に使用され得、以下でさらに詳細に説明されるように、再帰反射器が２通過構成で使用される場合に使用され得る。
【手続補正８】
【補正対象書類名】明細書
【補正対象項目名】０１５２
【補正方法】変更
【補正の内容】
【０１５２】
光入力を捕捉し、複数の出力チャネルを作成するための種々の光学プレナム構成がある。図２１Ａ−２１Ｃおよび２２に示されるように、ファセットは、線形面で構成されるが、他の構成も本発明の範囲内である。光の入力方向に対する面の角度が、開口数（ＮＡ）を決定付ける。代替として、曲面が、非線形角度分布および強度均質化のために採用され得る。例えば、放物線表面外形が使用され得る。さらに、面は、平面的である必要はない。３次元表面が、同様に採用され得る。これらのプレナム分配ファセットＤＦの位置は、チャネルの入力として捕捉されるパワーの割合を決定付けるためにも使用され得る。代替として、プレナム分配ファセットＤＦは、入力光源の強度／放射照度分布に関連して空間的に位置し得る。非限定的実施例として、ＬＥＤによって出力され得るもの等のランバート放射照度分布を伴う入力を利用する構成では、分配ファセットＤＦの幾何学形状は、中央チャネルを制限して放射光の１／３を有するように調節され得、外側チャネルは、非限定的実施例として図２２に示されるように、残りの２／３を均等に分割する。
【手続補正９】
【補正対象書類名】明細書
【補正対象項目名】０１８９
【補正方法】変更
【補正の内容】
【０１８９】
図７０は、非限定的実施例として、順に、体外空間ＥＳ内に存在する外部密閉要素ＳＳＥ、および体内空間ＩＳ内に存在する内部密閉要素ＳＳＩから成るシールを通して経路指定される、外部送達区画ＤＳＥを備えている、経皮的光学貫通接続またはポートの実施形態を示す。これらの密閉要素は、経皮的光学貫通接続ＣＯＦＴのための無感染シールを実質的に維持するように、圧縮要素ＣＯＭＰＲを用いて一緒に保持され得る。内部シールＳＳＩは、経皮シールを形成するときに圧縮要素ＣＯＭＰＲから圧縮力をより実質的に授けるように、医療用織物密閉表面を、それに連結されたより堅い部材とともに備え得る。医療用織物／布地は、非限定的実施例として、ダクロン、ポリエチレン、ポリプロピレン、シリコーン、ナイロン、およびＰＴＦＥから成るリストから選択され得る。織物および／または不織布地が、内部シールＳＳＩの構成要素として使用され得る。織物またはその上の成分はまた、創傷治癒を変調し、シールの性質を向上させる化合物を溶出するように作製され得る。そのような化合物は、非限定的実施例として、血管内皮増殖因子（ＶＥＧＦ）、グリコサミノグリカン（Ｇａｇｓ）、および他のサイトカインから成るリストから選択され得る。適用可能な医療用布地は、例えば、ＤｕｐｏｎｔおよびＡＴＥＸ  Ｔｅｃｈｎｏｌｏｇｉｅｓ等のベンダから入手可能であり得る。送達区画ＤＳは、明確にする目的で示されていない、アプリケータＡの光学および／または電気接続に接続され得る。外部送達区画ＤＳＥは、明確にする目的で示されていない、筐体Ｈの光学および／または電気出力に接続され得る。本実施例では皮膚ＳＫＩＮとして示される、患者の表面は、その上でシールが形成され得る表皮を介して、天然要素を提供し得る。圧縮要素ＣＯＭＰＲまで皮膚ＳＫＩＮを通過する外部送達区画ＤＥＳを密閉する手段に関する詳細は、図７３Ａ−７５に示されるように、筐体Ｈ内の光学貫通接続に関して本明細書の他の場所で議論される。
【手続補正１０】
【補正対象書類名】明細書
【補正対象項目名】０２０４
【補正方法】変更
【補正の内容】
【０２０４】
図８１は、アプリケータＡの渦巻形またはらせん形設計の追加が利用される、図７９の実施形態の代替構成を図示する。そのような構成は、標的組織のさらなるばく露範囲を可能にし得る。これはまた、縦方向のばく露長が標的組織に意図されるものより大きく、アプリケータＡの展開場所がまた、合理的な余白によって標的組織を包含する場合、標的組織に対するアプリケータのわずかな誤配置を可能にするために有用であり得る。ほとんどの末梢用途のための合理的な余白は、約±２ｍｍである。アプリケータＡは、アプリケータＡを伴う標的組織が必要以上の応力を伴わずに軸方向に移動するために、標的組織の外径（ＯＤ）より少なくともわずかに大きい内径（ＩＤ）を提供しなければならない。ほとんどの抹消神経の場合にわずかに大きいことは、アプリケータＡのＩＤが標的組織ＯＤより５％〜１０％大きいことを規定し得る。
【手続補正１１】
【補正対象書類名】明細書
【補正対象項目名】０２２５
【補正方法】変更
【補正の内容】
【０２２５】
図８５は、埋込型集光器ＰＬＳが別個の区分に細分されないが、代わりに、単一の入力チャネルを介して光をアプリケータＡに供給する、図８４のそれに類似する代替実施形態を図示する。送達区画ＤＳｘは示されていないが、さらなる実施形態で利用され得る。
【手続補正１２】
【補正対象書類名】明細書
【補正対象項目名】０２５７
【補正方法】変更
【補正の内容】
【０２５７】
グリセロールおよびポリエチレングリコール（ＰＥＧ）が、ヒトの皮膚において光学散乱を低減させるが、それらの臨床有用性は非常に限定されている。無傷の皮膚を通したグリセロールおよびＰＥＧの浸透は、これらの作用物質が親水性であり、脂溶性角質層によく浸透しないため、非常に最小限かつ極めて遅い。皮膚浸透を増進するために、これらの作用物質が真皮に注射される必要があるか、または角質層が機械的（例えば、テープ剥離、光摩耗）あるいは熱的（例えば、エルビウム：イットリウム・ガーネット（ＹＡＧ）レーザアブレーション）等で除去される必要がある。そのような方法は、テープ剥離、超音波、イオン導入、エレクトロポレーション、微細皮膚剥離術、レーザアブレーション、無針注射ガン、および光化学的駆動型化学波（「オプトポレーション」として知られているプロセス等）を含む。代替として、アレイの中またはローラ（Ｄｅｒｍａｒｏｌｌｅｒ（登録商標）極微針デバイス等）の上に含まれる極微針が、浸透障壁を減少させるために使用され得る。Ｄｅｒｍａｒｏｌｌｅｒ（登録商標）極微針デバイスは、その１９２本の針の各々が７０μｍの直径および５００μｍの高さを有するように構成される。これらの極微針は、２ｃｍ幅×２ｃｍ直径の円筒形ローラの上に一様に分配される。極微針ローラの標準的使用は、典型的には、同一の皮膚領域にわたる１０〜１５回の適用後に、２４０穿孔／ｃｍ２の穿孔密度をもたらす。そのような極微針アプローチは、確実に機能的で価値があるが、洗浄剤が単純に無傷の皮膚上に局所的に適用され、その後、角質層および表皮を横断して真皮の中へ移動することができる場合に、臨床有用性が向上させられるであろう。食品医薬品局（Ｆｏｏｄ  ａｎｄ  Ｄｒｕｇ  Ａｄｍｉｎｉｓｔｒａｔｉｏｎ；ＦＤＡ）は、単独で、およびポリジメチルシロキサン（ＰＤＭＳ）等の複合プレポリマー混合物で利用可能である、皮膚コラーゲンの屈折率（ｎ＝１．４７）に密接に合致する屈折率を両方とも伴う、脂溶性ポリプロピレングリコール系ポリマー（ＰＰＧ）および親水性ＰＥＧ系ポリマーを承認した。ＰＤＭＳは、光学的に透明であり、一般に、不活性、非毒性、および不燃性と見なされる。それは、時折、ジメチコーンと呼ばれ、以前の節で詳細に説明されたように、数種類のシリコーン油（重合シロキサン）のうちの１つである。ＰＤＭＳの化学式は、ＣＨ３［Ｓｉ（ＣＨ３）２Ｏ］ｎＳｉ（ＣＨ３）３であり、式中、ｎは、反復モノマー［ＳｉＯ（ＣＨ３）２］単位の数である。適切に治療された皮膚へのこれらの光学洗浄剤の浸透は、高度な散乱低減および相応の光学輸送効率を達成するために約６０分かかる。その点を考慮して、このアプローチを利用するシステムは、光学洗浄を確立するために十分な時間後に、および、名目上、治療ばく露の全体を通して、またはその間にそれを維持するために十分な量で、その照射を起動させるように構成され得る。代替として、患者／ユーザは、システム使用に先立って十分な時間で皮膚を治療するように指示され得る。
【手続補正１３】
【補正対象書類名】明細書
【補正対象項目名】０２７７
【補正方法】変更
【補正の内容】
【０２７７】
本発明で有用な興奮性オプシンは、非限定的実施例として、Ｃ１Ｖ１、ならびにＣ１Ｖ１バリアントであるＣ１Ｖ１／Ｅ１６２ＴおよびＣ１Ｖ１／Ｅ１２２Ｔ／Ｅ１６２Ｔを含む、赤方偏移脱分極オプシンと、ＣｈＲ２／Ｌ１３２ＣおよびＣｈＲ２／Ｔ１５９Ｃ、ならびにＣｈＥＴＡ置換基Ｅ１２３ＴおよびＥ１２３Ａを伴うこれらの組み合わせを含む、青色脱分極オプシンと、ＣｈＲ２／Ｃ１２８Ｔ、ＣｈＲ２／Ｃ１２８Ａ、およびＣｈＲ２／Ｃ１２８Ｓを含むＳＦＯとを含み得る。これらのオプシンはまた、脱分極ブロック方式を使用した抑制にも有用であり得る。本発明で有用な抑制性オプシンは、非限定的実施例として、ＮｐＨＲ、Ａｒｃｈ、ｅＮｐＨＲ３．０、およびｅＡｒｃｈ３．０を含み得る。トラフィッキングモチーフを含むオプシンが有用であり得る。抑制性オプシンは、非限定的実施例として、図６２Ｊ−１および６２Ｊ−２に記載されるものから選択され得る。促進性オプシンは、非限定的実施例として、図６２Ｊ−１および６２Ｊ−２に記載されるものから選択され得る。促進性オプシンは、非限定的実施例として、Ｏｐｔｏ−β２ＡＲまたはＯｐｔｏ−α１ＡＲから成る群から選択され得る。
【手続補正１４】
【補正対象書類名】明細書
【補正対象項目名】０２８４
【補正方法】変更
【補正の内容】
【０２８４】
概して、オプシン構成は、アプリケータを通した光の印加に応答して、関連腎神経叢の制御可能な抑制性神経変調を促進するように選択されるであろう。したがって、一実施形態では、ＮｐＨＲ、ｅＮｐＨＲ  ３．０、ＡＲＣＨ  ３．０、またはＡｒｃｈＴ、あるいはＭａｃ  ３．０等の抑制性オプシンが利用され得る。別の実施形態では、上記で説明されるように、過剰活性化パラダイムで促進性オプシンを利用することによって、抑制性パラダイムが達成され得る。過剰活性化抑制のための好適な促進性オプシンは、ＣｈＲ２、ＶＣｈＲ１、あるステップ関数オプシン（ＣｈＲ２バリアント、ＳＦＯ）、ＣｈＲ２／Ｌ１３２Ｃ（ＣａｔＣＨ）、本明細書に記載される興奮性オプシン、または赤方偏移Ｃ１Ｖ１バリアント（例えば、Ｃ１Ｖ１）を含み得、それらのうちの後者は、腎神経叢の標的神経構造に対してアプリケータ（Ａ）に忍び込むか、またはアプリケータ（Ａ）を封入する傾向があり得る、線維組織を通した照射浸透を援助し得る。別の実施形態では、ＳＳＦＯが利用され得る。ＳＦＯまたはＳＳＦＯは、バッテリ寿命を節約することに関して下流治療に役立ち得る、数分から数時間の長期間にわたる時間ドメイン効果を有し得るという点で区別される（すなわち、１つの光パルスは、長く持続する生理学的結果を得て、アプリケータＡを通した、より少ない全体的な光の印加をもたらし得る）。上記で説明されるように、好ましくは、関連遺伝物質は、上記で説明されるような注射パラダイムと関連して、ウイルストランスフェクションを介して送達される。抑制性オプシンは、非限定的実施例として、図６２Ｊ−１および６２Ｊ−２に記載されるものから選択され得る。促進性オプシンは、非限定的実施例として、図６２Ｊ−１および６２Ｊ−２に記載されるものから選択され得る。オプシンは、非限定的実施例として、Ｏｐｔｏ−β２ＡＲまたはＯｐｔｏ−α１ＡＲから成る群から選択され得る。
【手続補正１５】
【補正対象書類名】明細書
【補正対象項目名】０２９６
【補正方法】変更
【補正の内容】
【０２９６】
図５０を参照すると、解剖学的変動は、概して、本明細書で説明されるもの等の手技で対処され得、したがって、患者が追加の腎動脈（１００）を有する症例で、３つのアプリケータが腎動脈の各々に配置され、腎神経叢の関連部分を制御することが望ましくあり得る。抑制性オプシンタンパク質は、非限定的実施例として、ＮｐＨＲ、ｅＮｐＨＲ  １．０、ｅＮｐＨＲ  ２．０、ｅＮｐＨＲ  ３．０、Ｍａｃ、Ｍａｃ  ３．０、Ａｒｃｈ、Ａｒｃｈ３．０、およびＡｒｃｈＴから成る群から選択され得る。抑制性オプシンは、非限定的実施例として、図６２Ｊ−１および６２Ｊ−２に記載されるものから選択され得る。促進性オプシンタンパク質は、非限定的実施例として、ＣｈＲ２、Ｃ１Ｖ１−Ｅ１２２Ｔ、Ｃ１Ｖ１−Ｅ１６２Ｔ、Ｃ１Ｖ１−Ｅ１２２Ｔ／Ｅ１６２Ｔ、ＣａｔＣｈ、ＶＣｈＲ１−ＳＦＯ、およびＣｈＲ２−ＳＦＯから成る群から選択され得る。促進性オプシンは、非限定的実施例として、図６２Ｊ−１および６２Ｊ−２に記載されるものから選択され得る。オプシンは、非限定的実施例として、Ｏｐｔｏ−β２ＡＲまたはＯｐｔｏ−α１ＡＲから成る群から選択され得る。光源は、約０．１ミリ秒〜約２０ミリ秒のパルス持続時間、約０．１パーセント〜１００パーセントのデューティサイクル、および約５ミリワット／平方ミリメートル〜約２００ミリワット／平方ミリメートルの表面放射照度を送達するように制御され得る。
【手続補正１６】
【補正対象書類名】明細書
【補正対象項目名】０３０１
【補正方法】変更
【補正の内容】
【０３０１】
図１０２は、図１０Ａ−２６、３１−３４、３７、４０Ａ−５０、６４−６９、７３Ａ−７５、および８７−８９に関してさらに詳細に説明されるように、要素を備えている、腎神経叢の光遺伝学的抑制を介した心臓高血圧症の治療のためのシステムの代替的な例示的実施形態を示す。アプリケータＡ、すなわち、図１８および２１−２３に関してさらに詳細に説明されるように、広げられたときに幅１０ｍｍおよび長さ４０ｍｍである、巻かれたスラブ型アプリケータは、図４０Ａ−５０に関してさらに詳細に説明されるように、腎臓４２の腎神経叢５２を含む腎動脈５８の周囲に展開される。アプリケータＡはさらに、図２１Ｂに関してさらに詳細に説明されるように、内面ＩＳおよび外面ＯＳを備え、外面ＯＳは、放射光を標的組織Ｎ（本実施例では腎神経叢５２である）の中へ再循環させるように構成される少なくとも部分的に反射する表面であり得る。アプリケータＡはさらに、図２４および６９に関してさらに詳細に説明されるように、センサＳＥＮ１を備えている。光は、図１０Ａ−２１に関してさらに詳細に説明されるように、送達区画ＤＳを介してアプリケータＡに送達される。コネクタＣは、図１０Ａおよび６４−６８に関してさらに詳細に説明されるように、送達区画ＤＳからアプリケータＡに光を動作可能に連結するように構成される。送達区画ＤＳはさらに、図１７Ｂおよび８２Ａ−８３に関してさらに詳細に説明されるように、起伏Ｕを備えている。送達区画ＤＳはさらに、センサＳＥＮ１と筐体ＨのコントローラＣＯＮＴとの間に信号ワイヤＳＷを備えているように構成される。したがって、コネクタＣはさらに、電気接続も提供するように構成される。送達区画ＤＳは、図７３Ａ−７５に関してさらに詳細に説明されるように、光学貫通接続ＯＦＴを介して筐体Ｈに動作可能に連結される。光は、図１６に関してさらに詳細に説明されるように、ビーム結合器ＢＣを用いて組み合わせられた後に、筐体Ｈ内の光源ＬＳ１およびＬＳ２から送達区画ＤＳに提供される。光源ＬＳ１およびＬＳ２は、本明細書の他の場所でさらに詳細に説明されるように、標的組織５２内に常駐するオプシンを活性化および／または非活性化するように空間的に異なる出力を提供する、ＬＥＤおよび／またはレーザを備えているように構成され得る。筐体Ｈ内で示されるコントローラＣＯＮＴは、明確にするために、図３２−３４に関してさらに詳細に説明されるものの簡略化である。外部臨床医プログラマモジュールおよび／または患者プログラマモジュールＣ／Ｐは、図３１−３２および３９に関してさらに詳細に説明されるように、通信リンクＣＬを介し、アンテナＡＮＴを介し、テレメトリモジュールＴＭを介してコントローラＣＯＮＴと通信し得る。明確にするために示されていない電力供給部ＰＳは、図３１−３３４に関してさらに詳細に説明されるように、外部充電器ＥＣを使用して無線で再充電され得る。さらに、外部充電器ＥＣは、図８７に関してさらに詳細に説明されるように、搭載デバイスＭＯＵＴＮＩＮＧ  ＤＥＶＩＣＥ内に存在するように構成され得る。搭載デバイスＭＯＵＴＮＩＮＧ  ＤＥＶＩＣＥは、特に、本例示的実施形態のために良く構成されるようなパンツであり得る。外部充電器��Ｃ、ならびに外部臨床医プログラマモジュールおよび／または患者プログラマモジュールＣ／Ｐ、および搭載デバイスＭＯＵＴＮＩＮＧ  ＤＥＶＩＣＥが、体外空間ＥＳＰ内に位置し得る一方で、システムの他の部分は、図３１および７０に関してさらに詳細に説明されるように、埋め込まれて体内空間ＩＳＰ内に位置し得る。本システムはさらに、図４８に関してさらに詳細に説明されるように、大腿動脈内に常駐する埋込血管内血圧センサ９０を備え得る。「Ｈｙｐｅｒ−ＩＭＳ」という商標の下でＦｒａｕｎｈｏｆｅｒ−Ｇｅｓｅｌｌｓｃｈａｆｔから入手可能なもの等の埋込型血管内圧力センサ９０が、閉ループ高血圧症制御を促進するように、導線（８８）を介して筐体（Ｈ）内のコントローラに接続され得る。導線８８は、非限定的実施例として、Ｂａｌ−ＳＥＡＬからのＳＹＧＮＵＳ（登録商標）埋込型接触システム等の電気貫通接続ＥＦＴを介して、筐体ＨのコントローラＣＯＮＴに接続され得る。
【手続補正１７】
【補正対象書類名】明細書
【補正対象項目名】０３０３
【補正方法】変更
【補正の内容】
【０３０３】
したがって、オプシンタンパク質選択の観点から、低いばく露密度（「Ｈ−ｔｈｒｅｓｈ」）、長い光回復時間（τｏｆｆ）、および高い光電流の組み合わせが、極端な時間的精度を必要としない用途に適したオプシンをもたらす。上記で説明されるように、さらなる考慮が、オプシンを活性化することに関与する光または放射線の光学浸透深度に残っている。組織は、濁った媒体であり、大部分はミー（光の波長に類似するサイズの要素）およびレイリー（光の波長より小さいサイズの要素）散乱効果によって強度密度を減衰させる。両方の効果は、波長に反比例し、すなわち、より短い波長が、より長い波長より多く散乱させられる。したがって、照射源と標的との間に挿入された組織がある構成については、より長いオプシン励起波長が好ましいが、必要とはされない。オプシンを含む標的組織における最終放射照度（光学強度密度および分布）とオプシン自体の応答との間で平衡が保たれ得る。（単純ラムダ−４散乱依存性を仮定した）組織内の浸透深度が、上記の表に記載される。全ての上記のパラメータを考慮すると、Ｃ１Ｖ１（Ｅ１６２Ｔ）およびＶＣｈＲ１の両方が、低いばく露閾値、長い光回復時間、および光学浸透深度の組み合わせにより、多くの臨床シナリオでの望ましい選択であり得る。図６２Ｂ−６２Ｃおよび６２Ｅ−６２Ｉは、候補オプシンの種々のパラメータの相互作用／関係を実証する、前述の組み込まれたＭａｔｔｉｓらの２０１１参考文献からのデータを含む、さらなるプロット（それぞれ、２５４、２５６、２６０、２６２、２６４、２６６、２６８）を示す。図６２Ｄは、その全体で参照することにより本明細書に組み込まれる、Ｙｉｚｈａｒ  ｅｔ  ａｌ，Ｎｅｕｒｏｎ．２０１１  Ｊｕｌｙ；７２：９−３４からのデータを含む、図４Ｂに示されるものに類似するプロット（２５８）を示す。図６２Ｊ−１および６２Ｊ−２の表（２７０）は、全てがそれらの全体で参照することにより本明細書に組み込まれる、Ｗａｎｇ  ｅｔ  ａｌ，２００９，Ｊｏｕｒｎａｌ  ｏｆ  Ｂｉｏｌｏｇｉｃａｌ  Ｃｈｅｍｉｓｔｒｙ，２８４：５６２５−５６９６、Ｇｒａｄｉｎａｒｕ  ｅｔ  ａｌ，２０１０，Ｃｅｌｌ：１４１：１−１２、Ｗｅｎ  ｅｔ  ａｌ．，ＰＬｏＳ  Ｏｎｅ．２０１０；５（９）：ｅ１２８９３、Ｌｉｎ  ｅｔ  ａｌ，Ｂｉｏｐｈｙｓ  Ｊ．２００９；９６（５）：１８０３−１４、Ｌｉｎ  ｅｔ  ａｌ．，Ｎａｔ  Ｎｅｕｒｏｓｃｉ．２０１３  １６（１０）：１４９９−１５０８に加えて、前述の組み込まれたＹｉｚｈａｒらのＮｅｕｒｏｎ  ２０１１参考文献からのデータを示す。
【手続補正１８】
【補正対象書類名】明細書
【補正対象項目名】０３０４
【補正方法】変更
【補正の内容】
【０３０４】
例示的なオプシンならびに例示的なシグナルペプチドのアミノ酸配列、シグナル配列、ＥＲ搬出配列、およびトラフィッキング配列が、図５１Ａ−６１Ｍ−７に示されている。例示的なオプシン、シグナルペプチド、シグナル配列、ＥＲ搬出配列、およびトラフィッキング配列についての情報はまた、全てが参照することにより組み込まれる、公開米国特許出願第２０１３００１９３２５号および第２０１１０１１２１７号、公開ＰＣＴ出願第ＷＯ／２０１３／１２６５２１号、Ｙｉｚｈａｒ  ｅｔ  ａｌ，Ｎａｔｕｒｅ．２０１１；４７７（７３６３）：１７１−８、Ｚｈａｎｇ  Ｆ，ｅｔ  ａｌ．，Ｃｅｌｌ．２０１１；１４７（７）：１４４６−５７、Ｍａｔｔｉｓ  ｅｔ  ａｌ．，Ｎａｔ  Ｍｅｔｈｏｄｓ．２０１１；９（２）：１５９−７２、およびＦｅｎｎｏ  ｅｔ  ａｌ．，Ａｎｎｕ  Ｒｅｖ  Ｎｅｕｒｏｓｃｉ．２０１１；３４：３８９−４１２，Ｐｒａｋａｓｈ  ｅｔ  ａｌ．，２０１２  Ｎａｔｕｒｅ  Ｍｅｔｈｏｄｓ  ９（１２）：１１７１−１１７９の中、ならびに図５１Ａ−６１Ｍ−７で引用されるＧｅｎＢａｎｋ記録の中にもある。
【手続補正１９】
【補正対象書類名】図面
【補正対象項目名】全図
【補正方法】変更
【補正の内容】
【図１】
2016509487.tif 000001
【図２Ａ】
2016509487.tif 000002
【図２Ｂ】
2016509487.tif 000003
【図３】
2016509487.tif 000004
【図４Ａ】
2016509487.tif 000005
【図４Ｂ】
2016509487.tif 000006
【図４Ｃ−１】
2016509487.tif 000007
【図４Ｃ−２】
2016509487.tif 000008
【図５】
2016509487.tif 000009
【図６】
2016509487.tif 000010
【図７】
2016509487.tif 000011
【図８】
2016509487.tif 000012
【図９】
2016509487.tif 000013
【図１０Ａ】
2016509487.tif 000014
【図１０Ｂ】
2016509487.tif 000015
【図１０Ｃ】
2016509487.tif 000016
【図１１Ａ】
2016509487.tif 000017
【図１１Ｂ】
2016509487.tif 000018
【図１１Ｃ】
2016509487.tif 000019
【図１１Ｄ】
2016509487.tif 000020
【図１２】
2016509487.tif 000021
【図１３】
2016509487.tif 000022
【図１４】
2016509487.tif 000023
【図１５】
2016509487.tif 000024
【図１６】
2016509487.tif 000025
【図１７Ａ】
2016509487.tif 000026
【図１７Ｂ】
2016509487.tif 000027
【図１８】
2016509487.tif 000028
【図１９Ａ】
2016509487.tif 000029
【図１９Ｂ】
2016509487.tif 000030
【図２０】
2016509487.tif 000031
【図２１】
2016509487.tif 000032
【図２２】
2016509487.tif 000033
【図２３】
2016509487.tif 000034
【図２４】
2016509487.tif 000035
【図２５】
2016509487.tif 000036
【図２６】
2016509487.tif 000037
【図２７Ａ】
2016509487.tif 000038
【図２７Ｂ】
2016509487.tif 000039
【図２８】
2016509487.tif 000040
【図２９Ａ】
2016509487.tif 000041
【図２９Ｂ】
2016509487.tif 000042
【図３０Ａ】
2016509487.tif 000043
【図３０Ｂ】
2016509487.tif 000044
【図３１】
2016509487.tif 000045
【図３２】
2016509487.tif 000046
【図３３】
2016509487.tif 000047
【図３４】
2016509487.tif 000048
【図３５】
2016509487.tif 000049
【図３６】
2016509487.tif 000050
【図３７】
2016509487.tif 000051
【図３８】
2016509487.tif 000052
【図３９Ａ】
2016509487.tif 000053
【図３９Ｂ】
2016509487.tif 000054
【図３９Ｃ】
2016509487.tif 000055
【図４０Ａ】
2016509487.tif 000056
【図４０Ｂ】
2016509487.tif 000057
【図４１】
2016509487.tif 000058
【図４２】
2016509487.tif 000059
【図４３】
2016509487.tif 000060
【図４４】
2016509487.tif 000061
【図４５】
2016509487.tif 000062
【図４６】
2016509487.tif 000063
【図４７】
2016509487.tif 000064
【図４８】
2016509487.tif 000065
【図４９】
2016509487.tif 000066
【図５０】
2016509487.tif 000067
【図５１Ａ】
2016509487.tif 000068
【図５１Ｂ】
2016509487.tif 000069
【図５１Ｃ】
2016509487.tif 000070
【図５１Ｄ】
2016509487.tif 000071
【図５１Ｅ】
2016509487.tif 000072
【図５１Ｆ】
2016509487.tif 000073
【図５１Ｇ】
2016509487.tif 000074
【図５１Ｈ】
2016509487.tif 000075
【図５１Ｉ】
2016509487.tif 000076
【図５１Ｊ】
2016509487.tif 000077
【図５１Ｋ】
2016509487.tif 000078
【図５１Ｌ】
2016509487.tif 000079
【図５２Ａ】
2016509487.tif 000080
【図５２Ｂ】
2016509487.tif 000081
【図５２Ｃ】
2016509487.tif 000082
【図５２Ｄ】
2016509487.tif 000083
【図５２Ｅ】
2016509487.tif 000084
【図５２Ｆ】
2016509487.tif 000085
【図５２Ｇ】
2016509487.tif 000086
【図５２Ｈ】
2016509487.tif 000087
【図５３Ａ】
2016509487.tif 000088
【図５３Ｂ】
2016509487.tif 000089
【図５３Ｃ】
2016509487.tif 000090
【図５４Ａ】
2016509487.tif 000091
【図５４Ｂ】
2016509487.tif 000092
【図５５Ａ】
2016509487.tif 000093
【図５５Ｂ】
2016509487.tif 000094
【図５５Ｃ】
2016509487.tif 000095
【図５６】
2016509487.tif 000096
【図５７】
2016509487.tif 000097
【図５８Ａ】
2016509487.tif 000098
【図５８Ｂ】
2016509487.tif 000099
【図５９Ａ】
2016509487.tif 000100
【図５９Ｂ】
2016509487.tif 000101
【図５９Ｃ】
2016509487.tif 000102
【図６０Ａ】
2016509487.tif 000103
【図６０Ｂ】
2016509487.tif 000104
【図６１Ａ】
2016509487.tif 000105
【図６１Ｂ】
2016509487.tif 000106
【図６１Ｃ】
2016509487.tif 000107
【図６１Ｄ】
2016509487.tif 000108
【図６１Ｅ】
2016509487.tif 000109
【図６１Ｆ】
2016509487.tif 000110
【図６１Ｇ】
2016509487.tif 000111
【図６１Ｈ】
2016509487.tif 000112
【図６１Ｉ】
2016509487.tif 000113
【図６１Ｊ】
2016509487.tif 000114
【図６１Ｋ】
2016509487.tif 000115
【図６１Ｌ】
2016509487.tif 000116
【図６１Ｍ−１】
2016509487.tif 000117
【図６１Ｍ−２】
2016509487.tif 000118
【図６１Ｍ−３】
2016509487.tif 000119
【図６１Ｍ−４】
2016509487.tif 000120
【図６１Ｍ−５】
2016509487.tif 000121
【図６１Ｍ−６】
2016509487.tif 000122
【図６１Ｍ−７】
2016509487.tif 000123
【図６２Ａ】
2016509487.tif 000124
【図６２Ｂ】
2016509487.tif 000125
【図６２Ｃ】
2016509487.tif 000126
【図６２Ｄ】
2016509487.tif 000127
【図６２−２】
2016509487.tif 000128
【図６２Ｊ−１】
2016509487.tif 000129
【図６２Ｊ−２】
2016509487.tif 000130
【図６３】
2016509487.tif 000131
【図６４】
2016509487.tif 000132
【図６５】
2016509487.tif 000133
【図６６】
2016509487.tif 000134
【図６７】
2016509487.tif 000135
【図６８】
2016509487.tif 000136
【図６９】
2016509487.tif 000137
【図７０】
2016509487.tif 000138
【図７１Ａ】
2016509487.tif 000139
【図７１Ｂ】
2016509487.tif 000140
【図７１Ｃ】
2016509487.tif 000141
【図７２Ａ】
2016509487.tif 000142
【図７２Ｂ】
2016509487.tif 000143
【図７３Ａ】
2016509487.tif 000144
【図７３Ｂ】
2016509487.tif 000145
【図７４】
2016509487.tif 000146
【図７５】
2016509487.tif 000147
【図７６Ａ】
2016509487.tif 000148
【図７６Ｂ】
2016509487.tif 000149
【図７７】
2016509487.tif 000150
【図７８】
2016509487.tif 000151
【図７９】
2016509487.tif 000152
【図８０】
2016509487.tif 000153
【図８１】
2016509487.tif 000154
【図８２Ａ】
2016509487.tif 000155
【図８２Ｂ】
2016509487.tif 000156
【図８２Ｃ】
2016509487.tif 000157
【図８２Ｄ】
2016509487.tif 000158
【図８３】
2016509487.tif 000159
【図８４】
2016509487.tif 000160
【図８５】
2016509487.tif 000161
【図８６】
2016509487.tif 000162
【図８７】
2016509487.tif 000163
【図８８Ａ】
2016509487.tif 000164
【図８８Ｂ】
2016509487.tif 000165
【図８９】
2016509487.tif 000166
【図９０】
2016509487.tif 000167
【図９１】
2016509487.tif 000168
【図９２】
2016509487.tif 000169
【図９３】
2016509487.tif 000170
【図９４】
2016509487.tif 000171
【図９５】
2016509487.tif 000172
【図９６】
2016509487.tif 000173
【図９７】
2016509487.tif 000174
【図９８】
2016509487.tif 000175
【図９９】
2016509487.tif 000176
【図１００】
2016509487.tif 000177
【図１０１】
2016509487.tif 000178
【図１０２】
2016509487.tif 000179